(57)【要約】      （修正有）【課題】常時一定量の化粧液を円滑に流出させることができて使い勝手のよい化粧容器を提供する。【解決手段】本体１１０の先端に結合されるキャップ１８０を含み、押し部材１４０は、外力が印加されれば、少なくとも一部分が、収容空間内に挿入されるように、第１方向に位置移動し、収容空間に収容された液状のうち、第１体積の液状が、連通ホールを介して、液状流出部１７１に流出され、外力が解除されれば、第１方向と反対方向である第２方向に位置移動し、液状流出部１７１に流出された第１体積の液状と同一体積の液状が、開放ホールを介して、保存空間から前記収容空間に流入される化粧容器である。【選択図】図２
2018149266.tif 000002
【特許請求の範囲】
【請求項１】
上部の一側面に押し部材が挿入される押し溝が形成され、内部が貫通形成され、液状が保存される保存空間が形成される本体と、
前記本体内に形成され、内部が貫通形成され、一側端に、液状が流出される液状流出部が結合される液状ガイド部、及び前記液状ガイド部と連結され、一側に形成された開放ホールを介して、前記本体に保存された液状が流入する収容空間を形成し、前記液状ガイド部と連通される連通ホールと、前記押し溝に対応する位置に貫通ホールが形成される収容部と、を具備するシリンダ部と、
前記本体の先端に結合されるキャップと、を含み、
前記押し部材は、
外力が印加されれば、少なくとも一部分が、前記収容空間内に挿入されるように、第１方向に位置移動し、前記収容空間に収容された液状のうち、第１体積の液状が、前記連通ホールを介して、前記液状流出部に流出され、印加された外力が解除されれば、前記第１方向と反対方向である第２方向に位置移動し、前記液状流出部に流出された前記第１体積の液状と同一体積の液状が、前記開放ホールを介して、前記保存空間から前記収容空間に流入され、
前記押し部材は、
前記本体の外部に突出し、前記外力を印加される押し部、前記押し部の下部に延設され、前記貫通ホールに挿入される挿入部、及び前記挿入部と連結されたまま、前記外力が印加されれば、弾性変形され、印加された外力が解除されれば、前記弾性変形による復元力によって復元される第１弾性部を具備することを特徴とする化粧容器。
【請求項２】
前記挿入部は、
前記押し部に前記外力が印加されれば、第１位置から第２位置に位置移動し、前記押し部に印加された外力が解除されれば、前記第１弾性部により、前記第２位置から前記第１位置に位置移動し、前記第２位置に位置した場合、前記開放ホールを閉鎖し、前記開放ホールを介した液状の位置移動を制限し、前記第１位置に位置した場合、前記開放ホールを開放し、前記開放ホールを介した液状の位置移動を自由にし、
前記キャップは、前記キャップの末端から、前記本体の押し部材に向けて突出する締結リブをさらに含み、
前記押し部材は、外力を印加される押し部と、前記押し部の下部で連結され、前記押し部を支持するが、前記押し部より小さい外径に具備される外径減少部と、を含み、
前記締結リブは、前記外径減少部に向けて延長されるが、前記締結リブの末端は、前記外径減少部の外面に対応するようにラウンドされるように具備され、
前記本体の先端に結合されたキャップから突出した締結リブは、前記外径減少部の外壁に向けて突出し、前記押し部の下部を支持し、前記押し部の位置移動を防止することを特徴とする請求項１に記載の化粧容器。
【請求項３】
前記押し部材は、
前記挿入部に結合されたまま、前記第１方向から前記第２方向、または前記第２方向から前記第１方向への位置移動時、前記収容空間から外部への前記液状の流出を防止する第１シーリング部材をさらに具備し、
前記第１シーリング部材は、
前記押し溝を介した前記収容空間への空気流出入を防止し、
前記押し部材は、
前記挿入部に結合されたまま、前記第１方向から前記第２方向、または前記第２方向から前記第１方向への位置移動時、前記収容部の内周面に沿ってスライディングされる第２シーリング部材をさらに具備し、
前記挿入部は、
前記収容部の内径と対応する大きさの外径に形成される挿入部中端部、前記挿入部中端部の外径より小さく形成される外径に形成される挿入部前端部、及び挿入部後端部によって構成され、
前記第１シーリング部材は、前記挿入部前端部に結合されたまま、前記挿入部中端部の外径より外側方向に突出して形成されるが、前記収容部との接触によって圧着され、前記収容部の内径と対応する大きさに変形され、
前記第２シーリング部材は、前記挿入部後端部に結合されたまま、前記挿入部中端部の外径より外側方向に突出して形成されるが、前記収容部との接触によって圧着され、前記収容部の内径と対応する大きさに変形されることを特徴とする請求項１に記載の化粧容器。
【請求項４】
前記本体の保存空間に配置され、前記保存空間を、第１保存空間及び第２保存空間に分割し、前記シリンダ部との間に形成された前記第１保存空間に、前記液状が保存され、前記押し部材に印加された外力が解除され、前記第１保存空間に保存された液状のうち、前記第１体積の液状と同一体積の液状が、前記開放ホールを介して、前記収容空間に流入されれば、前記本体の内側面に沿って位置移動し、前記第１保存空間の大きさが、前記第１体積ほど縮小されるようにする圧着部をさらに含むことを特徴とする請求項１に記載の化粧容器。
【請求項５】
前記本体の下部領域の貫通領域を密閉する密閉部材をさらに含み、
前記第２保存空間は、
前記圧着部と前記密閉部材との間に形成され、
前記第１保存空間の大きさが、前記第１体積ほど縮小される場合、前記第２保存空間の大きさは、前記第１体積ほど拡張されることを特徴とする請求項４に記載の化粧容器。
【請求項６】
前記液状流出部は、
上部領域に形成されたまま、前記液状が外部に流出するホールを形成する流出ホール、及び下部領域に形成されるが、前記液状ガイド部の先端部に挿入結合される結合部を具備し、
前記結合部が、前記液状ガイド部の先端部に挿入結合される場合、前記結合部の外面と、前記液状ガイド部の内面との間には、離隔空間が形成され、
前記結合部は、
前記流出ホールと連通される第１連通空間を形成し、前記第１連通空間と前記離隔空間とを連通する第１通孔を具備する第１結合部、前記連通ホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することを特徴とする請求項１に記載の化粧容器。
【請求項７】
前記開閉部は、
前記押し部材に、前記外力が印加される場合、前記連通ホールを介して、前記液状ガイド部の先端部方向に移動する液状による圧力によって弾性変形され、前記第２通孔を開放させ、前記圧力が弱くなる場合、前記弾性変形による復元力によって復元され、前記第２通孔を閉鎖することを特徴とする請求項６に記載の化粧容器。
【請求項８】
前記本体の保存空間に着脱可能になるように挿入され、前記本体の下部領域の貫通領域を密閉するリフィル提供部を含み、
前記リフィル提供部は、
前記本体の保存空間に挿入されたまま、リフィル保存空間を提供する本体部挿入部、前記リフィル保存空間を、第３保存空間及び第４保存空間に分割し、前記シリンダ部との間に形成された前記第３保存空間に、前記液状が保存され、前記押し部材に印加された外力が解除され、前記第３保存空間に保存された液状のうち、前記第１体積の液状と同一体積の液状が、前記開放ホールを介して、前記収容空間に流入されれば、前記本体部挿入部の内側面に沿って位置移動し、前記第１保存空間の大きさが、前記第１体積ほど縮小されるようにする圧着部、及び前記リフィル保存空間を密閉すると共に、前記本体の下部領域の貫通領域を密閉するリフィル密閉部を具備することを特徴とする請求項１に記載の化粧容器。
【請求項９】
上部の一側面に押し部材が挿入される押し溝が形成され、内部が貫通形成され、液状が保存される保存空間が形成される本体と、
前記本体内に形成され、内部が貫通形成され、一側端に、液状が流出される液状流出部が結合される液状ガイド部、及び前記液状ガイド部と連結され、一側に形成された開放ホールを介して、前記本体に保存された液状が流入する収容空間を形成し、前記液状ガイド部と連通される連通ホールと、前記押し溝に対応する位置に貫通ホールが形成される収容部と、を具備するシリンダ部と、
前記本体の先端に結合されるキャップと、を含み、
前記押し部材は、
外力が印加されれば、少なくとも一部分が、前記収容空間内に挿入されるように、第１方向に位置移動し、前記収容空間に収容された液状のうち、第１体積の液状が、前記連通ホールを介して、前記液状流出部に流出され、印加された外力が解除されれば、前記第１方向と反対方向である第２方向に位置移動し、前記液状流出部に流出された前記第１体積の液状と同一体積の液状が、前記開放ホールを介して、前記保存空間から前記収容空間に流入され、
前記押し部材は、
前記本体の外部に突出し、前記外力を印加される押し部、前記押し部の下部に延設され、前記貫通ホールに挿入される挿入部、及び前記挿入部と連結されたまま、前記外力が印加されれば、弾性変形され、印加された外力が解除されれば、前記弾性変形による復元力によって復元される第１弾性部を具備し、
前記シリンダ部は、
前記開放ホールと段差がつくように連結され、内部が貫通形成される円筒管、前記円筒管内に具備される開閉部支持部、前記開閉部支持部の末端に具備される開閉部、及び前記円筒管を覆うように具備されるが、一側及び他側が開口され、それぞれ第１開口部及び第２開口部を具備し、前記開閉部に対応する部分が円錐台型に具備されるカバー部をさらに含むことを特徴とする化粧容器。
【請求項１０】
前記挿入部は、
前記押し部に前記外力が印加されれば、第１位置から第２位置に位置移動し、前記押し部に印加された外力が解除されれば、前記第１弾性部により、前記第２位置から前記第１位置に位置移動し、前記第２位置に位置した場合、前記開閉部支持部及び前記開閉部により、前記カバー部の第２開口部を閉鎖し、前記開放ホールを介した液状の位置移動を制限し、前記第２位置に位置した場合、前記第２開口部を開放し、前記開放ホールを介した液状の位置移動を自由にし、
前記キャップは、前記キャップの末端から、前記本体の押し部材に向けて突出する締結リブをさらに含み、
前記押し部材は、外力を印加される押し部と、前記押し部の下部で連結され、前記押し部を支持するが、前記押し部より小さい外径に具備される外径減少部と、を含み、
前記締結リブは、前記外径減少部に向けて延長されるが、前記締結リブの末端は、前記外径減少部の外面に対応するようにラウンドされるように具備され、
前記本体の先端に結合されたキャップから突出した締結リブは、前記外径減少部の外壁に向けて突出し、前記押し部の下部を支持し、前記押し部の位置移動を防止することを特徴とする請求項９に記載の化粧容器。
【請求項１１】
前記円筒管は、前記開放ホールを取り囲むように、前記開放ホールの内径より前記円筒管の内径がさらに大きく具備され、
前記カバー部は、第１開口部の直径が第２開口部の直径より大きく具備されるように、断面が円形であり、他側に行くほど断面がだんだんと小さくなるように具備され、
前記開閉部支持部は、スプリング状に具備され、前記円筒管内に具備され、
前記開閉部は、前記開閉部支持部の末端で球形に具備され、前記開閉部支持部に加えられる外力により、可逆的に、前記カバー部の第２開口部を開閉させることを特徴とする請求項９に記載の化粧容器。
【請求項１２】
前記円筒管の外面には、第１締結部を具備し、前記カバー部の内側には、前記第１締結部と締結する第２締結部を具備し、前記カバー部は、前記円筒管に密接して接触して固定され、
前記円筒管は、前記カバー部の内側に挿入され、前記開放ホールと、前記カバー部の第２開口部とが互いに流体が連通されるように具備されることを特徴とする請求項１１に記載の化粧容器。
【請求項１３】
前記押し部材は、
前記挿入部に結合されたまま、前記第１方向から前記第２方向、または前記第２方向から前記第１方向への位置移動時、前記収容空間から外部への前記液状の流出を防止する第１シーリング部材をさらに具備し、
前記第１シーリング部材は、
前記押し溝を介した前記収容空間への空気流出入を防止し、
前記押し部材は、
前記挿入部に結合されたまま、前記第１方向から前記第２方向、または前記第２方向から前記第１方向への位置移動時、前記収容部の内周面に沿ってスライディングされる第２シーリング部材をさらに具備し、
前記挿入部は、
前記収容部の内径と対応する大きさの外径に形成される挿入部中端部、前記挿入部中端部の外径より小さい外径に形成される挿入部前端部、及び挿入部後端部によって構成され、
前記第１シーリング部材は、前記挿入部前端部に結合されたまま、前記挿入部中端部の外径より外側方向に突出して形成されるが、前記収容部との接触によって圧着され、前記収容部の内径と対応する大きさに変形され、
前記第２シーリング部材は、前記挿入部後端部に結合されたまま、前記挿入部中端部の外径より外側方向に突出して形成されるが、前記収容部との接触によって圧着され、前記収容部の内径と対応する大きさに変形されることを特徴とする請求項９に記載の化粧容器。
【請求項１４】
前記本体の保存空間に配置され、前記保存空間を、第１保存空間及び第２保存空間に分割し、前記シリンダ部との間に形成された前記第１保存空間に、前記液状が保存され、前記押し部材に印加された外力が解除され、前記第１保存空間に保存された液状のうち、前記第１体積の液状と同一体積の液状が、前記円筒管と開放ホールを介して、前記収容空間に流入されれば、前記本体の内側面に沿って位置移動し、前記第１保存空間の大きさが、前記第１体積ほど縮小されるようにする圧着部をさらに含み、
前記本体の下部領域の貫通領域を密閉する密閉部材をさらに含み、
前記第２保存空間は、
前記圧着部と前記密閉部材との間に形成され、
前記第１保存空間の大きさが、前記第１体積ほど縮小される場合、前記第２保存空間の大きさは、前記第１体積ほど拡張され、
前記密閉部材は、
前記第２保存空間と外部とが連通される空気循環ホールを具備し、
前記空気循環ホールは、前記第２保存空間が、前記第１体積ほど拡張される場合、前記第１体積と同一体積の外部空気が、前記第２保存空間に流入されるようにする通路を提供することを特徴とする請求項９に記載の化粧容器。
【請求項１５】
前記液状流出部は、
上部領域に形成されたまま、前記液状が外部に流出するホールを形成する流出ホール、及び下部領域に形成されるが、前記液状ガイド部の先端部に挿入結合される結合部を具備し、
前記結合部が、前記液状ガイド部の先端部に挿入結合される場合、前記結合部の外面と、前記液状ガイド部の内面との間には、離隔空間が形成され、
前記結合部は、
前記流出ホールと連通される第１連通空間を形成し、前記第１連通空間と前記離隔空間とを連通する第１通孔を具備する第１結合部、前記連通ホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することを特徴とする請求項９に記載の化粧容器。
【請求項１６】
前記開閉部は、
前記押し部材に、前記外力が印加される場合、前記連通ホールを介して、前記液状ガイド部の先端部方向に移動する液状による圧力によって弾性変形され、前記第２通孔を開放させ、前記圧力が弱くなる場合、前記弾性変形による復元力によって復元され、前記第２通孔を閉鎖することを特徴とする請求項１５に記載の化粧容器。
【請求項１７】
前記本体の保存空間に着脱可能になるように挿入され、前記本体の下部領域の貫通領域を密閉するリフィル提供部を含み、
前記リフィル提供部は、
前記本体の保存空間に挿入されたまま、リフィル保存空間を提供する本体部挿入部、前記リフィル保存空間を、第３保存空間及び第４保存空間に分割し、前記シリンダ部との間に形成された前記第３保存空間に、前記液状が保存され、前記押し部材に印加された外力が解除され、前記第３保存空間に保存された液状のうち、前記第１体積の液状と同一体積の液状が、前記開放ホールを介して、前記収容空間に流入されれば、前記本体部挿入部の内側面に沿って位置移動し、前記第１保存空間の大きさが、前記第１体積ほど縮小されるようにする圧着部、及び前記リフィル保存空間を密閉すると共に、前記本体の下部領域の貫通領域を密閉するリフィル密閉部を具備することを特徴とする請求項９に記載の化粧容器。
【請求項１８】
前記液状流出部は、
上部領域に形成されたまま、前記液状が外部に流出するホールを形成する流出ホール、及び下部領域に形成されるが、前記液状ガイド部の先端部に挿入結合される結合部を具備し、
前記流出ホールは、断面が楕円状に形成され、
前記液状ガイド部先端部の内径は、前記液状ガイド部の中端部の内径より大きく形成され、前記結合部は、前記液状ガイド部の先端部に挿入結合されることを特徴とする請求項９に記載の化粧容器。
【請求項１９】
前記結合部の外周面と、前記液状ガイド部先端部の内側外周面との間に置かれる第２弾性部、及び前記第２弾性部の後端に置かれ、前記液状ガイド部の中端部の内径より大きい径を有する流出調整ボールをさらに含むことを特徴とする請求項１８に記載の化粧容器。
【請求項２０】
前記流出調整ボールは、
前記押し部材に、前記外力が印加される場合、前記連通ホールを介して、前記液状ガイド部の先端部方向に移動する液状による圧力により、第３方向に移動し、前記圧力が弱くなる場合、前記第２弾性部により、前記第３方向の反対方向である第４方向に移動し、前記液状ガイド部の先端部と中端部との境界領域に形成された流入孔を閉鎖することを特徴とする請求項１９に記載の化粧容器。
【請求項２１】
上部の一側面に、第１方向に押しホールが形成され、内部が貫通形成され、液状が保存される保存空間が形成される本体と、
前記押しホールに挿入されるが、一端は、前記押しホールの外側に突出し、他端には、内部に下部流入口が具備される押し部材と、
前記押しホールの底面に隣接するように具備され、少なくとも一部が、前記下部流入口の内部に挿入される第１弾性体と、
前記本体の一端に具備され、前記液状が、前記本体内の保存空間から、液状流出部を介して外部に排出される通路を提供するシリンダ部と、を含み、
前記本体の押しホールが具備される部分は、内側に凹状の第１ラウンド部を具備し、  前記押し部材一端の最外面は、前記本体の最外面に対応するように具備される化粧容器。
【請求項２２】
前記本体の先端に結合されるように、前記押しホールに対応する位置に、内側に凹状の第２ラウンド部を具備する内部キャップと、
前記液状流出部を収納する収納空間を具備し、前記内部キャップと結合する外部キャップと、をさらに含み、
前記本体には、順次に内部キャップ及び外部キャップが結合され、前記内部キャップの少なくとも一部は、前記外部キャップと本体最外面とに対応するように具備されるが、前記第２ラウンド部は、前記外部キャップと本体最外面とに対して、内側に凹状になるように具備されることを特徴とする請求項２１に記載の化粧容器。
【請求項２３】
前記シリンダ部は、
前記本体から液状が流出される方向に垂直である第１方向に、前記本体の一側面が開口され、前記押し部材の一部を収納する押しホールと、
前記押しホールの一側において、前記第１方向に垂直である第２方向に連結され、液状が外部に流出する液状流出部と連通される第１開放ホールと、
前記押しホールの他側において、前記第２方向に平行になるように連結され、前記本体の保存空間と連通される第２開放ホールと、
前記第２開放ホールより広径に連結されるが、前記保存空間内に延長され、内部が貫通形成される円筒管と、
前記円筒管末端の少なくとも一部を覆うように具備されるが、前記第２開放ホールと連通される第１開口部が、前記円筒管の末端に隣接するように具備され、前記保存空間と連通される第２開口部を具備するカバー部と、
前記カバー部の内側において、前記第２開口部を可逆的に開閉するように具備される開閉部と、
前記開閉部移動を制御するように、前記カバー部の内側に具備される開閉部支持部と、を含むことを特徴とする請求項２１に記載の化粧容器。
【請求項２４】
前記円筒管の内周縁は、前記第２開放ホールを取り囲むように、前記第２開放ホールの内径よりさらに大きく具備され、
前記カバー部は、前記第１開口部側が、前記円筒管の内部に挿入され、前記第２開口部側は、前記円筒管の外側に具備されるが、前記第２開口部の外側面がテーパになるように具備されることを特徴とする請求項２３に記載の化粧容器。
【請求項２５】
前記円筒管には、第１締結部を具備し、前記カバー部には、前記第１締結部と締結する第２締結部を具備し、前記カバー部は、前記円筒管３３３０に密接して接触して固定され、
前記円筒管の貫通されて具備される内部は、前記カバー部の第２開放ホールに対応するように具備され、前記カバー部の第２開口部を介して、液状が連通されるように具備されることを特徴とする請求項２４に記載の化粧容器。
【請求項２６】
前記押し部材は、前記第１弾性体の弾性変形により、前記押し部材の位置移動が可逆的に制御され、
前記押し部材に外力が加えられれば、前記押しホールに収容された液状のうち、第１体積の液状が、前記第１開放ホールを介して、前記液状流出部に流出され、
前記押し部材に印加された外力が解除されれば、前記液状流出部に流出された前記第１体積の液状に対応する体積の液状が、前記第２開放ホールを介して、前記保存空間から前記押しホールに流入されることを特徴とする請求項２１に記載の化粧容器。
【請求項２７】
前記押し部材は、
前記押しホールの内側に挿入されるように断面が円形である円筒状に具備され、前記押し部材の底面から前記押し部材の長手方向に、内側に凹状の下部流入口が具備されるフランジ部と、
前記フランジ部の上部に延長されるが、前記フランジ部より狭径の円筒状に具備され、上部側には、内側に凹状の貫通ホールを具備したヘッド支持部と、
前記押しホールの外部に露出され、外力が印加される押し部、及び前記押し部の下部に延長され、前記貫通ホールに挿入される挿入部からなるヘッド部と、
前記フランジ部の外面で互いに離隔されて具備される１対の第１シーリング部材及び第２シーリング部材と、を含むことを特徴とする請求項２６に記載の化粧容器。
【請求項２８】
前記フランジ部は、前記フランジ部の一側及び他側を貫通するように、前記第１方向に垂直である第２方向に延長されて具備されるが、前記下部流入口と連通される液状伝達通路がさらに具備され、
前記第１シーリング部材は、前記フランジ部の下部に隣接するように具備され、前記第２シーリング部材は、前記フランジ部の上部に隣接するように具備され、
前記液状伝達通路は、前記第１シーリング部材及び第２シーリング部材の間に具備され、前記下部流入部を横方向に貫通するように具備されることを特徴とする請求項２７に記載の化粧容器。
【請求項２９】
前記押しホールの一側には、前記第１方向に垂直である第２方向に連結され、液状が外部に流出する液状流出部と連通される第１開放ホールが具備され、前記押しホールの他側には、前記第２方向に平行になるように連結され、前記本体の保存空間と連通される第２開放ホールが具備され、
前記押し部材に外力が印加されれば、前記第１弾性体が圧縮され、前記押し部の少なくとも一部が、前記押しホールの内部に挿入され、前記押し部内部に具備される液状は、前記液状伝達通路を介して、前記第１開放ホールに流出されるが、前記第１開放ホールと前記第２開放ホールは、前記第１シーリング部材及び第２シーリング部材の間に位置し、
前記押し部材に印加された外力が解除されれば、前記第１弾性体が復元され、前記押し部が、前記押しホールの外側に突出し、前記押し部内部には、前記第２開放ホールを介して液状が流入することを特徴とする請求項２６に記載の化粧容器。
【請求項３０】
前記押し部材は、
前記押しホールに挿入され、前記押しホールに挿入される方向である第１方向に移動するか、あるいは前記第１方向の反対方向に排出されるように位置移動するとき、前記押しホールの内周面に沿ってスライディングされる第１シーリング部材と、
前記押しホールに挿入され、前記押しホールに挿入される方向である第１方向に移動するか、あるいは前記第１方向の反対方向に排出されるように位置移動するとき、前記押しホールの内部に具備される液状が、前記押しホールの外部に流出することを防止する第２シーリング部材と、を具備し、
前記第１シーリング部材及び第２シーリング部材は、互いに離隔されて具備され、前記押しホール内への空気流出入を防止することを特徴とする請求項２６に記載の化粧容器。
【請求項３１】
前記本体の保存空間は、可逆的に体積が変わる第１保存空間及び第２保存空間を含み、前記第１保存空間は、前記押しホールに伝達される液状が収容され、前記第２保存空間は、外部から流入される空気が具備され、
前記押し部材に印加された外力が解除されれば、前記第１保存空間に保存された液状のうち、前記第１体積の液状と同一体積の液状が、前記円筒管と第２開放ホールとを介して、前記押しホールに流入され、
前記第１体積ほど前記第１保存空間の体積が縮小され、前記第２保存空間は、前記第１体積ほど体積が増大されることを特徴とする請求項２１に記載の化粧容器。
【請求項３２】
前記液状提供部は、前記一面に隣接した外面にＯリングを具備し、前記本体の内部において、前記Ｏリングが載置される部分は、段差がつくように具備され、前記液状提供部と前記本体との間を密接に結合させ、
前記液状提供部の他面に隣接した外面は、前記本体の内部に挿入されて締結され、前記液状提供部の他面は、前記本体の側面の末端に対応して具備されることを特徴とする請求項３１に記載の化粧容器。
【請求項３３】
前記本体の内部に挿入され、前記本体の下部領域の貫通領域を密閉し、内部には、前記圧着部を具備するが、前記圧着部により、第１保存空間及び第２保存空間に分割されるが、前記第１保存空間に液状を具備する液状提供部をさらに含み、
前記液状提供部は、
前記本体内部に挿入される部分である一面が開口され、順次に第１保存空間及び第２保存空間を具備する円筒状に具備されるが、前記一面が対面する他面は、前記本体の後端部を覆うが、外部と連通される空気循環ホールを具備し、
前記第２保存空間は、
前記圧着部と前記空気循環ホールとの間に形成され、
前記第１保存空間の大きさが、前記第１体積ほど縮小される場合、前記空気循環ホールを介して、第１体積ほど外部空気が流入されて圧着部を加圧し、前記第２保存空間の大きさを、前記第１体積ほどさらに拡張させることを特徴とする請求項３１に記載の化粧容器。
【請求項３４】
前記液状流出部は、
前記内部キャップの外側に突出し、前記液状が外部に流出する流出ホールと、前記内部キャップの内側に具備され、前記第１開放ホールの先端部の内側に挿入結合される結合部と、からなり、
前記結合部が、前記第１開放ホールの先端部に挿入結合される場合、前記結合部の外面と、前記第１開放ホールの内面との間には、離隔空間が形成され、
前記結合部は、前記流出ホールと連通される第１連通空間を形成し、前記第１連通空間と前記離隔空間とを連通する第１通孔を具備する第１結合部、前記押しホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することを特徴とする請求項２２に記載の化粧容器。
【請求項３５】
前記開閉部は、
前記押し部材に、前記外力が印加される場合、前記収容空間において、前記第１開放ホールの先端部方向に移動する液状による圧力によって弾性変形され、前記第２通孔を開放させ、前記圧力が弱くなる場合、前記弾性変形による復元力によって復元され、前記第２通孔を閉鎖することを特徴とする請求項３４に記載の化粧容器。
【請求項３６】
前記液状流出部は、
前記内部キャップの外側に突出し、前記液状が外部に流出する流出ホールと、前記内部キャップの内側に具備され、前記第１開放ホールの先端部の内側に挿入結合される結合部と、からなり、
前記第１開放ホールの先端部の内径は、前記押し部材の側面と対面する前記第１開放ホールの後端部の内径より大きく形成され、
前記結合部の末端と、前記第１開放ホールの先端部の内側外周面との間に置かれる第２弾性部、及び前記第２弾性部の後端に置かれ、前記第１開放ホールの後端部の内径より大きい径を有する流出調整ボールをさらに含むことを特徴とする請求項２２に記載の化粧容器。
【請求項３７】
前記流出調整ボールは、
前記押し部材に、前記外力が印加される場合、前記保存空間に具備された液状は、前記第１開放ホールを介して移動し、前記流出調整ボールを加圧し、前記第２弾性部を圧縮させることにより、前記液状が、前記第１開放ホールの先端部を介して、前記液状流出部を介して排出させ、
前記液状が、前記流出調整ボールを加圧する圧力が低下する場合、前記第２弾性部の復元力により、前記流出調整ボールは、前記第１開放ホールの後端を閉鎖することを特徴とする請求項３６に記載の化粧容器。
【請求項３８】
上部の一側面に、第１方向に押しホールが形成され、内部が貫通形成され、液状が保存される保存空間が形成される本体と、
前記押しホールに挿入されるが、一端は、前記押しホールの外側に突出し、他端には、内部に下部流入口が具備される押し部材と、
前記押しホールの上部側に隣接するように、前記押し部材に挿入され、前記押し部材の上下移動を制御する第１弾性体と、
前記本体の一端に具備され、前記液状が、前記本体内の保存空間から、液状流出部を介して外部に排出される通路を提供するシリンダ部と、を含み、
前記本体の押しホールが具備される部分は、内側に凹状の第１ラウンド部を具備し、  前記押し部材一端の最外面は、前記本体の最外面に対応するように具備され、
前記押し部材は、前記押しホールの外側に突出し、外力が印加される押しキャップと、  前記押しキャップの下部面に連結されるが、前記押しキャップより狭径に延長され、前記押しホールの内側に挿入されるキャップ支持部と、を含み、前記第１弾性体は、前記キャップ支持部に挿入されるが、一端が、前記押しキャップの下部面と接触する化粧容器。
【請求項３９】
前記押しキャップは、断面が円形であり、下部面に空間を具備するキャップ状であるキャップ部、前記キャップ部の開口面を形成する末端の枠に沿って外面に突出し、前記押しホールの内面に固定される押しキャップ固定部、前記キャップ部の内側中心部から下部側に突出する挿入リブ、及び前記挿入リブの外面に突出される第１締結突起からなり、
前記キャップ支持部の上部面には、前記挿入リブが挿入される挿入収納部と、前記挿入収納部の外面に凹状に具備され、前記第１締結突起と締結する第１締結溝部と、を含み、
前記キャップ支持部の下部面には、前記キャップ支持部の長手方向に、内側に凹状の下部流入口が具備されることを特徴とする請求項３８に記載の化粧容器。
【請求項４０】
前記キャップ支持部の外面において、下部面に隣接するように具備される第１シーリング部材と、前記第１シーリング部材から、一定間隔上部側に離隔されて具備される第２シーリング部材と、を含み、
前記第１シーリング部材及び第２シーリング部材間の外面には、前記キャップ支持部を横方向に貫通する液状伝達通路が具備され、
前記液状伝達通路は、前記下部流入口と連通されるように具備されることを特徴とする請求項３９に記載の化粧容器。
【請求項４１】
前記押しホールの一側には、前記第１方向に垂直である第２方向に連結され、液状が外部に流出する液状流出部と連通される第１開放ホールが具備され、前記押しホールの他側には、前記第２方向に平行になるように連結され、前記本体の保存空間と連通される第２開放ホールが具備され、
前記押し部材に外力が印加されれば、前記第１弾性体が圧縮され、前記押し部材の少なくとも一部が、前記押しホールの内部に挿入され、前記液状は、前記液状伝達通路を介して、前記第１開放ホールに流出されるが、前記第１開放ホールと前記第２開放ホールは、前記第１シーリング部材及び第２シーリング部材の間に位置し、
前記押し部材に印加された外力が解除されれば、前記第１弾性体が復元され、前記押し部材が、前記押しホールの上部側に移動し、前記押しホール内部には、前記第２開放ホールを介して液状が流入することを特徴とする請求項４０に記載の化粧容器。
【請求項４２】
前記押し部材は、
前記押しホールに挿入され、前記押しホールに挿入される方向である第１方向に移動するか、あるいは前記第１方向の反対方向に排出されるように位置移動するとき、前記押しホールの内周面に沿ってスライディングされる第１シーリング部材と、
前記押しホールに挿入され、前記第１方向に移動するか、あるいは前記第１方向の反対方向に排出されるように位置移動するとき、前記押しホールの内部に具備される液状が、前記押しホールの外部に流出することを防止する第２シーリング部材と、を具備し、
前記第１シーリング部材及び第２シーリング部材は、互いに離隔されて具備され、前記押しホール内への空気流出入を防止することを特徴とする請求項４１に記載の化粧容器。
【請求項４３】
前記シリンダ部は、
前記本体から液状が流出される方向に垂直である第１方向に、前記本体の一側面が開口され、前記押し部材の一部を収納する押しホールと、
前記押しホールの一側において、前記第１方向に垂直である第２方向に連結され、液状が外部に流出する液状流出部と連通される第１開放ホールと、
前記押しホールの他側において、前記第２方向に平行になるように連結され、前記本体の保存空間と連通される第２開放ホールと、
前記第２開放ホールより広径に連結されるが、前記保存空間内に延長され、内部が貫通形成される円筒管と、
前記円筒管末端の少なくとも一部を覆うように具備されるが、前記第２開放ホールと連通される第１開口部が、前記円筒管の末端に隣接するように具備され、前記保存空間と連通される第２開口部を具備するカバー部と、
前記カバー部の内側において、前記第２開口部を可逆的に開閉するように具備される開閉部と、
前記開閉部移動を制御するように、前記カバー部の内側に具備される開閉部支持部と、を含むことを特徴とする請求項４１に記載の化粧容器。
【請求項４４】
前記押しホールの内部は、前記キャップ支持部より広い面積に具備されるが、前記押しホールの内部面に離隔されて具備される側壁部をさらに含み、
前記キャップ支持部は、前記側壁部内部に挿入され、前記第１シーリング部材及び第２シーリング部材は、前記側壁部の内面と接触し、
前記第１弾性体は、前記側壁部の外面と、前記押しホールの外面との間に具備されることを特徴とする請求項４１に記載の化粧容器。
【請求項４５】
前記側壁部は、前記第１開放ホールの入口側と、前記第１開放ホールの入口側と対面する前記第２開放ホールの出口側とから、上部側に垂直に延長されて形成され、
前記液状は、前記保存空間において、前記第２開放ホールの出口側を介して、前記側壁部と前記キャップ支持部との間に流入され、前記液状は、入口側を側壁部と前記キャップ支持部との間において、前記第１開放ホールの入口側を介して排出されることを特徴とする請求項４４に記載の化粧容器。
【請求項４６】
前記円筒管の内周縁は、前記第２開放ホールを取り囲むように、前記第２開放ホールの内径よりさらに大きく具備され、
前記カバー部は、前記第１開口部側が、前記円筒管の内部に挿入され、前記第２開口部側は、前記円筒管の外側に具備されるが、前記第２開口部の外側面がテーパになるように具備されることを特徴とする請求項４１に記載の化粧容器。
【請求項４７】
前記円筒管には、第１締結部を具備し、前記カバー部には、前記第１締結部と締結する第２締結部を具備し、前記カバー部は、前記円筒管に密接して接触して固定され、
前記円筒管の貫通されて具備される内部は、前記カバー部の第２開放ホールに対応するように具備され、前記カバー部の第２開口部を介して、液状が連通されるように具備されることを特徴とする請求項４６に記載の化粧容器。
【請求項４８】
前記円筒管は、前記開放ホールを取り囲むように、前記開放ホールの内径より前記円筒管の内径がさらに大きく具備され、
前記カバー部は、第１開口部の直径が第２開口部の直径より大きく具備されるように、断面が円形であり、他側に行くほど断面がだんだんと小さくなるように具備され、
前記開閉部支持部は、スプリング状に具備され、前記円筒管内に具備され、
前記開閉部は、前記開閉部支持部の末端で球形に具備され、前記開閉部支持部に加えられる外力により、可逆的に、前記カバー部の第２開口部を開閉させることを特徴とする請求項４１に記載の化粧容器。
【請求項４９】
前記円筒管の外面には、第１締結部を具備し、前記カバー部の内側には、前記第１締結部と締結する第２締結部を具備し、前記カバー部は、前記円筒管に密接して接触して固定され、
前記円筒管は、前記カバー部の内側に挿入され、前記開放ホールと、前記カバー部の第２開口部とが互いに流体が連通されるように具備されることを特徴とする請求項４８に記載の化粧容器。
【請求項５０】
前記本体の先端に結合されるように、前記押しホールに対応する位置に、内側に凹状の第２ラウンド部を具備する内部キャップと、
前記液状流出部を収納する収納空間を具備し、前記内部キャップと結合する外部キャップと、をさらに含み、
前記本体には、順次に内部キャップ及び外部キャップが結合され、前記内部キャップの少なくとも一部は、前記外部キャップと本体最外面とに対応するように具備されるが、  前記第２ラウンド部は、前記外部キャップと本体最外面とに対して、内側に凹状になるように具備されることを特徴とする請求項３８に記載の化粧容器。
【請求項５１】
前記押し部材は、前記第１弾性体の弾性変形により、前記押し部材の位置移動が可逆的に制御され、
前記押し部材に外力が加えられれば、前記押しホールに収容された液状のうち、第１体積の液状が、前記第１開放ホールを介して、前記液状流出部に流出され、
前記押し部材に印加された外力が解除されれば、前記液状流出部に流出された前記第１体積の液状に対応する体積の液状が、前記第２開放ホールを介して、前記保存空間から前記押しホールに流入されることを特徴とする請求項４１に記載の化粧容器。
【請求項５２】
前記本体の保存空間は、可逆的に体積が変わる第１保存空間及び第２保存空間を含み、  前記第１保存空間は、前記押しホールに伝達される液状が収容され、前記第２保存空間は、外部から流入される空気が具備され、
前記押し部材に印加された外力が解除されれば、前記第１保存空間に保存された液状のうち、前記第１体積の液状と同一体積の液状が、前記円筒管と第２開放ホールとを介して、前記押しホールに流入され、
前記第１体積ほど前記第１保存空間の体積が縮小され、前記第２保存空間は、前記第１体積ほど体積が増大されることを特徴とする請求項４１に記載の化粧容器。
【請求項５３】
前記本体の内部に挿入され、前記本体の下部領域の貫通領域を密閉し、内部には、前記圧着部を具備するが、前記圧着部により、第１保存空間及び第２保存空間に分割されるが、前記第１保存空間に液状を具備する液状提供部をさらに含み、
前記液状提供部は、
前記本体の内部に挿入される部分である一面が開口され、順次に第１保存空間及び第２保存空間を具備する円筒状に具備されるが、前記一面が対面する他面は、前記本体の後端部を覆うが、外部と連通される空気循環ホールを具備し、
前記第２保存空間は、
前記圧着部と前記空気循環ホールとの間に形成され、
前記第１保存空間の大きさが、前記第１体積ほど縮小される場合、前記空気循環ホールを介して、第１体積ほど外部空気が流入されて圧着部を加圧し、前記第２保存空間の大きさを、前記第１体積ほどさらに拡張させることを特徴とする請求項３８に記載の化粧容器。
【請求項５４】
前記液状提供部は、前記一面に隣接した外面にＯリングを具備し、前記本体の内部において、前記Ｏリングが載置される部分は、段差がつくように具備され、前記液状提供部と前記本体との間を密接に結合させ、
前記液状提供部の他面に隣接した外面は、前記本体の内部に挿入されて締結され、前記液状提供部の他面は、前記本体の側面の末端に対応して具備されることを特徴とする請求項５３に記載の化粧容器。
【請求項５５】
前記液状流出部は、
前記内部キャップの外側に突出し、前記液状が外部に流出する流出ホールと、前記内部キャップの内側に具備され、前記第１開放ホールの先端部の内側に挿入結合される結合部と、からなり、
前記結合部が、前記第１開放ホールの先端部に挿入結合される場合、前記結合部の外面と、前記第１開放ホールの内面との間には、離隔空間が形成され、
前記結合部は、前記流出ホールと連通される第１連通空間を形成し、前記第１連通空間と前記離隔空間とを連通する第１通孔を具備する第１結合部、前記押しホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することを特徴とする請求項３８に記載の化粧容器。
【請求項５６】
前記開閉部は、
前記押し部材に、前記外力が印加される場合、前記収容空間において、前記第１開放ホールの先端部方向に移動する液状による圧力によって弾性変形され、前記第２通孔を開放させ、前記圧力が弱くなる場合、前記弾性変形による復元力によって復元され、前記第２通孔を閉鎖する請求項５５に記載の化粧容器。
【請求項５７】
前記液状流出部は、
前記内部キャップの外側に突出し、前記液状が外部に流出する流出ホールと、前記内部キャップの内側に具備され、前記第１開放ホールの先端部の内側に挿入結合される結合部と、からなり、
前記第１開放ホールの先端部の内径は、前記押し部材の側面と対面する前記第１開放ホールの後端部の内径より大きく形成され、
前記結合部の末端と、前記第１開放ホールの先端部の内側外周面との間に置かれる第２弾性部、及び前記第２弾性部の後端に置かれ、前記第１開放ホールの後端部の内径より大きい径を有する流出調整ボールをさらに含むことを特徴とする請求項５５に記載の化粧容器。
【請求項５８】
前記流出調整ボールは、
前記押し部材に、前記外力が印加される場合、前記保存空間に具備された液状は、前記第１開放ホールを介して移動し、前記流出調整ボールを加圧し、前記第２弾性部を圧縮させることにより、前記液状が、前記第１開放ホールの先端部を介して、前記液状流出部を介して排出させ、
前記液状が、前記流出調整ボールの加圧する圧力が低下する場合、前記第２弾性部の復元力により、前記流出調整ボールは、前記第１開放ホールの後端を閉鎖することを特徴とする請求項５７に記載の化粧容器。
【発明の詳細な説明】
【技術分野】
【０００１】
本発明は、化粧容器に係り、さらに詳細には、常時一定量の化粧液状を円滑に流出させることができて使い勝手のよい化粧容器に関する。
【背景技術】
【０００２】
一般的に、化粧容器は、ねじ部が形成された瓶口を有する化粧容器に化粧液を保存する。そして、瓶口のねじ部に栓を兼ねた取っ手が螺合される。栓を兼ねた取っ手の内部中央下端には、ブラシが敷設された化粧液塗布部材が具備される。
前述のように構成された一般的な化粧容器は、栓を回したり開放したりして、化粧液が保存された化粧容器を開いた後、化粧液が染みているブラシを使用する。
【０００３】
しかし、かような従来の化粧容器（特許文献１）は、手を加える部位に化粧液を塗るとき、ブラシに頻繁に化粧液を塗らなければならない。そのとき、ブラシを化粧容器に浸して取り出すことを反復しなければならないので、外部空気が化粧容器内部に流入し、化粧液が容易に固まるという短所があった。
【０００４】
また、化粧液には、アルコール成分が含有されているために、製品の特性上、揮発性が強く、栓をしっかりと密閉させない以上、容易に揮発してしまう問題点が常時内在していた。従って、従来の化粧容器の栓は、確実な密閉力を維持することができず、化粧容器内の化粧液が揮発し、化粧液が固まったり変質したりして、製品としての機能が喪失されるという問題点があった。
【先行技術文献】
【特許文献】
【０００５】
【特許文献１】韓国登録特許第１０−１３１８６７３号
【発明の概要】
【発明が解決しようとする課題】
【０００６】
前述のような従来技術の問題点を解決するために、本発明においては、常時一定量の化粧液を円滑に流出させることができて使い勝手のよい化粧容器を提案する。
また、本発明の他の目的は、化粧容器が密閉されており、化粧液の変質及び固化を防止することができる化粧容器を提供することである。
【０００７】
また、本発明のさらに他の目的は、制御されていない外力によっての化粧液漏出が発生せず、携帯が容易な化粧容器を提供することである。
【０００８】
また、本発明のそれ以外の目的は、狭幅を有する化粧容器において、外側突出部分が形成されず、優秀な審美感を提供しながら、スリム化されて小型化された化粧容器を提供するものである。
【０００９】
また、本発明のさらなる目的は、押し部材の移動を制御する弾性体などを化粧液と断絶させ、化粧液の移動通路に不要な部材などが省略されることにより、化粧液の特性を長期間均一に維持することができる化粧容器を提供するものである。
【００１０】
本発明の他の目的は、下記実施形態を介して、当業者によって導き出されるであろう。
【課題を解決するための手段】
【００１１】
本発明の一実施形態による化粧容器は、上部の一側面に押し部材が挿入される押し溝が形成され、内部が貫通形成されて液状が保存される保存空間が形成される本体、前記本体に挿入され、内部が貫通形成され、一側端に液状が流出される液状流出部が結合される液状ガイド部、及び前記液状ガイド部と連結され、下側面に形成された開放ホールを介して、前記本体に保存された液状が流入する収容空間を形成し、前記液状ガイド部と連通される連通ホールと、前記押し溝に対応する位置に貫通ホールが形成される収容部と、を具備するシリンダ部、並びに前記本体の先端に結合されるキャップを含み、前記押し部材は、外力が印加されれば、少なくとも一部分が、前記収容空間内に挿入されるように、第１方向に位置移動され、前記収容空間に収容された液状のうち第１体積の液状が、前記連通ホールを介して、前記液状流出部に流出され、前記外力が解除されれば、前記第１方向と反対方向である第２方向に位置移動され、前記液状流出部に流出された前記第１体積の液状と同一体積の液状が、前記開放ホールを介して、前記保存空間から前記収容空間に流入されることになる。
【００１２】
本発明の一実施形態による化粧容器の前記キャップは、前記キャップの末端から、前記本体の押し部材に向けて突出する締結リブをさらに含み、前記押し部材は、外力を印加される押し部と、前記押し部の下部で連結され、前記押し部を支持するが、前記押し部より小さい外径に具備される外径減少部と、を含み、前記締結リブは、前記外径減少部に向けて延長されるが、前記締結リブの末端は、前記外径減少部の外面に対応するようにラウンドされるように具備され、前記本体の先端に結合されたキャップから突出した締結リブは、前記外径減少部の外壁に向けて突出し、前記押し部の下部を支持し、前記押し部の位置移動を防止することができる。
【００１３】
本発明の一実施形態による化粧容器の前記押し部材は、前記第１弾性部と前記収容部との間に配置され、前記外力の印加いかんにより、前記開放ホールを開放したり閉鎖したりする開閉部をさらに具備することができる。
【００１４】
本発明の一実施形態による化粧容器の前記開閉部は、前記外力によって弾性変形された前記第１弾性部によって加圧され、前記開放ホールを閉鎖し、前記外力の解除による前記第１弾性部の加圧力低下により、前記開放ホールの少なくとも一部を開放させることができる。
【００１５】
本発明の一実施形態による化粧容器の前記開放ホールは、前記開閉部の少なくとも一部分が挿入されるように、前記開閉部の外面と対応する形状にも形成される。
【００１６】
本発明の一実施形態による化粧容器の前記押し部材は、前記挿入部に結合されたまま、前記第１方向から前記第２方向、または前記第２方向から前記第１方向への位置移動時、前記収容空間から外部への前記液状の流出を防止する第１シーリング部材をさらに具備することができる。
【００１７】
本発明の一実施形態による化粧容器の前記第１シーリング部材は、前記押し溝を介した前記収容空間への空気の流出入を防止することができる。
【００１８】
本発明の一実施形態による化粧容器の前記押し部材は、前記挿入部に結合されたまま、前記第１方向から前記第２方向、または前記第２方向から前記第１方向への位置移動時、前記収容部の内周面に沿ってスライディングされる第２シーリング部材をさらに具備することができる。
【００１９】
本発明の一実施形態による化粧容器の前記挿入部は、前記収容部の内径と対応する大きさの外径に形成される挿入部中端部、前記挿入部中端部の外径より小さく形成される外径に形成される挿入部前端部、及び挿入部後端部によって構成され、前記第１シーリング部材は、前記挿入部前端部に結合されたまま、前記挿入部中端部の外径より外側方向に突出して形成されるが、前記収容部との接触によって圧着され、前記収容部の内径と対応する大きさに変形され、前記第２シーリング部材は、前記挿入部後端部に結合されたまま、前記挿入部中端部の外径より外側方向に突出して形成されるが、前記収容部との接触によって圧着され、前記収容部の内径と対応する大きさにも変形される。
【００２０】
本発明の一実施形態による化粧容器は、前記本体の保存空間に配置され、前記保存空間を、第１保存空間及び第２保存空間に分割し、前記シリンダ部との間に形成された前記第１保存空間に、前記液状が保存され、前記押し部材に印加された外力が解除され、前記第１保存空間に保存された液状のうち、前記第１体積の液状と同一体積の液状が、前記開放ホールを介して、前記収容空間に流入されれば、前記本体の内側面に沿って位置移動され、前記第１保存空間の大きさが、前記第１体積ほど縮小されるようにする圧着部をさらに含んでもよい。
【００２１】
本発明の一実施形態による化粧容器は、前記本体の下部領域の貫通領域を密閉する密閉部材をさらに含み、前記第２保存空間は、前記圧着部と前記密閉部材との間に形成され、前記第１保存空間の大きさが、前記第１体積ほど縮小される場合、前記第２保存空間の大きさは、前記第１体積ほど拡張されてもよい。
【００２２】
本発明の一実施形態による化粧容器の前記密閉部材は、前記第２保存空間と外部とが連通される空気循環ホールを具備し、前記空気循環ホールは、前記第２保存空間が、前記第１体積ほど拡張される場合、前記第１体積と同一体積の外部空気が、前記第２保存空間に流入されるようにする通路を提供することができる。
【００２３】
本発明の一実施形態による化粧容器の前記液状流出部は、上部領域に形成されたまま、前記液状が外部に流出されるホールを形成する流出ホール、及び下部領域に形成されるが、前記液状ガイド部の先端部に挿入結合される結合部を具備することができる。
【００２４】
本発明の一実施形態による化粧容器の前記流出ホールは、断面が楕円形態にも形成される。
【００２５】
本発明の一実施形態による化粧容器の前記液状ガイド部先端部の内径は、前記液状ガイド部の中端部の内径より大きく形成され、前記結合部は、前記液状ガイド部の先端部に挿入結合され、前記結合部の外周面と、前記液状ガイド部先端部の内側外周面との間に置かれる第２弾性部、及び前記第２弾性部の後端に置かれ、前記液状ガイド部の中端部の内径より大きい径を有する流出調整ボールをさらに含んでもよい。
【００２６】
本発明の一実施形態による化粧容器の前記流出調整ボールは、前記押し部材に、前記外力が印加される場合、前記連通ホールを介して、前記液状ガイド部の先端部方向に移動される液状による圧力によって第３方向に移動され、前記圧力が弱くなる場合、前記第２弾性部により、前記第３方向の反対方向である第４方向に移動され、前記液状ガイド部の先端部と中端部との境界領域に形成された流入孔を閉鎖することができる。
【００２７】
本発明の一実施形態による化粧容器は、前記本体の保存空間に着脱可能になるように挿入され、前記本体の下部領域の貫通領域を密閉するリフィル提供部を含み、前記リフィル提供部は、前記本体の保存空間に挿入されたまま、リフィル保存空間を提供する本体部挿入部、前記リフィル保存空間を、第３保存空間及び第４保存空間に分割し、前記シリンダ部との間に形成された前記第３保存空間に、前記液状が保存され、前記押し部材に印加された外力が解除され、前記第３保存空間に保存された液状のうち、前記第１体積の液状と同一体積の液状が、前記開放ホールを介して、前記収容空間に流入されれば、前記本体部挿入部の内側面に沿って位置移動され、前記第１保存空間の大きさが、前記第１体積ほど縮小されるようにする圧着部、及び前記リフィル保存空間を密閉すると共に、前記本体の下部領域の貫通領域を密閉するリフィル密閉部を具備することができる。
【００２８】
本発明の一実施形態による化粧容器の前記リフィル提供部は、前記本体と、ねじ山構造によって、結合されたり結合解除されたりもする。
【００２９】
本発明の一実施形態による化粧容器の前記リフィル密閉部は、外面から突出して形成されるが、貫通孔が形成されるリフィル解除部を具備し、前記貫通孔に挿入される環状部材を介して印加された外力により、前記リフィル提供部が前記本体から離脱されることになる。
【００３０】
本発明の他の実施形態による化粧容器は、上部の一側面に押し部材が挿入される押し溝が形成され、内部が貫通形成されて液状が保存される保存空間が形成される本体、前記本体内に形成され、内部が貫通形成され、一側端に液状が流出される液状流出部が結合される液状ガイド部、及び前記液状ガイド部と連結され、一側に形成された開放ホールを介して、前記本体に保存された液状が流入する収容空間を形成し、前記液状ガイド部と連通される連通ホールと、前記押し溝に対応する位置に貫通ホールが形成される収容部と、を具備するシリンダ部、並びに前記本体の先端に結合されるキャップを含み、前記押し部材は、外力が印加されれば、少なくとも一部分が、前記収容空間内に挿入されるように、第１方向に位置移動され、前記収容空間に収容された液状のうち第１体積の液状が、前記連通ホールを介して、前記液状流出部に流出され、印加された外力が解除されれば、前記第１方向と反対方向である第２方向に位置移動され、前記液状流出部に流出された前記第１体積の液状と同一体積の液状が、前記開放ホールを介して、前記保存空間から前記収容空間に流入され、前記押し部材は、前記本体の外部に突出し、前記外力を印加される押し部、前記押し部の下部に延設され、前記貫通ホールに挿入される挿入部、及び前記挿入部と連結されたまま、前記外力が印加されれば弾性変形され、印加された外力が解除されれば、前記弾性変形による復元力によって復元される第１弾性部を具備し、前記挿入部は、前記押し部に前記外力が印加されれば、第１位置から第２位置に位置移動され、前記押し部に印加された外力が解除されれば、前記第１弾性部により、前記第２位置から前記第１位置に位置移動され、前記第２位置に位置した場合、前記開放ホールを閉鎖し、前記開放ホールを介した液状の位置移動を制限し、前記第１位置に位置した場合、前記開放ホールを開放し、前記開放ホールを介した液状の位置移動を自由にすることができる。
【００３１】
本発明の一実施形態による化粧容器の前記キャップは、前記キャップの末端から、前記本体の押し部材に向けて突出する締結リブをさらに含み、前記押し部材は、外力を印加される押し部と、前記押し部の下部で連結され、前記押し部を支持するが、前記押し部より小さい外径に具備される外径減少部と、を含み、前記締結リブは、前記外径減少部に向けて延長されるが、前記締結リブの末端は、前記外径減少部の外面に対応するようにラウンドされるように具備され、前記本体の先端に結合されたキャップから突出した締結リブは、前記外径減少部の外壁に向けて突出し、前記押し部の下部を支持し、前記押し部の位置移動を防止することができる。
【００３２】
本発明の一実施形態による化粧容器の前記押し部材は、前記挿入部に結合されたまま、前記第１方向から前記第２方向、または前記第２方向から前記第１方向への位置移動時、前記収容空間から外部への前記液状の流出を防止する第１シーリング部材をさらに具備することができる。
【００３３】
本発明の一実施形態による化粧容器の前記第１シーリング部材は、前記押し溝を介した前記収容空間への空気の流出入を防止することができる。
【００３４】
本発明の一実施形態による化粧容器の前記押し部材は、前記挿入部に結合されたまま、前記第１方向から前記第２方向、または前記第２方向から前記第１方向への位置移動時、前記収容部の内周面に沿ってスライディングされる第２シーリング部材をさらに具備することができる。
【００３５】
本発明の一実施形態による化粧容器の前記挿入部は、前記収容部の内径と対応する大きさの外径に形成される挿入部中端部、前記挿入部中端部の外径より小さく形成される外径に形成される挿入部前端部、及び挿入部後端部によって構成され、前記第１シーリング部材は、前記挿入部前端部に結合されたまま、前記挿入部中端部の外径より外側方向に突出して形成されるが、前記収容部との接触によって圧着され、前記収容部の内径と対応する大きさに変形され、前記第２シーリング部材は、前記挿入部後端部に結合されたまま、前記挿入部中端部の外径より外側方向に突出して形成されるが、前記収容部との接触によって圧着され、前記収容部の内径と対応する大きさにも変形される。
【００３６】
本発明の一実施形態による化粧容器は、前記本体の保存空間に配置され、前記保存空間を、第１保存空間及び第２保存空間に分割し、前記シリンダ部との間に形成された前記第１保存空間に、前記液状が保存され、前記押し部材に印加された外力が解除され、前記第１保存空間に保存された液状のうち、前記第１体積の液状と同一体積の液状が、前記開放ホールを介して、前記収容空間に流入されれば、前記本体の内側面に沿って位置移動され、前記第１保存空間の大きさが、前記第１体積ほど縮小されるようにする圧着部をさらに含んでもよい。
【００３７】
本発明の一実施形態による化粧容器は、前記本体の下部領域の貫通領域を密閉する密閉部材をさらに含み、前記第２保存空間は、前記圧着部と前記密閉部材との間に形成され、前記第１保存空間の大きさが、前記第１体積ほど縮小される場合、前記第２保存空間の大きさは、前記第１体積ほど拡張されてもよい。
【００３８】
本発明の一実施形態による化粧容器の前記密閉部材は、前記第２保存空間と外部とが連通される空気循環ホールを具備し、前記空気循環ホールは、前記第２保存空間が、前記第１体積ほど拡張される場合、前記第１体積と同一体積の外部空気が、前記第２保存空間に流入されるようにする通路を提供することができる。
【００３９】
本発明の一実施形態による化粧容器の前記液状流出部は、上部領域に形成されたまま、前記液状が外部に流出されるホールを形成する流出ホール、及び下部領域に形成されるが、前記液状ガイド部の先端部に挿入結合される結合部を具備することができる。
【００４０】
本発明の一実施形態による化粧容器は、前記結合部が、前記液状ガイド部の先端部に挿入結合される場合、前記結合部の外面と、前記液状ガイド部の内面との間には、離隔空間が形成され、前記結合部は、前記流出ホールと連通される第１連通空間を形成し、前記第１連通空間と前記離隔空間とを連通する第１通孔を具備する第１結合部、前記連通ホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することができる。
【００４１】
本発明の一実施形態による化粧容器の前記開閉部は、前記押し部材に、前記外力が印加される場合、前記連通ホールを介して、前記液状ガイド部の先端部方向に移動される液状による圧力によって弾性変形され、前記第２通孔を開放させ、前記圧力が弱くなる場合、前記弾性変形による復元力によって復元され、前記第２通孔を閉鎖することができる。
【００４２】
本発明の一実施形態による化粧容器は、前記本体の保存空間に着脱可能になるように挿入され、前記本体の下部領域の貫通領域を密閉するリフィル提供部を含み、前記リフィル提供部は、前記本体の保存空間に挿入されたまま、リフィル保存空間を提供する本体部挿入部、前記リフィル保存空間を、第３保存空間及び第４保存空間に分割し、前記シリンダ部との間に形成された前記第３保存空間に、前記液状が保存され、前記押し部材に印加された外力が解除され、前記第３保存空間に保存された液状のうち、前記第１体積の液状と同一体積の液状が、前記開放ホールを介して、前記収容空間に流入されれば、前記本体部挿入部の内側面に沿って位置移動され、前記第１保存空間の大きさが、前記第１体積ほど縮小されるようにする圧着部、及び前記リフィル保存空間を密閉すると共に、前記本体の下部領域の貫通領域を密閉するリフィル密閉部を具備することができる。
【００４３】
本発明の一実施形態による化粧容器の前記リフィル提供部は、前記本体と、ねじ山構造によって、結合されたり結合解除されたりもする。
【００４４】
本発明の一実施形態による化粧容器の前記リフィル密閉部は、外面から突出して形成されるが、貫通孔が形成されるリフィル解除部を具備し、前記貫通孔に挿入される環状部材を介して印加された外力により、前記リフィル提供部が前記本体から離脱されることになる。
【００４５】
本発明のさらに他の側面によれば、本発明の実施形態は、上部の一側面に押し部材が挿入される押し溝が形成され、内部が貫通形成されて液状が保存される保存空間が形成される本体、前記本体内に形成され、内部が貫通形成され、一側端に液状が流出される液状流出部が結合される液状ガイド部、及び前記液状ガイド部と連結され、一側に形成された開放ホールを介して、前記本体に保存された液状が流入する収容空間を形成し、前記液状ガイド部と連通される連通ホールと、前記押し溝に対応する位置に貫通ホールが形成される収容部と、を具備するシリンダ部、並びに前記本体の先端に結合されるキャップを含む。
【００４６】
本発明の一実施形態による化粧容器の前記キャップは、前記キャップの末端から、前記本体の押し部材に向けて突出する締結リブをさらに含み、前記押し部材は、外力を印加される押し部と、前記押し部の下部で連結され、前記押し部を支持するが、前記押し部より小さい外径に具備される外径減少部と、を含み、前記締結リブは、前記外径減少部に向けて延長されるが、前記締結リブの末端は、前記外径減少部の外面に対応するようにラウンドされるように具備され、前記本体の先端に結合されたキャップから突出した締結リブは、前記外径減少部の外壁に向けて突出し、前記押し部の下部を支持し、前記押し部の位置移動を防止することができる。
【００４７】
本発明の一実施形態による化粧容器の押し部材は、外力が印加されれば、少なくとも一部分が、前記収容空間内に挿入されるように、第１方向に位置移動され、前記収容空間に収容された液状のうち第１体積の液状が、前記連通ホールを介して、前記液状流出部に流出され、印加された外力が解除されれば、前記第１方向と反対方向である第２方向に位置移動され、前記液状流出部に流出された前記第１体積の液状と同一体積の液状が、前記開放ホールを介して、前記保存空間から前記収容空間に流入されることになる。
本発明の一実施形態による化粧容器の押し部材は、前記本体の外部に突出し、前記外力を印加される押し部、前記押し部の下部に延設され、前記貫通ホールに挿入される挿入部、及び前記挿入部と連結されたまま、前記外力が印加されれば弾性変形され、印加された外力が解除されれば、前記弾性変形による復元力によって復元される第１弾性部を具備することができる。
【００４８】
本発明の一実施形態による化粧容器のシリンダ部は、前記開放ホールと段差がつくように連結されて内部が貫通形成される円筒管、前記円筒管内に具備される開閉部支持部、前記開閉部支持部の末端に具備される開閉部、及び前記円筒管を覆うように具備されるが、一側及び他側が開口され、それぞれ第１開口部及び第２開口部を具備し、前記開閉部に対応する部分が円錐台型に具備されるカバー部をさらに含んでもよい。
【００４９】
本発明の一実施形態による化粧容器の挿入部は、前記押し部に前記外力が印加されれば、第１位置から第２位置に位置移動され、前記押し部に印加された外力が解除されれば、前記第１弾性部により、前記第２位置から前記第１位置に位置移動され、前記第２位置に位置した場合、前記開閉部支持部及び前記開閉部により、前記カバー部の第２開口部を閉鎖し、前記開放ホールを介した液状の位置移動を制限し、前記第２位置に位置した場合、前記第２開口部を開放し、前記開放ホールを介した液状の位置移動を自由にすることができる。
【００５０】
本発明の一実施形態による化粧容器の円筒管は、前記開放ホールを取り囲むように、前記開放ホールの内径より前記円筒管の内径がさらに大きく具備され、前記カバー部は、第１開口部の直径が第２開口部の直径より大きく具備されるように、断面が円形であり、他側に行くほど断面がだんだんと小さくなるように具備され、前記開閉部支持部は、スプリング状に具備され、前記円筒管内に具備され、前記開閉部は、前記開閉部支持部の末端で球形に具備され、前記開閉部支持部に加えられる外力によって可逆的に、前記カバー部の第２開口部を開閉させることができる。
【００５１】
本発明の一実施形態による化粧容器の円筒管の外面には、第１締結部を具備し、前記カバー部の内側には、前記第１締結部と締結する第２締結部を具備し、前記カバー部は、前記円筒管に密接して接触して固定され、前記円筒管は、前記カバー部の内側に挿入され、前記開放ホールと、前記カバー部の第２開口部とが互いに流体が連通されるようにも具備される。
【００５２】
本発明の一実施形態による化粧容器の押し部材は、前記挿入部に結合されたまま、前記第１方向から前記第２方向、または前記第２方向から前記第１方向への位置移動時、前記収容空間から外部への前記液状の流出を防止する第１シーリング部材をさらに具備することができる。
【００５３】
本発明の一実施形態による化粧容器の第１シーリング部材は、前記押し溝を介した前記収容空間への空気の流出入を防止することができる。
【００５４】
本発明の一実施形態による化粧容器の押し部材は、前記挿入部に結合されたまま、前記第１方向から前記第２方向、または前記第２方向から前記第１方向への位置移動時、前記収容部の内周面に沿ってスライディングされる第２シーリング部材をさらに具備することができる。
【００５５】
本発明の一実施形態による化粧容器の挿入部は、前記収容部の内径と対応する大きさの外径に形成される挿入部中端部、前記挿入部中端部の外径より小さい外径に形成される挿入部前端部、及び挿入部後端部によっても構成される。
【００５６】
本発明の一実施形態による化粧容器の第１シーリング部材は、前記挿入部前端部に結合されたまま、前記挿入部中端部の外径より外側方向に突出して形成されるが、前記収容部との接触によって圧着され、前記収容部の内径と対応する大きさに変形され、前記第２シーリング部材は、前記挿入部後端部に結合されたまま、前記挿入部中端部の外径より外側方向に突出して形成されるが、前記収容部との接触によって圧着され、前記収容部の内径と対応する大きさにも変形される。
【００５７】
本発明の一実施形態による化粧容器の本体の保存空間に配置され、前記保存空間を、第１保存空間及び第２保存空間に分割し、前記シリンダ部との間に形成された前記第１保存空間に、前記液状が保存され、前記押し部材に印加された外力が解除され、前記第１保存空間に保存された液状のうち、前記第１体積の液状と同一体積の液状が、円筒管と前記開放ホールとを介して、前記収容空間に流入されれば、前記本体の内側面に沿って位置移動され、前記第１保存空間の大きさが、前記第１体積ほど縮小されるようにする圧着部をさらに含んでもよい。
【００５８】
本発明の一実施形態による化粧容器の本体の下部領域の貫通領域を密閉する密閉部材をさらに含み、前記第２保存空間は、前記圧着部と前記密閉部材との間に形成され、前記第１保存空間の大きさが、前記第１体積ほど縮小される場合、前記第２保存空間の大きさは、前記第１体積ほど拡張されてもよい。
【００５９】
本発明の一実施形態による化粧容器の密閉部材は、前記第２保存空間と外部とが連通される空気循環ホールを具備し、前記空気循環ホールは、前記第２保存空間が、前記第１体積ほど拡張される場合、前記第１体積と同一体積の外部空気が、前記第２保存空間に流入されるようにする通路を提供することができる。
【００６０】
本発明の一実施形態による化粧容器の液状流出部は、上部領域に形成されたまま、前記液状が外部に流出されるホールを形成する流出ホール、及び下部領域に形成されるが、前記液状ガイド部の先端部に挿入結合される結合部を具備することができる。
【００６１】
本発明の一実施形態による化粧容器の結合部が、前記液状ガイド部の先端部に挿入結合される場合、前記結合部の外面と、前記液状ガイド部の内面との間には、離隔空間が形成され、前記結合部は、前記流出ホールと連通される第１連通空間を形成し、前記第１連通空間と前記離隔空間とを連通する第１通孔を具備する第１結合部、前記連通ホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することができる。
【００６２】
本発明の一実施形態による化粧容器の開閉部は、前記押し部材に、前記外力が印加される場合、前記連通ホールを介して、前記液状ガイド部の先端部方向に移動される液状による圧力によって弾性変形され、前記第２通孔を開放させ、前記圧力が弱くなる場合、前記弾性変形による復元力によって復元され、前記第２通孔を閉鎖することができる。
【００６３】
本発明の一実施形態による化粧容器の本体の保存空間に着脱可能になるように挿入され、前記本体の下部領域の貫通領域を密閉するリフィル提供部を含み、前記リフィル提供部は、前記本体の保存空間に挿入されたまま、リフィル保存空間を提供する本体部挿入部、前記リフィル保存空間を、第３保存空間及び第４保存空間に分割し、前記シリンダ部との間に形成された前記第３保存空間に、前記液状が保存され、前記押し部材に印加された外力が解除され、前記第３保存空間に保存された液状のうち、前記第１体積の液状と同一体積の液状が、前記円筒管と前記開放ホールを介して、前記収容空間に流入されれば、前記本体部挿入部の内側面に沿って位置移動され、前記第１保存空間の大きさが、前記第１体積ほど縮小されるようにする圧着部、及び前記リフィル保存空間を密閉すると共に、前記本体の下部領域の貫通領域を密閉するリフィル密閉部を具備することができる。
【００６４】
本発明の一実施形態による化粧容器のリフィル提供部は、前記本体と、ねじ山構造によって、結合されたり結合解除されたりもする。
【００６５】
本発明の一実施形態による化粧容器のリフィル密閉部は、外面から突出して形成されるが、貫通孔が形成されるリフィル解除部を具備し、前記貫通孔に挿入される環状部材を介して印加された外力により、前記リフィル提供部が前記本体から離脱されることになる。
【００６６】
本発明のさらに他の実施形態によれば、本実施形態による化粧容器において、前記液状流出部は、上部領域に形成されたまま、前記液状が外部に流出されるホールを形成する流出ホール、及び下部領域に形成されるが、前記液状ガイド部の先端部に挿入結合される結合部を具備することができる。
【００６７】
本発明の一実施形態による化粧容器の流出ホールは、断面が楕円形態に形成され、前記液状ガイド部先端部の内径は、前記液状ガイド部の中端部の内径より大きく形成され、前記結合部は、前記液状ガイド部の先端部にも挿入結合される。
【００６８】
本発明の一実施形態による化粧容器の結合部の外周面と、前記液状ガイド部先端部の内側外周面との間に置かれる第２弾性部、及び前記第２弾性部の後端に置かれ、前記液状ガイド部の中端部の内径より大きい径を有する流出調整ボールをさらに含んでもよい。
【００６９】
本発明の一実施形態による化粧容器の流出調整ボールは、前記押し部材に、前記外力が印加される場合、前記連通ホールを介して、前記液状ガイド部の先端部方向に移動される液状による圧力によって第３方向に移動され、前記圧力が弱くなる場合、前記第２弾性部により、前記第３方向の反対方向である第４方向に移動され、前記液状ガイド部の先端部と中端部との境界領域に形成された流入孔を閉鎖することができる。
【００７０】
本発明の一側面によれば、本発明の実施形態は、上部の一側面に第１方向に押しホールが形成され、内部が貫通形成されて液状が保存される保存空間が形成される本体と、前記押しホールに挿入されるが、一端は、前記押しホールの外側に突出し、他端には、内部に下部流入口が具備される押し部材と、前記押しホールの底面に隣接するように具備され、少なくとも一部が、前記下部流入口の内部に挿入される第１弾性体と、前記本体の一端に具備され、前記液状が、前記本体内の保存空間から、液状流出部を介して外部に排出される通路を提供するシリンダ部と、を含み、前記本体の押しホールが具備される部分は、内側に凹状の第１ラウンド部を具備し、前記押し部材一端の最外面は、前記本体の最外面に対応するように具備される化粧容器を含む。
【００７１】
本発明の一実施形態による化粧容器は、本体の先端に結合されるように、前記押しホールに対応する位置に、内側に凹状の第２ラウンド部を具備する内部キャップと、前記液状流出部を収納する収納空間を具備し、前記内部キャップと結合する外部キャップと、をさらに含み、前記本体には、順次に内部キャップ及び外部キャップが結合され、前記内部キャップの少なくとも一部は、前記外部キャップと本体最外面とに対応するように具備されるが、前記第２ラウンド部は、前記外部キャップと本体最外面とに対して、内側に凹状になるようにも具備される。
【００７２】
本発明の一実施形態による化粧容器のシリンダ部は、前記本体から液状が流出される方向に垂直である第１方向に、前記本体の一側面が開口され、前記押し部材の一部を収納する押しホールと、前記押しホールの一側において、前記第１方向に垂直した第２方向に連結され、液状が外部に流出される液状流出部と連通される第１開放ホールと、前記押しホールの他側において、前記第２方向に平行になるように連結され、前記本体の保存空間と連通される第２開放ホールと、前記第２開放ホールより広径に連結されるが、前記保存空間内に延長されて内部が貫通形成される円筒管と、前記円筒管末端の少なくとも一部を覆うように具備されるが、前記第２開放ホールと連通される第１開口部が、前記円筒管の末端に隣接するように具備され、前記保存空間と連通される第２開口部を具備するカバー部と、前記カバー部の内側において、前記第２開口部を可逆的に開閉するように具備される開閉部と、前記開閉部移動を制御するように、前記カバー部の内側に具備される開閉部支持部と、を含んでもよい。
【００７３】
本発明の一実施形態による化粧容器の円筒管の内周縁は、前記第２開放ホールを取り囲むように、前記第２開放ホールの内径よりさらに大きく具備され、前記カバー部は、前記第１開口部側が前記円筒管の内部に挿入され、前記第２開口部側は、前記円筒管の外側に具備されるが、前記第２開口部の外側面がテーパになるように具備され、前記開閉部支持部は、前記カバー部の内側に突出される１以上のリブをを含んでもよい。
【００７４】
前記円筒管には、第１締結部を具備し、前記カバー部には、前記第１締結部と締結する第２締結部を具備し、前記カバー部は、前記円筒管に密接して接触して固定され、前記円筒管の貫通されて具備される内部は、前記カバー部の第２開放ホールに対応するように具備され、前記カバー部の第２開口部を介して液状が連通されるようにも具備される。
【００７５】
本発明の一実施形態による化粧容器の押し部材は、前記第１弾性体の弾性変形により、前記押し部材の位置移動が可逆的に制御され、前記押し部材に外力が加えられれば、前記押しホールに収容された液状のうち第１体積の液状が、前記第１開放ホールを介して、前記液状流出部に流出され、前記押し部材に印加された外力が解除されれば、前記液状流出部に流出された前記第１体積の液状に対応する体積の液状が、前記第２開放ホールを介して、前記保存空間から前記押しホールにも流入される。
【００７６】
前記押し部材は、前記押しホールの内側に挿入されるように、断面が円形である円筒状に具備され、前記押し部材の底面から前記押し部材の長手方向に、内側に凹状の下部流入口が具備されるフランジ部と、前記フランジ部の上部に延長されるが、前記フランジ部より狭径の円筒状に具備され、上部側には、内側に凹状の貫通ホールを具備したヘッド支持部と、前記押しホールの外部に露出されて外力が印加される押し部、及び前記押し部の下部に延長され、前記貫通ホールに挿入される挿入部からなるヘッド部と、前記フランジ部の外面で互いに離隔されて具備される１対の第１シーリング部材及び第２シーリング部材と、を含んでもよい。
【００７７】
本発明の一実施形態による化粧容器のフランジ部は、前記フランジ部の一側及び他側を貫通するように、前記第１方向に垂直である第２方向に延長されて具備されるが、前記下部流入口と連通される液状伝達通路がさらに具備され、前記第１シーリング部材は、前記フランジ部の下部に隣接するように具備され、前記第２シーリング部材は、前記フランジ部の上部に隣接するように具備され、前記液状伝達通路は、前記第１シーリング部材及び第２シーリング部材の間に具備され、前記下部流入部を横方向に貫通するようにも具備される。
【００７８】
本発明の一実施形態による化粧容器の押しホールの一側には、前記第１方向に垂直である第２方向に連結され、液状が外部に流出される液状流出部と連通される第１開放ホールが具備され、前記押しホールの他側には、前記第２方向に平行になるように連結され、前記本体の保存空間と連通される第２開放ホールが具備され、前記押し部材に外力が印加されれば、前記第１弾性体が圧縮され、前記押し部の少なくとも一部が、前記押しホールの内部に挿入され、前記押し部内部に具備される液状は、前記液状伝達通路を介して、前記第１開放ホールに流出されるが、前記第１開放ホールと前記第２開放ホールは、前記第１シーリング部材及び第２シーリング部材の間に位置し、本発明の一実施形態による化粧容器の押し部材に印加された外力が解除されれば、前記第１弾性体が復元され、前記押し部が前記押しホールの外側に突出し、前記押し部内部には、前記第２開放ホールを介して液状が流入する。
【００７９】
前記押し部材は、前記押しホールに挿入され、前記押しホールに挿入される方向である第１方向に移動するか、あるいは前記第１方向の反対方向に排出されるように位置移動されるとき、前記押しホールの内周面に沿ってスライディングされる第１シーリング部材と、前記押しホールに挿入され、前記押しホールに挿入される方向である第１方向に移動するか、あるいは前記第１方向の反対方向に排出されるように位置移動されるとき、前記押しホールの内部に具備される液状が、前記押しホールの外部に流出することを防止する第２シーリング部材と、を具備し、前記第１シーリング部材及び第２シーリング部材は、互いに離隔されて具備され、前記押しホール内への空気流出入を防止することができる。
【００８０】
本発明の一実施形態による化粧容器の第１弾性体は、前記下部流入口の直径より大きく具備され、前記押し部材の下部面に接触するようにも具備される。
【００８１】
代案として、前記第１弾性体は、前記下部流入口の直径より小さく具備され、前記第１弾性体の少なくとも一部は、前記下部流入口に挿入されるが、残りの一部は、前記押し部材の下部側において、前記押し部材に弾性力を提供することができる。
【００８２】
本発明の一実施形態による化粧容器の押し部材は、前記第１シーリング部材及び第２シーリング部材により、前記押しホールの外壁から離隔されて具備される。
【００８３】
代案として、前記押し部材において、前記第１シーリング部材及び第２シーリング部材の間は、内側に凹状になるようにも連結される。
【００８４】
本発明の一実施形態による化粧容器の本体の保存空間は、可逆的に体積が変わる第１保存空間及び第２保存空間を含み、前記第１保存空間は、前記押しホールに伝達される液状が収容され、前記第２保存空間は、外部から流入される空気が具備され、前記押し部材に印加された外力が解除されれば、前記第１保存空間に保存された液状のうち、前記第１体積の液状と同一体積の液状が、前記円筒管と第２開放ホールとを介して、前記押しホールに流入され、前記第１体積ほど前記第１保存空間の体積が縮小され、前記第２保存空間は、前記第１体積ほど体積が増大される。
【００８５】
前記本体の内部に挿入され、前記本体の下部領域の貫通領域を密閉し、内部には、前記圧着部を具備するが、前記圧着部により、第１保存空間及び第２保存空間に分割されるが、前記第１保存空間に液状を具備する液状提供部をさらに含んでもよい。
【００８６】
本発明の一実施形態による化粧容器の液状提供部は、前記本体の内部に挿入される部分である一面が開口され、順次に第１保存空間及び第２保存空間を具備する円筒状に具備されるが、前記一面が対面する他面は、前記本体の後端部を覆うが、外部と連通される空気循環ホールを具備することができる。
【００８７】
本発明の一実施形態による化粧容器の第２保存空間は、前記圧着部と前記空気循環ホールとの間に形成され、前記第１保存空間の大きさが、前記第１体積ほど縮小される場合、前記空気循環ホールを介して、第１体積ほど外部空気が流入されて圧着部を加圧し、前記第２保存空間の大きさを、前記第１体積ほどさらに拡張させることができる。
【００８８】
本発明の一実施形態による化粧容器の液状提供部は、前記一面に隣接した外面にＯリングを具備し、前記本体の内部において、前記Ｏリングが載置される部分は、段差がつくように具備され、前記液状提供部と前記本体との間を密接に結合させ、前記液状提供部の他面に隣接した外面は、前記本体の内部に挿入されて締結され、前記液状提供部の他面は、前記本体の側面の末端に対応しても具備される。
【００８９】
前記液状流出部は、前記内部キャップの外側に突出し、前記液状が外部に流出する流出ホールと、前記内部キャップの内側に具備され、前記第１開放ホールの先端部の内側に挿入結合される結合部と、からなり、前記結合部が、前記第１開放ホールの先端部に挿入結合される場合、前記結合部の外面と、前記第１開放ホールの内面との間には、離隔空間が形成され、前記結合部は、前記流出ホールと連通される第１連通空間を形成し、前記第１連通空間と前記離隔空間とを連通する第１通孔を具備する第１結合部、前記押しホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することができる。
【００９０】
本発明の一実施形態による化粧容器の開閉部は、前記押し部材に、前記外力が印加される場合、前記収容空間において、前記第１開放ホールの先端部方向に移動される液状による圧力によって弾性変形され、前記第２通孔を開放させ、前記圧力が弱くなる場合、前記弾性変形による復元力によって復元され、前記第２通孔を閉鎖することができる。
【００９１】
本発明の一実施形態による化粧容器の液状流出部は、前記内部キャップの外側に突出し、前記液状が外部に流出する流出ホールと、前記内部キャップの内側に具備され、前記第１開放ホールの先端部の内側に挿入結合される結合部と、からなり、前記第１開放ホールの先端部の内径は、前記押し部材の側面と対面する前記第１開放ホールの後端部の内径より大きく形成され、前記結合部の末端と、前記第１開放ホールの先端部の内側外周面との間に置かれる第２弾性部、及び前記第２弾性部の後端に置かれ、前記第１開放ホールの後端部の内径より大きい径を有する流出調整ボールをさらに含んでもよい。
【００９２】
本発明の一実施形態による化粧容器の流出調整ボールは、前記押し部材に、前記外力が印加される場合、前記保存空間に具備された液状は、前記第１開放ホールを介して移動し、前記流出調整ボールを加圧し、前記第２弾性部を圧縮させることにより、前記液状が、前記第１開放ホールの先端部を介して、前記液状流出部を介して排出させ、前記液状が、前記流出調整ボールの加圧する圧力が低下する場合、前記第２弾性部の復元力により、前記流出調整ボールは、前記第１開放ホールの後端を閉鎖することができる。
【００９３】
本発明の一側面によれば、本発明の実施形態は、上部の一側面に、第１方向に押しホールが形成され、内部が貫通形成されて液状が保存される保存空間が形成される本体と、前記押しホールに挿入されるが、一端は、前記押しホールの外側に突出し、他端には、内部に下部流入口が具備される押し部材と、前記押しホールの上部側に隣接するように、前記押し部材に挿入され、前記押し部材の上下移動を制御する第１弾性体と、前記本体の一端に具備され、前記液状が、前記本体内の保存空間から、液状流出部を介して外部に排出される通路を提供するシリンダ部と、を含み、前記本体の押しホールが具備される部分は、内側に凹状の第１ラウンド部を具備し、前記押し部材一端の最外面は、前記本体の最外面に対応するように具備され、前記押し部材は、前記押しホールの外側に突出し、外力が印加される押しキャップと、前記押しキャップの下部面に連結されるが、前記押しキャップより狭径に延長され、前記押しホールの内側に挿入されるキャップ支持部と、を含み、前記第１弾性体は、前記キャップ支持部に挿入されるが、一端が、前記押しキャップの下部面と接触する化粧容器を含む。
【００９４】
前記押しキャップは、断面が円形であり、下部面に空間を具備するキャップ状であるキャップ部、前記キャップ部の開口面を形成する末端の枠に沿って外面に突出し、前記押しホールの内面に固定される押しキャップ固定部、前記キャップ部の内側中心部から下部側に突出する挿入リブ、及び前記挿入リブの外面に突出される第１締結突起からなり、前記キャップ支持部の上部面には、前記挿入リブが挿入される挿入収納部と、前記挿入収納部の外面に凹状に具備され、前記第１締結突起と締結する第１締結溝部と、を含み、前記キャップ支持部の下部面には、前記キャップ支持部の長手方向に、内側に凹状の下部流入口が具備される。
【００９５】
前記キャップ支持部の外面において、下部面に隣接するように具備される第１シーリング部材科、前記第１シーリング部材から、一定間隔上部側に離隔されて具備される第２シーリング部材を含み、前記第１シーリング部材及び第２シーリング部材の間の外面には、前記キャップ支持部を横方向に貫通する液状伝達通路が具備され、前記液状伝達通路は、前記下部流入口と連通されるようにも具備される。
【００９６】
前記押しホールの一側には、前記第１方向に垂直である第２方向に連結され、液状が外部に流出する液状流出部と連通される第１開放ホールが具備され、前記押しホールの他側には、前記第２方向に平行になるように連結され、前記本体の保存空間と連通される第２開放ホールが具備され、前記押し部材に外力が印加されれば、前記第１弾性体が圧縮され、前記押し部材の少なくとも一部が、前記押しホールの内部に挿入され、前記液状は、前記液状伝達通路を介して、前記第１開放ホールに流出されるが、前記第１開放ホールと前記第２開放ホールは、前記第１シーリング部材及び第２シーリング部材の間に位置し、前記押し部材に印加された外力が解除されれば、前記第１弾性体が復元され、前記押し部材が前記押しホールの上部側に移動し、前記押しホール内部には、前記第２開放ホールを介して液状が流入する。
【００９７】
前記押し部材は、前記押しホールに挿入され、前記押しホールに挿入される方向である第１方向に移動するか、あるいは前記第１方向の反対方向に排出されるように位置移動されるとき、前記押しホールの内周面に沿ってスライディングされる第１シーリング部材と、前記押しホールに挿入され、前記押しホールに挿入される方向である第１方向に移動するか、あるいは前記第１方向の反対方向に排出されるように位置移動されるとき、前記押しホールの内部に具備される液状が、前記押しホールの外部に流出することを防止する第２シーリング部材と、を具備し、前記第１シーリング部材及び第２シーリング部材は、互いに離隔されて具備され、前記押しホール内への空気流出入を防止することができる。
【００９８】
前記シリンダ部は、前記本体から液状が流出される方向に垂直である第１方向に、前記本体の一側面が開口され、前記押し部材の一部を収納する押しホールと、前記押しホールの一側において、前記第１方向に垂直である第２方向に連結され、液状が外部に流出する液状流出部と連通される第１開放ホールと、前記押しホールの他側において、前記第２方向に平行になるように連結され、前記本体の保存空間と連通される第２開放ホールと、前記第２開放ホールより広径に連結されるが、前記保存空間内に延長されて内部が貫通形成される円筒管と、前記円筒管末端の少なくとも一部を覆うように具備されるが、前記第２開放ホールと連通される第１開口部と前記円筒管の末端に隣接するように具備され、前記保存空間と連通される第２開口部を具備するカバー部と、前記カバー部の内側において、前記第２開口部を可逆的に開閉するように具備される開閉部と、前記開閉部移動を制御するように、前記カバー部の内側に具備される開閉部支持部と、を含んでもよい。
【００９９】
前記押しホールの内部は、前記キャップ支持部より広い面積に具備されるが、前記押しホールの内部面に離隔されて具備される側壁部をさらに含み、前記キャップ支持部は、前記側壁部内部に挿入され、前記第１シーリング部材及び第２シーリング部材は、前記側壁部の内面と接触し、前記第１弾性体は、前記側壁部の外面と、前記押しホールの外面との間にも具備される。
【０１００】
前記側壁部は、前記第１開放ホールの入口側と、前記第１開放ホールの入口側と対面する前記第２開放ホールの出口側とから、上部側に垂直に延長されて形成され、前記液状は、前記保存空間において、前記第２開放ホールの出口側を介して、前記側壁部と前記キャップ支持部との間に流入され、前記液状は、側壁部と、前記キャップ支持部との間において、前記第１開放ホールの入口側を介しても排出される。
【０１０１】
前記円筒管の内周縁は、前記第２開放ホールを取り囲むように、前記第２開放ホールの内径よりさらに大きく具備され、前記カバー部は、前記第１開口部側が前記円筒管の内部に挿入され、前記第２開口部側は、前記円筒管の外側に具備されるが、前記第２開口部の外側面がテーパになるように具備され、前記開閉部支持部は、前記カバー部の内側に突出される１以上のリブをを含んでもよい。
【０１０２】
前記円筒管には、第１締結部を具備し、前記カバー部には、前記第１締結部と締結する第２締結部を具備し、前記カバー部は、前記円筒管に密接して接触して固定され、前記円筒管の貫通されて具備される内部は、前記カバー部の第２開放ホールに対応するように具備され、前記カバー部の第２開口部を介して液状が連通されるようにも具備される。
【０１０３】
前記円筒管は、前記開放ホールを取り囲むように、前記開放ホールの内径より前記円筒管の内径がさらに大きく具備され、前記カバー部は、第１開口部の直径が第２開口部の直径より大きく具備されるように、断面が円形であり、他側に行くほど断面がだんだんと小さくなるように具備され、前記開閉部支持部は、スプリング状に具備され、前記円筒管内に具備され、前記開閉部は、前記開閉部支持部の末端で球形に具備され、前記開閉部支持部に加えられる外力によって可逆的に、前記カバー部の第２開口部を開閉させることができる。
【０１０４】
前記円筒管の外面には、第１締結部を具備し、前記カバー部の内側には、前記第１締結部と締結する第２締結部を具備し、前記カバー部は、前記円筒管に密接して接触して固定され、前記円筒管は、前記カバー部の内側に挿入され、前記開放ホールと、前記カバー部の第２開口部とが互いに流体が連通されるようにも具備される。
【０１０５】
前記本体の先端に結合されるように、前記押しホールに対応する位置に、内側に凹状の第２ラウンド部を具備する内部キャップと、前記液状流出部を収納する収納空間を具備し、前記内部キャップと結合する外部キャップと、をさらに含み、前記本体には、順次に内部キャップ及び外部キャップが結合され、前記内部キャップの少なくとも一部は、前記外部キャップと本体最外面とに対応するように具備されるが、前記第２ラウンド部は、前記外部キャップと本体最外面とに対して、内側に凹状になるようにも具備される。
【０１０６】
前記押し部材は、前記第１弾性体の弾性変形により、前記押し部材の位置移動が可逆的に制御され、前記押し部材に外力が加えられれば、前記押しホールに収容された液状のうち第１体積の液状が、前記第１開放ホールを介して、前記液状流出部に流出され、前記押し部材に印加された外力が解除されれば、前記液状流出部に流出された前記第１体積の液状に対応する体積の液状が、前記第２開放ホールを介して、前記保存空間から前記押しホールにも流入される。
【０１０７】
前記本体の保存空間は、可逆的に体積が変わる第１保存空間及び第２保存空間を含み、前記第１保存空間は、前記押しホールに伝達される液状が収容され、前記第２保存空間は、外部から流入される空気が具備され、前記押し部材に印加された外力が解除されれば、前記第１保存空間に保存された液状のうち、前記第１体積の液状と同一体積の液状が、前記円筒管と第２開放ホールとを介して、前記押しホールに流入され、前記第１体積ほど前記第１保存空間の体積が縮小され、前記第２保存空間は、前記第１体積ほど体積が増大される。
【０１０８】
前記本体の内部に挿入され、前記本体の下部領域の貫通領域を密閉し、内部には、前記圧着部を具備するが、前記圧着部により、第１保存空間及び第２保存空間に分割されるが、前記第１保存空間に液状を具備する液状提供部をさらに含み、前記液状提供部は、前記本体の内部に挿入される部分である一面が開口され、順次に第１保存空間及び第２保存空間を具備する円筒状に具備されるが、前記一面が対面する他面は、前記本体の後端部を覆うが、外部と連通される空気循環ホールを具備することができる。
【０１０９】
前記第２保存空間は、前記圧着部と前記空気循環ホールとの間に形成され、前記第１保存空間の大きさが、前記第１体積ほど縮小される場合、前記空気循環ホールを介して、第１体積ほど外部空気が流入されて圧着部を加圧し、前記第２保存空間の大きさを、前記第１体積ほどさらに拡張させることができる。
【０１１０】
前記液状提供部は、前記一面に隣接した外面にＯリングを具備し、前記本体の内部において、前記Ｏリングが載置される部分は、段差がつくように具備され、前記液状提供部と前記本体との間を密接に結合させ、前記液状提供部の他面に隣接した外面は、前記本体の内部に挿入されて締結され、前記液状提供部の他面は、前記本体の側面の末端に対応しても具備される。
【０１１１】
前記液状流出部は、前記内部キャップの外側に突出し、前記液状が外部に流出する流出ホールと、前記内部キャップの内側に具備され、前記第１開放ホールの先端部の内側に挿入結合される結合部と、からなり、前記結合部が、前記第１開放ホールの先端部に挿入結合される場合、前記結合部の外面と、前記第１開放ホールの内面との間には、離隔空間が形成されることができる。
【０１１２】
前記結合部は、前記流出ホールと連通される第１連通空間を形成し、前記第１連通空間と前記離隔空間とを連通する第１通孔を具備する第１結合部、前記押しホールと連通される第２連通空間を形成し、前記第２連通空間と前記離隔空間とを連通する第２通孔を具備する第２結合部、及び前記第２通孔を包囲するように配置され、前記第２通孔を介した前記液状の移動いかんを決定する開閉部を具備することができる。
【０１１３】
前記開閉部は、前記押し部材に、前記外力が印加される場合、前記収容空間において、前記第１開放ホールの先端部方向に移動される液状による圧力によって弾性変形され、前記第２通孔を開放させ、前記圧力が弱くなる場合、前記弾性変形による復元力によって復元され、前記第２通孔を閉鎖することができる。
【０１１４】
前記液状流出部は、前記内部キャップの外側に突出し、前記液状が外部に流出する流出ホールと、前記内部キャップの内側に具備され、前記第１開放ホールの先端部の内側に挿入結合される結合部と、からなり、前記第１開放ホールの先端部の内径は、前記押し部材の側面と対面する前記第１開放ホールの後端部の内径より大きく形成され、前記結合部の末端と、前記第１開放ホールの先端部の内側外周面との間に置かれる第２弾性部、及び前記第２弾性部の後端に置かれ、前記第１開放ホールの後端部の内径より大きい径を有する流出調整ボールをさらに含んでもよい。
【０１１５】
前記流出調整ボールは、前記押し部材に、前記外力が印加される場合、前記保存空間に具備された液状は、前記第１開放ホールを介して移動し、前記流出調整ボールを加圧し、前記第２弾性部を圧縮させることにより、前記液状が、前記第１開放ホールの先端部を介して、前記液状流出部を介して排出させ、前記液状が、前記流出調整ボールの加圧する圧力が低下する場合、前記第２弾性部の復元力により、前記流出調整ボールは、前記第１開放ホールの後端を閉鎖することができる。
【発明の効果】
【０１１６】
本発明によれば、常時一定量の化粧液を円滑に流出させることができることにより、化粧を便利にすることができる。
【０１１７】
また、本発明によれば、化粧容器が密閉されていることにより、化粧液の変質を防止することができ、衛生的なだけではなく、化粧液が消尽される直前までも、化粧液が固くならない状態で使用することができる。
【０１１８】
また、本発明によれば、外力に影響を受けずに、一定量の化粧液を均一に排出させることができる化粧容器を提供する。
【０１１９】
また、本発明によれば、外部空気などの流入を安定して遮断することにより、内部具備された化粧液の変質を効果的に防止することができる化粧容器を提供する。
【０１２０】
また、本発明によれば、制御されていない外力によっての化粧液漏出が発生せず、携帯が容易な化粧容器を提供する。
【０１２１】
また、本発明によれば、狭幅を有する化粧容器から外側突出部分が形成されず、優秀な審美感を提供しながら、スリム化されて小型化された化粧容器を提供する。
【０１２２】
また、本発明によれば、押し部材の移動を制御する弾性体などを化粧液と断絶させ、化粧液の移動通路に不要な部材などが省略されることにより、化粧液の特性を長期間均一に維持することができる化粧容器を提供する。
【図面の簡単な説明】
【０１２３】
【図１】本発明の一実施形態による化粧容器を図示した斜視図である。
【図２】本発明の一実施形態による化粧容器を図示した斜視図である。
【図３】本発明の一実施形態による化粧容器を分解した分解斜視図である。
【図４】本発明の一実施形態による化粧容器の断面図である。
【図５】本発明の一実施形態による、化粧容器の押し部材に外力が印加された場合について説明するための概路図である。
【図６】本発明の一実施形態による、化粧容器の押し部材に外力が印加された場合について説明するための概路図である。
【図７】本発明の一実施形態による、化粧容器の押し部材に印加された外力が解除された場合について説明するための概路図である。
【図８】本発明の他の実施形態による化粧容器を分解した分解斜視図である。
【図９】本発明のさらに他の実施形態による化粧容器について説明するための概路図である。
【図１０】本発明のさらに他の実施形態による化粧容器について説明するための概路図である。
【図１１】本発明の他の実施形態による化粧容器を図示した斜視図である。
【図１２】本発明の他の実施形態による化粧容器を図示した斜視図である。
【図１３】本発明の一実施形態による化粧容器を分解した分解斜視図である。
【図１４】本発明の一実施形態による化粧容器の断面図である。
【図１５】本発明の一実施形態による、化粧容器の押し部材に外力が印加された場合について説明するための概路図である。
【図１６】本発明の一実施形態による、化粧容器の押し部材に外力が印加された場合について説明するための概路図である。
【図１７】本発明の一実施形態による、化粧容器の押し部材に印加された外力が解除された場合について説明するための概路図である。
【図１８】本発明の他の実施形態による化粧容器を分解した分解斜視図である。
【図１９】本発明のさらに他の実施形態による化粧容器について説明するための概路図である。
【図２０】本発明のさらに他の実施形態による化粧容器について説明するための概路図である。
【図２１Ａ】本発明の一実施形態による化粧容器の斜視図である。
【図２１Ｂ】図２１Ａのキャップを分離させた図面である。
【図２２Ａ】図２１Ａの分解斜視図である。
【図２２Ｂ】図２２Ａのシリンダ部を示した図面である。
【図２３】図２１Ａによる化粧容器の断面図である。
【図２４】図２１Ｂによる化粧容器の断面図である。
【図２５】本発明の一実施形態による、化粧容器の押し部材に外力が印加された場合について説明するための概路図である。
【図２６】本発明の一実施形態による、化粧容器の押し部材に外力が印加された場合について説明するための概路図である。
【図２７】本発明の一実施形態による、化粧容器の押し部材に印加された外力が解除された場合について説明するための概路図である。
【図２８】本発明の他の実施形態による化粧容器を分解した分解斜視図である。
【図２９】本発明のさらに他の実施形態による化粧容器について説明するための概路図である。
【図３０】本発明のさらに他の実施形態による化粧容器について説明するための概路図である。
【図３１】本発明のさらに他の実施形態による化粧容器の断面図である。
【０１２４】
【図３２】図３１による化粧容器の押し部材に外力が印加された場合について説明するための概路図である。
【図３３】図３１による化粧容器の押し部材に外力が印加された場合について説明するための概路図である。
【図３４】本発明の他の実施形態による、本体とキャップとを図示した斜視図である。
【図３５】図３４の分解斜視図である。
【図３６】本発明の一実施形態による化粧容器の斜視図である。
【図３７】図３６において、外部キャップを分離した図面である。
【図３８】図３７の断面図である。
【図３９】図３６の分解斜視図である。
【図４０】図３７の本体部前端部の断面図である。
【図４１】図４０において、外力が印加された押し部材を概略的に図示した図面である。
【図４２】図４１において、押し部材に外力が印加された様子を概略的に示した図面である。
【図４３】図４２の押し部材及び第１弾性体の斜視図である。
【図４４】本発明の他の実施形態による、押し部材及び第１弾性体の斜視図である。
【図４５】本発明のさらに他の実施形態による、外力が印加された押し部材を概略的に図示した図面である。
【図４６】図４５において、押し部材に外力が印加された様子を概略的に示した図面である。
【図４７】図４６の押し部材及び第１弾性体の斜視図である。
【図４８】本発明のその他実施形態による、押し部材及び第１弾性体の斜視図である。
【図４９】本発明のその他実施形態による本体部前端部の断面図である。
【図５０】図４９において、押し部材に外力が印加された様子を概略的に示した図面である。
【図５１】本発明のその他実施形態による本体部前端部の断面図である。
【図５２】図５１において、押し部材に外力が印加された様子を概略的に示した図面である。
【図５３】本発明の一実施形態による化粧容器の斜視図である。
【図５４】図５３において、外部キャップを分離した図面である。
【図５５】図５４の断面図である。
【図５６】図５３の分解斜視図である。
【図５７】図５５の本体部前端部の断面図である。
【図５８】図５７において、外力が印加された押し部材を概略的に図示した図面である。
【図５９】図５６の押し部材及び第１弾性体の斜視図である。
【図６０】本発明の他の実施形態による、押し部材及び第１弾性体の斜視図である。
【図６１】本発明のさらに他の実施形態による本体部前端部の断面図である。
【図６２】図６１において、押し部材に外力が印加された様子を概略的に示した図面である。
【図６３】本発明のその他実施形態による本体部前端部の断面図である。
【図６４】図６３において、押し部材に外力が印加された様子を概略的に示した図面である。
【図６５】図６３において、本体部の後端部に具備される液状流入を制御する部分の拡大図である。
【図６６】図６５の分解斜視図である。
【発明を実施するための形態】
【０１２５】
以下では、図面を参照し、本発明の具体的な実施形態について詳細に説明する。ただし、本発明の思想は、提示される実施形態に制限されるものではなく、本発明の思想を理解する当業者は、同一思想の範囲内において、他の構成要素の追加、変更、削除などを介して、退歩的な他の発明や、本発明思想の範囲内に含まれる他の実施形態を容易に提案することができるであろうが、それも、本願発明の思想範囲内に含まれるものである。
【０１２６】
また、各実施形態の図面に示される同一思想の範囲内の機能が同一である構成要素は、同一参照符号を使用して説明する。
【０１２７】
図１及び図２は、本発明の一実施形態による化粧容器を図示した斜視図である。
【０１２８】
図１及び図２を参照すれば、本発明の一実施形態による化粧容器は、一側面に押し部材１４０が挿入される押し溝１１３が形成され、内部が貫通形成されて液状が保存される本体１１０、本体１１０に挿入され、液状が流出される液状流出部１７１が結合され、本体１１０内部の液状を、液状流出部１７１を介して、流出させるシリンダ部１３０、及び本体１１０の先端１１５に結合されるキャップ１８０を含む。
【０１２９】
ここで、本体１１０の保存空間に保存された液状は、液状流出部１７１を介して移動されやすい粘性を有する多種の化粧品（化粧液）でもある。
【０１３０】
液状流出部１７１は、キャップ１８０が本体１１０と分離されれば、外部に露出され、キャップ１８０が本体１１０と結合されれば、キャップ１８０内に隠匿されて外部に露出されない。キャップ１８０が本体１１０と分離された後、押し部材１４０に外力が印加されれば、一定量の液状が液状流出部１７１を介して外部に流出する。
【０１３１】
図３は、本発明の一実施形態による化粧容器を分解した分解斜視図であり、図４は、本発明の一実施形態による化粧容器の断面図である。
【０１３２】
図３及び図４を参照すれば、本体１１０は、内部が貫通形成され、内部に液状を保管することができる収容空間が形成される。本体１１０は、内部の化粧液状が見える透明材質または半透明材質によっても形成され、ガラスまたは合成樹脂素材のいずれも使用が可能である。本体１１０の一側面には、押し部材１４０が挿入される押し溝１１３が形成される。
【０１３３】
シリンダ部１３０は、本体１１０に挿入され、内部が貫通形成され、一側端に、液状が流出される液状流出部１７１が結合される液状ガイド部１３１、及び液状ガイド部１３１と連結され、下側面に形成された開放ホール１３２ａを介して、本体１１０に保存された液状が流入する収容空間を形成し、液状ガイド部１３１と連通される連通ホール１３２ｂと、押し溝１１３に対応する位置に貫通ホール１３２ｃとが形成される収容部１３２を具備する。
【０１３４】
押し部材１４０は、本体１１０の外部に突出して外力を受ける押し部１４１ａ、押し部１４１ａの下部に連結され、貫通ホール１３２ｃに挿入される挿入部１４１ｂ、及び挿入部１４１ｂの下側面と、収容部１３２との間に配置されたまま、外力が印加されれば、挿入部１４１ｂによって弾性変形され、外力が解除されれば、弾性変形による復元力によって復元され、挿入部１４１ｂを位置移動させる第１弾性部１４３を具備する。
【０１３５】
第１弾性部１４３は、一側は、挿入部１４１ｂの下側面と接触され、他側は、開閉部１４８に接触する。外力により、押し部１４１ａが第１方向に位置移動されれば、押し部１４１ａと接触した第１弾性部１４３は、圧縮弾性変形される。印加された外力が解除されれば、第１弾性部１４３は、弾性変形による復元力により、第２方向に膨脹弾性変形される。それにより、押し部１４１ａは、第２方向に位置移動される。
【０１３６】
また、押し部材１４０は、第１弾性部１４３と収容部１３２との間に配置され、押し部１４１ａに加えられる外力の印加いかんにより、開放ホール１３２ａを開放したり閉鎖したりする開閉部１４８をさらに具備する。
【０１３７】
開閉部１４８は、開放ホール１３２ａと対応する形状に形成される。
【０１３８】
一例として、開放ホール１３２ａの断面が円形に形成されれば、開閉部１４８は、図３に図示されているように、球状に形成されて開放ホール１３２ａの閉鎖が容易になる。
【０１３９】
そして、開閉部１４８は、外力によって弾性変形された第１弾性部１４３によって加圧され、開放ホール１３２ａを閉鎖し、外力の解除による第１弾性部１４３の加圧力低下により、開放ホール１３２ａの少なくとも一部を開放させる。
【０１４０】
ここで、開放ホール１３２ａの一部を開放させるということは、本体１１０の保存空間に収容された液状が、開放ホール１３２ａを介して移動される微細な間隙が形成されるということを意味する。
【０１４１】
具体的には、開閉部１４８は、第１弾性部１４３により、開放ホール１３２ａとの接触が維持されるが、第１弾性部１４３に外力が印加されない場合には、開閉部１４８を開放ホール１３２ａに押し出す力が低減し、開閉部１４８と開放ホール１３２ａとの間に液状流出入が可能である。
【０１４２】
また、開放ホール１３２ａは、開閉部１４８の少なくとも一部分が挿入されるように、開閉部１４８の外面と対応する形状に形成される。開放ホール１３２ａは、本体１１０の保存空間と、収容部１３２の収容空間とを連通する通路の役割を行うが、ここで、収容部１３２の収容空間との境界領域は、開閉部１４８の少なくとも一部分が挿入されるようにラウンドするように形成される。
【０１４３】
第１弾性部１４３の一側は、挿入部１４１ｂの下側面と接触し、他側は、開閉部１４８に接触する。ここで、第１弾性部１４３は、一側から他側に行くほど、漸進的に断面の大きさが減少する形態に形成される。
【０１４４】
具体的には、挿入部１４１ｂと接触する第１弾性部１４３の一側は、挿入部１４１ｂから容易に外力を伝達されるように、挿入部１４１ｂの下側面と対応する大きさに形成され、開閉部１４８と接触する第１弾性部１４３の他側は、開閉部１４８の外面と接触するように、開閉部１４８の最大断面より小さく形成される。
【０１４５】
また、開閉部１４８の外面と接触する第１弾性部１４３の他側が、一側より小さく形成され、印加された外力が、他側に行くほど集中する効果を与え、開閉部１４８による開放ホール１３２ａの閉鎖をさらに効率的に具現することができる。
【０１４６】
一方、押し部材１４０は、挿入部１４１ｂに結合されたまま、第１方向から第２方向、または第２方向から第１方向への位置移動時、収容空間から外部への液状の流出を防止する第１シーリング部材１４５を具備する。
【０１４７】
第１シーリング部材１４５は、押し溝１１３を介した収容空間への空気の流出入を防止する。第１シーリング部材１４５により、収容部１３２の収容空間は、気密が維持され、収容空間内の液状が、押し溝１１３を介して流出されることが防止される。それは、ユーザが液状使用のための押し部材１４０の反復的外力印加過程において、押し溝１１３を介した液状流出を防止し、ユーザの身体の一部に液状が付いたり、化粧容器の外面に液状が付いたりすることをあらかじめ防止する。
【０１４８】
第１シーリング部材１４５は、挿入部１４１ｂに結合されたまま、押し部材１４０の第１方向から第２方向、または第２方向から第１方向への位置移動時、収容部１３２の内面に沿ってスライディングされ、収容空間に収容された液状の押し溝１１３を介した流出を防止する。
【０１４９】
具体的には、第１シーリング部材１４５は、挿入部１４１ｂの挿入前端部１４１ｆに結合されたまま、挿入部中端部１４１ｄの外径より外側方向に突出して形成されるが、収容部１３２との接触によって圧着され、収容部１３２の内径と対応する大きさに変形される。
【０１５０】
ここで、挿入部１４１ｂは、収容部１３２の内径と対応する大きさの外径に形成される挿入部中端部１４１ｄ、挿入部中端部１４１ｄの外径より小さく形成される外径に形成される挿入部前端部１４１ｆ、及び挿入部後端部１４１ｅから構成される。
また、押し部材１４０は、挿入部１４１ｂに結合されたまま、第１方向から第２方向、または第２方向から第１方向への位置移動時、収容部１３２の内周面に沿ってスライディングされる第２シーリング部材１４７をさらに具備する。
【０１５１】
第２シーリング部材１４７は、挿入部後端部１４１ｅに結合されたまま、挿入部中端部１４１ｄの外径より外側方向に突出して形成されるが、収容部１３２との接触によって圧着され、収容部１３２の内径と対応する大きさに変形される。
【０１５２】
ここで、第２シーリング部材１４７は、外力によっても変形される弾性力を有する材質によっても形成される。
【０１５３】
押し部材１４０の押し部１４１ａに外力が印加されれば、挿入部１４１ｂは、第１方向に沿って、第１位置から第２位置に位置移動される。挿入部１４１ｂの第１位置から第２位置への位置移動は、収容部１３２の収容空間内への移動を意味し、そのとき、挿入部１４１ｂは、収容空間を規定する収容部１３２の内壁と接触したまま、前記内壁に沿って移動する。
【０１５４】
ここで、挿入部前端部１４１ｆに結合された第１シーリング部材１４５、及び挿入部後端部１４１ｅに結合された第２シーリング部材１４７も、収容部１３２の内壁と接触したまま、内壁に沿って移動し、収容部１３２内壁との接触によって圧縮変形された第１シーリング部材１４５及び第２シーリング部材１４７は、収容部１３２の内壁を圧迫し、収容部１３２の内壁に沿ってスライディングされる。
【０１５５】
この場合、収容部１３２の収容空間のうち、第２シーリング部材１４７の下部に位置した空間は、第２シーリング部材１４７によって密閉された状態になり、収容空間から液状ガイド部１３１への液状流出圧力が上昇する効果が見られる。
【０１５６】
具体的には、第２シーリング部材１４７は、挿入部１４１ｂと収容部１３２内壁との微細な間隙に移動される液状の流出を防ぎ、収容空間から液状ガイド部１３１への液状流出を具現するので、第２シーリング部材１４７がない場合と比較し、さらに強い圧力で液状流出を具現することができるのである。
【０１５７】
また、ユーザは、第２シーリング部材１４７と収容部１３２内壁との摩擦力を克服する外力を、押し部１４１ａに印加しなければならないので、第２シーリング部材１４７がない場合と比較し、さらに強い外力を押し部１４１ａに印加しなければならない。
【０１５８】
一方、押し部材１４０は、押し部１４１ａと挿入部１４１ｂの間に形成され、外部に突出する外径減少部１４１ｃをさらに具備することができる。
【０１５９】
押し部材１４０が押し溝１１３に挿入された後、外径減少部１４１ｃの外径と対応する大きさに形成される係止ホール１６１を具備する係止ハウジング１６０が、本体１１０の押し溝１１３が形成された領域にも結合される。その場合、係止ハウジング１６０は、押し溝１１３と係止溝１６１とが互いに連通するように、本体１１０と結合され、押し部材１４０に印加された外力が解除される場合、挿入部１４１ｂが係止溝１６１に支持され、押し部材１４０の外部離脱が防止される。
【０１６０】
また、外径減少部１４１ｃの上面には、押し部１４１ａの突起ｒが挿入される突起収容部ｈを具備し、押し部１４１ａの突起ｒが、突起収容部ｈに収容されれば、押し部１４１ａと挿入部１４１ｂは、互いに連結される。
【０１６１】
ここで、押し部１４１ａの断面積の大きさは、前記外径減少部１４１ｃの断面積の大きさより大きく形成され、ユーザの身体の一部との接触面積を広げ、さらに容易に押し部１４１ａに外力を印加する。
【０１６２】
シリンダ部１３０は、本体１１０内部に挿入されたまま、押し部材１４０の下部に位置し、本体１１０に保存された液状が、押し部材１４０によって加圧されやすい位置に位置し、押し部材１４０に印加された外力に同一量（体積）の液状が液状流出部１７１を介して外部に流出する。
【０１６３】
シリンダ部１３０の収容空間は、印加された外力により、第１方向に位置移動された押し部材１４０により、第１体積ほど縮小され、それにより、収容空間に収容された液状のうち、第１体積に該当する量が、液状ガイド部１３１を介して、液状流出部１７１に流出される。また、印加された外力が解除されれば、押し部材１４０は、第１方向の反対方向である第２方向に位置移動し、シリンダ部１３０の収容空間の大きさが第１体積ほど拡張され、このとき、拡張された収容空間の第１体積を充填するために、本体１１０に保存された液状が収容空間に流入される。それに係わる動作原理は、以下、図５ないし図７を参照して詳細に説明する。
【０１６４】
密閉部材１５０は、本体１１０下部の貫通領域を密閉する。
【０１６５】
液状流出部１７１は、上部領域に形成されたまま、液状が外部に流出するホールを形成する流出ホール１７１ａ、及び下部領域に形成され、液状ガイド部１３１の先端部に挿入結合される結合部１７１ｃを具備する。
【０１６６】
流出ホール１７１ａが皮膚に良好に密着するように、流出ホール１７１ａの断面は、楕円状にも形成される。本発明の他の実施形態によれば、流出ホールは、化粧のためのブラシ（図示せず）が結合され、流出ホールを介して流出された液状は、柔らかいブラシを介して、ユーザ皮膚にも吸収される。そのとき、ユーザは、柔らかいブラシの肌触りを感じながら、液状を皮膚の美容に利用することができる。
【０１６７】
液状ガイド部１３１先端部の内径は、液状ガイド部１３１の中端部の内径より大きく形成され、液状流出部１７１の結合部１７１ｃは、液状ガイド部１３１の先端部に挿入結合される。
【０１６８】
本発明の一実施形態によれば、液状流出部１７１の結合部１７１ｃの外周面と、液状ガイド部１３１の先端部の内側外周面との間には、第２弾性部１７３が置かれ、第２弾性部１７３の後端には、液状ガイド部１３１の中端部の内径より大きい径を有する流出調整ボール１７５が置かれる。
【０１６９】
そのとき、流出調整ボール１７５は、押し部材１４０に外力が印加された場合、連通ホール１３２ｂを介して、液状ガイド部１３１の先端部方向に移動される液状による圧力によって第３方向に移動され、液状による圧力が弱くなる場合、第２弾性部１７３により、第３方向の反対方向である第４方向に移動し、液状ガイド部１３１の先端部と中端部との境界領域に形成された流入孔１３１ｂを閉鎖する。
【０１７０】
参考としては、前述の第１方向または第２方向は、第３方向または第４方向と垂直した方向である。
【０１７１】
化粧容器は、本体１１０の保存空間に配置され、前記保存空間を、第１保存空間及び第２保存空間に分割し、シリンダ部１３０との間に形成された第１保存空間に、液状が保存され、押し部材１４０に印加された外力が解除され、第１保存空間に保存された液状のうち、第１体積の液状と同一体積の液状が、開放ホール１３２ａを介して、収容部１３２の収容空間に流入されれば、本体１１０の内側面に沿って位置移動し、第１保存空間の大きさを第１体積ほど縮小させる圧着部１９０をさらに含む。
【０１７２】
また、第２保存空間は、圧着部１９０と密閉部材１５０との間に形成され、第１保存空間の大きさが第１体積ほど縮小される場合、第２保存空間の大きさは、第１体積ほど拡張される。
【０１７３】
圧着部１９０に係わる具体的な説明は、図５ないし図８を参照して説明する、化粧容器の外力印加いかんによるメカニズムについて説明しながら詳細に扱う。
【０１７４】
図５及び図６は、本発明の一実施形態による、化粧容器の押し部材に外力が印加された場合について説明するための概路図であり、図７は、本発明の一実施形態による、化粧容器の押し部材に印加された外力が解除された場合について説明するための概路図である。
【０１７５】
図５及び図６に図示されているように、キャップ１８０が除去された後、化粧容器を利用するユーザが、身体の一部（指）を利用して、押し部１４１ａに、第１方向に外力を印加すれば、挿入部１４１ｂは、第１方向に沿って、第１位置から第２位置に位置移動する。挿入部１４１ｂの第１位置から第２位置への移動は、収容部１３２の収容空間内への移動を意味するので、収容部１３２の収容空間の大きさは、挿入された挿入部１４１ｂによって縮小される。
【０１７６】
そのとき、収容空間の大きさは、第１体積ほど縮小され、言い換えれば、挿入部１４１ｂの第１体積ほど収容空間内に挿入されるというような意味である。また、押し部１４１ａの第１位置から第２位置への移動により、第１弾性部１４３は、圧縮弾性変形される。
【０１７７】
挿入部１４１ｂの収容空間内への位置移動により、収容空間内に収容されていた液状は、液状ガイド部１３１を介して、液状流出部１７１に移動する。
【０１７８】
ここで、収容空間内での液状流出経路は、液状ガイド部１３１を介した流出と、開放ホール１３２ａを介した流出との経路があるが、挿入部１４１ｂの第１位置から第２位置への移動中、開放ホール１３２ａは、開閉部１４８によって閉鎖されるので、収容空間内の液状は、液状ガイド部１３１を介した流出経路を介して移動する。それにより、ユーザは、液状流出部１７１を介して流出（排出）された液状を利用することができる。
開閉部１４８による開放ホール１３２ａの閉鎖については、前述の通りである。
【０１７９】
挿入部１４１ｂについて整理すれば、挿入部１４１ｂは、押し部１４１ａに外力が印加されれば、第１位置から第２位置に位置移動し、押し部１４１ａに印加された外力が解除されれば、第１弾性部１４３により、第２位置から第１位置に位置移動し、第２位置に位置した場合、開放ホール１３２ａを閉鎖し、開放ホール１３２ａを介した液状の位置移動を制限し、第１位置に位置した場合、開放ホール１３２ａが開放され、開放ホール１３２ａを介した液状の位置移動を自由にする。
【０１８０】
また、収容部１３２の収容空間から、連通ホール１３２ｂを介して移動する液状による圧力により、流出調整ボール１７５は、本体１１０の外部方向である第３方向に移動する。それにより、流出調整ボール１７５によって外部に流出することができなかった液状ガイド部１３１の中端部に収容された液状は、流出調整ボール１７５と、流入孔１３１ｂとの間の空間を介して、液状流出部１７１に流入される。液状流出部１７１に流入された液状は、流出ホール１７１ａを介して外部に流出する。
【０１８１】
そして、液状ガイド部１３１の中端部に収容された液状が、流出調整ボール１７５と流入孔１３１ｂとの間の空間を介して流入されることにより、液状流出部１７１に加えられる圧力が弱くなり、その場合、第２弾性部１７３の弾性力により、流出調整ボール１７５は、第３方向の反対方向である第４方向に移動し、流入孔１３１ｂを閉鎖する。その場合、液状流出部１７１に流入された液状の量ほど、シリンダ部１２３内部に収容された液状が消耗する。
【０１８２】
図７を参照すれば、押し部１４１ａに印加された外力が解除されれば、圧縮弾性変形された第１弾性部１４３は、復元力によって膨脹変形され、それにより、押し部１４１ａの第２位置から第１位置への位置移動が具現される。
【０１８３】
そのとき、収容部１３２の収容空間内に挿入されていた挿入部１４１ｂも、収容空間から第２方向に位置移動する。挿入部１４１ｂの第２方向への位置移動により、収容空間は、第１体積ほどの空スペースが生じ、挿入部１４１ｂの第２方向への位置移動中に開放ホール１３２ａが開放されるので、第１体積ほどの空スペースは、開放ホール１３２ａを介して移動された液状によって充填される。
【０１８４】
具体的には、押し溝１１３は、第１シーリング部材１４５によって気密が維持され、空気流出入が防止されるので、収容部１３２の収容空間内への空気流入がない限り、第１体積ほどの空スペースは、真空状態になる。そのとき、開放ホール１３２ａを介した、本体１１０の第１保存空間Ｓ１に保存された液状が、真空状態の収容空間内に吸い込まれる現象を利用して、収容空間内に一定量の液状が維持される。
【０１８５】
その場合、収容部１３２内への他の液状移動経路である液状ガイド部１３１は、流出調整ボール１７５によって、液状移動が遮断された状態であるので、収容部１３２の収容空間内への液状流入は、開放ホール１３２ａを介しても具現される。
【０１８６】
また、開放ホール１３２ａを介した、本体１１０の第１保存空間Ｓ１から収容空間内への液状移動が具現されるためには、第１保存空間Ｓ１内に液状だけが存在しなければならず、第１体積ほどの液状が第１保存空間Ｓ１から流出するので、第１保存空間Ｓ１の大きさも可変的でなければならない。
【０１８７】
そのために、本発明の化粧容器は、圧着部１９０を含み、圧着部１９０は、第１保存空間Ｓ１を規定したまま、外部からの空気流入を防止する。
【０１８８】
圧着部１９０は、本体１１０の内側面に沿って位置移動し、位置移動は、第１保存空間Ｓ１から流出された液状の体積変化によって具現される。
【０１８９】
具体的には、第１保存空間Ｓ１内には、液状だけが存在するので、液状が流出された場合、発生する空スペースは、空気または外部物質で充填されなければならないが、第１保存空間Ｓ１は、圧着部１９０によって、外部からの物質交換が防止されるので、縮小された第１保存空間Ｓ１は、自体の大きさを小さくし、液状流出を可能にする。
【０１９０】
具体的には、第１保存空間Ｓ１内には、液状だけが存在するので、液状が流出した場合、発生する空スペースは、空気または外部物質で充填されなければならないが、第１保存空間Ｓ１は、圧着部１９０によって、外部からの物質交換が防止されるので、縮小された第１保存空間Ｓ１は、自体の大きさを小さくし、液状流出を可能にする。
【０１９１】
圧着部１９０は、本体１１０の保存空間を、第１保存空間Ｓ１及び第２保存空間Ｓ２に分割し、押し部材１４０に印加された外力が解除され、第１保存空間Ｓ１に保存された液状のうち一部、すなわち、第１体積の液状が、開放ホール１３２ａを介して、収容部１３２の収容空間に流入されれば、本体１１０の内側面に沿って移動し、第１保存空間Ｓ１の大きさが第１体積ほど縮小される。
【０１９２】
また、圧着部１９０によって分割された第２保存空間Ｓ２は、第１保存空間Ｓ１の体積が縮小されることにより、相対的に拡張される。
【０１９３】
ここで、密閉部材１５０は、第２保存空間Ｓ２と化粧容器１外部とが連通される空気循環ホール１５２を形成し、空気循環ホール１５２は、第２保存空間Ｓ２が第１体積ほど拡張される場合、第１体積と同一体積の外部空気を第２保存空間Ｓ２に流入させる通路を提供する。
【０１９４】
一方、本体１１０内に保存された液状のうち、第１体積に該当する量の液状は、収容空間内に移動し、収容部１３２の収容空間内に収容された液状は、再びユーザの外力を待つ待機状態になる。
【０１９５】
ユーザは、液状流出部１７１を介して流出された液状を利用した後、液状がさらに必要であると判断されれば、第２位置から第１位置に移動された押し部材１４０の押し部１４１ａに再び外力を印加し、前述の一連の過程が反復されることになる。
【０１９６】
前述の実施形態によれば、収容部１３２の構成が、本体１１０の上部内面に挿入されるように説明したが、収容部１３２の構成は、本体１１０の前端部に一体に形成されてもよい。
【０１９７】
図８は、本発明の他の実施形態による化粧容器を分解した分解斜視図である。
【０１９８】
図８を参照すれば、本発明のさらに他の実施形態による化粧容器は、リフィル提供部２９０を除いては、図１ないし図７を参照で説明した化粧容器と、構成及び効果が同一であるので、以下、リフィル提供部２９０について説明する。
【０１９９】
リフィル提供部２９０は、前述の圧着部２９３を収容したまま、本体１１０にも挿入される。
【０２００】
具体的には、リフィル提供部２９０は、本体１１０の保存空間に挿入されたまま、リフィル保存空間を提供する本体部挿入部２９１、リフィル保存空間を、第３保存空間Ｓ３及び第４保存空間Ｓ４に分割し、シリンダ部１３０との間に形成された前記第３保存空間Ｓ３に液状が保存され、押し部材１４０に印加された外力が解除され、第３保存空間Ｓ３に保存された液状のうち、第１体積の液状と同一体積の液状が、開放ホール１３２ａを介して収容空間に流入されれば、本体部挿入部２９１の内側面に沿って位置移動し、第３保存空間Ｓ３の大きさを第１体積ほど縮小させる圧着部２９３、及びリフィル保存空間を密閉すると共に、本体１１０の下部領域の貫通領域を密閉するリフィル密閉部２９５を具備する。
【０２０１】
ここで、リフィル提供部２９０は、別途に製作されて本体１１０に挿入されるか、あるいは本体１１０から挿入解除され、化粧容器に液状を再び提供することができる構成要素でもある。
【０２０２】
また、リフィル提供部２９０は、本体１１０と、ねじ山構造によって、結合されたり結合解除されたりもし、そのとき、リフィル密閉部２９５は、一般的なコインの一部分が挿入されて回転力が印加されるように、コイン挿入部２９７が形成されてもよい。
【０２０３】
一方、本体部挿入部２９１が、本体部１１０の保存空間に挿入される場合、本体部１１０の内側面との結合力を向上させるための気密部２９１ａが位置することができ、気密部２９１ａは、弾性力を具備する一種のゴム材質によって形成され、リフィル提供部２９５の本体１１０内への挿入時、本体１１０内側面と接触して変形されたまま、本体部挿入部２９１と本体部１１０との気密維持及び結合力向上の部材にも利用される。
【０２０４】
図９及び図１０は、本発明のさらに他の実施形態による化粧容器について説明するための概路図である。
【０２０５】
図９及び図１０を参照すれば、本発明のさらに他の実施形態による化粧容器は、リフィル提供部３９０を除いては、図８を参照して説明した化粧容器と、構成及び効果が同一であるので、以下、リフィル提供部３９０について説明する。
また、図９及び図１０は、説明の便宜のために、本体部挿入部３９１とリフィル密閉部３９５とを分離させて図示したが、本体部挿入部３９１とリフィル密閉部３９５は、一体に形成されるということをあらかじめ明らかにしておく。
【０２０６】
リフィル提供部３９０は、本体１１０の保存空間に挿入されるが、本体１１０との結合のために、ねじ山結合ではない強制嵌め込み方式によっても結合される。
【０２０７】
そのために、リフィル提供部３９０は、外周面に沿って突出したリフィル突出部３９８を具備し、本体１１０は、リフィル突出部３９８と対応する位置及び対応する形状のリフィル陥入部を具備する。
【０２０８】
リフィル提供部３９０は、リフィル突出部３９８とリフィル陥入部との相互結合により、本体部１１０に固定される。
また、リフィル密閉部３９５は、外面から突出して形成されるが、貫通孔３９６ａが形成されるリフィル解除部３９６を具備し、貫通孔３９６ａに挿入される環状部材を介して印加された外力により、リフィル提供部３９５が本体１１０から離脱される。
【０２０９】
具体的には、環状部材は、貫通孔３９６ａの大きさと対応する形状の、別途に製作されたリフィル提供部３９０の本体１１０からの解除ツールでもある。
【０２１０】
ユーザは、リフィル提供部３９０の本体１１０からの分離のために、貫通孔３９６ａに環状部材を挿入した後、リフィル提供部３９０を本体１１０から遠くするための方向に外力を印加すれば、本体部挿入部３９１とリフィル密閉部３９５とが共に本体１１０から分離される。
【０２１１】
また、リフィル密閉部３９５には、前述の空気循環ホール１５２と同一機能を遂行する空気循環ホール３９５ａが形成されてもよい。
【０２１２】
図１１及び図１２は、本発明の他の実施形態による化粧容器を図示した斜視図である。
【０２１３】
図１１及び図１２を参照すれば、本発明の一実施形態による化粧容器は、一側面に押し部材１１４０が挿入される押し溝１１１３が形成され、内部が貫通形成され、液状が保存される本体１１１０、本体１１１０に挿入され、液状が流出される液状流出部１１７１が結合され、本体１１１０内部の液状を、液状流出部１１７１を介して流出させるシリンダ部１１３０、及び本体１１１０の先端１１１５に結合されるキャップ１１８０を含む。
【０２１４】
ここで、本体１１１０の保存空間に保存された液状は、液状流出部１１７１を介して移動されやすい粘性を有する多種の化粧品（化粧液）でもある。
【０２１５】
液状流出部１１７１は、キャップ１１８０が本体１１１０と分離されれば、外部に露出され、キャップ１１８０が本体１１１０と結合されれば、キャップ１１８０内に隠匿されて外部に露出されない。キャップ１１８０が本体１１１０と分離された後、押し部材１１４０に外力が印加されれば、一定量の液状が、液状流出部１１７１を介して外部に流出する。
【０２１６】
図１３は、本発明の一実施形態による化粧容器を分解した分解斜視図であり、図１４は、本発明の一実施形態による化粧容器の断面図である。
【０２１７】
図１３及び図１４を参照すれば、本体１１１０は、内部が貫通形成され、内部に液状を保管することができる収容空間が形成される。本体１１１０は、内部の化粧液状が見える透明材質または半透明材質によっても形成され、ガラスまたは合成樹脂素材のいずれも使用が可能である。本体１１１０の一側面には、押し部材１１４０が挿入される押し溝１１１３が形成される。
【０２１８】
シリンダ部１１３０は、本体１１１０に挿入され、内部が貫通形成され、一側端に、液状が流出される液状流出部１１７１が結合される液状ガイド部１１３１、及び液状ガイド部１１３１と連結され、下側面に形成された開放ホール１１３２ａを介して、本体１１１０に保存された液状が流入する収容空間を形成し、液状ガイド部１１３１と連通される連通ホール１１３２ｂと、押し溝１１１３に対応する位置に貫通ホール１１３２ｃと、が形成される収容部１１３２を具備する。
【０２１９】
押し部材１１４０は、本体１１１０の外部に突出して外力を受ける押し部１１４１ａ、押し部１１４１ａの下部に連結され、貫通ホール１１３２ｃに挿入される挿入部１１４１ｂ、及び挿入部１１４１ｂの下側面と収容部１１３２との間に配置されたまま、外力が印加されれば、挿入部１１４１ｂによって弾性変形され、外力が解除されれば、弾性変形による復元力によって復元され、挿入部１１４１ｂを位置移動させる第１弾性部１１４３を具備する。
【０２２０】
また、押し部材１１４０は、挿入部１１４１ｂに結合されたまま、第１方向から第２方向、または第２方向から第１方向への位置移動時、収容空間から外部への液状の流出を防止する第１シーリング部材１１４５を具備する。
【０２２１】
第１シーリング部材１１４５は、押し溝１１１３を介した収容空間への空気流出入を防止する。第１シーリング部材１１４５により、収容部１１３２の収容空間は、気密が維持され、収容空間内の液状が押し溝１１１３を介して流出されることが防止される。  それは、ユーザによる、液状使用のための押し部材１１４０の反復的外力印加過程において、押し溝１１１３を介した液状流出を防止し、ユーザの身体の一部に液状が付いたり、化粧容器の外面に液状が付いたりすることをあらかじめ防止する。
【０２２２】
第１シーリング部材１１４５は、挿入部１１４１ｂに結合されたまま、押し部材１１４０の第１方向から第２方向、または第２方向から第１方向への位置移動時、収容部１１３２の内面に沿ってスライディングされ、収容空間に収容された液状の押し溝１１１３を介した流出を防止する。
【０２２３】
具体的には、第１シーリング部材１１４５は、挿入部１１４１ｂの挿入前端部１１４１ｆに結合されたまま、挿入部中端部１１４１ｄの外径より外側方向に突出して形成されるが、収容部１１３２との接触によって圧着され、収容部１１３２の内径と対応する大きさに変形される。
【０２２４】
ここで、挿入部１１４１ｂは、収容部１１３２の内径と対応する大きさの外径に形成される挿入部中端部１１４１ｄ、挿入部中端部１１４１ｄの外径より小さく形成される外径に形成される挿入部前端部１１４１ｆ、及び挿入部後端部１１４１ｅから構成される。
【０２２５】
また、押し部材１１４０は、挿入部１１４１ｂに結合されたまま、第１方向から第２方向、または第２方向から第１方向への位置移動時、収容部１１３２の内周面に沿ってスライディングされる第２シーリング部材１１４７をさらに具備する。
【０２２６】
第２シーリング部材１１４７は、挿入部後端部１１４１ｅに結合されたまま、挿入部中端部１１４１ｄの外径より外側方向に突出して形成されるが、収容部１１３２との接触によって圧着され、収容部１１３２の内径と対応する大きさに変形される。
【０２２７】
ここで、第２シーリング部材１２４７は、外力によっても変形される弾性力を有する材質によっても形成される。
【０２２８】
押し部材１１４０の押し部１１４１ａに外力が印加されれば、挿入部１１４１ｂは、第１方向に沿って、第１位置から第２位置に位置移動する。挿入部１１４１ｂの第１位置から第２位置への位置移動は、収容部１１３２の収容空間内への移動を意味し、そのとき、挿入部１１４１ｂは、収容空間を規定する収容部１１３２の内壁と接触したまま、前記内壁に沿って移動する。
【０２２９】
ここで、挿入部前端部１１４１ｆに結合された第１シーリング部材１１４５、及び挿入部後端部１１４１ｅに結合された第２シーリング部材１１４７も、収容部１１３２の内壁と接触したまま、内壁に沿って移動し、収容部１１３２内壁との接触によって圧縮変形された第１シーリング部材１１４５及び第２シーリング部材１１４７は、収容部１１３２の内壁を圧迫し、収容部１１３２の内壁に沿ってスライディングされる。
【０２３０】
その場合、収容部１１３２の収容空間のうち、第２シーリング部材１１４７の下部に位置した空間は、第２シーリング部材１１４７によって密閉された状態になり、収容空間から液状ガイド部１１３１への液状流出圧力が上昇する効果が見られる。
【０２３１】
具体的には、第２シーリング部材１１４７は、挿入部１１４１ｂと収容部１１３２内壁との微細な間隙に移動する液状の流出を防ぎ、収容空間から液状ガイド部１１３１への液状流出を具現するので、第２シーリング部材１１４７がない場合と比較し、さらに強い圧力で液状流出を具現することができるのである。
【０２３２】
また、ユーザは、第２シーリング部材１１４７と収容部１１３２内壁との摩擦力を克服する外力を、押し部１１４１ａに印加しなければならないので、第２シーリング部材１１４７がない場合と比較し、さらに強い外力を押し部１１４１ａに印加しなければならない。
【０２３３】
そして、押し部材１１４０は、押し部１１４１ａと挿入部１１４１ｂとの間に形成され、外部に突出する外径減少部１１４１ｃをさらに具備することができる。
【０２３４】
押し部材１１４０が押し溝１１１３に挿入された後、外径減少部１１４１ｃの外径と対応する大きさに形成される係止ホール１１６１を具備する係止ハウジング１１６０が、本体１１１０の押し溝１１１３が形成された領域にも結合される。その場合、係止ハウジング１１６０は、押し溝１１１３と係止溝１１６１とが互いに連通するように、本体１１１０と結合され、押し部材１１４０に印加された外力が解除される場合、挿入部１１４１ｂが係止溝１１６１に支持され、押し部材１１４０の外部離脱が防止される。
【０２３５】
また、外径減少部１１４１ｃの上面には、押し部１１４１ａの突起ｒが挿入される突起収容部ｈを具備し、押し部１１４１ａの突起ｒが突起収容部ｈに収容されれば、押し部１１４１ａと挿入部１１４１ｂは、互いに連結される。
【０２３６】
ここで、押し部１１４１ａの断面積の大きさは、前記外径減少部１１４１ｃの断面積の大きさより大きく形成され、ユーザの身体の一部との接触面積を広くし、さらに容易に押し部１１４１ａに外力を印加する。
【０２３７】
一方、シリンダ部１１３０は、本体１１１０内部に形成されたまま、押し部材１１４０の下部に位置し、本体１１１０に保存された液状が、押し部材１１４０によって加圧されやすい位置に位置し、押し部材１１４０に印加された外力と同一量（体積）の液状が、液状流出部１１７１を介して外部に流出する。
【０２３８】
具体的には、シリンダ部１１３０は、内部が貫通形成され、一側端に、液状が流出される液状流出部１１７１が結合される液状ガイド部１１３１、及び液状ガイド部１１３１から連結され、一側領域が開放された開放ホール１１３２ａを介して、本体１１１０に保存された液状が流入する収容空間を形成し、液状ガイド部１１３１と連通される連通ホール１１３２ｂと、押し溝１１１３に対応する位置に貫通ホール１１３２ｃとが形成される収容部１１３２を具備する。
【０２３９】
シリンダ部１１３０の収容空間は、印加された外力により、第１方向に位置移動された押し部材１１４０により、第１体積ほど縮小され、それにより、収容空間に収容された液状のうち、第１体積に該当する量が、液状ガイド部１１３１を介して、液状流出部１１７１に流出される。また、印加された外力が解除されれば、押し部材１１４０は、第１方向の反対方向である第２方向に位置移動し、シリンダ部１１３０の収容空間の大きさが、第１体積ほど拡張され、このとき、拡張された収容空間の第１体積を充填するために、本体１１１０に保存された液状が収容空間に流入される。それに係わる動作原理は、以下、図１５ないし図１８を参照して詳細に説明する。
【０２４０】
密閉部材１１５０は、本体１１１０下部の貫通領域を密閉する。
液状流出部１１７１は、上部領域に形成されたまま、液状が外部に流出するホールを形成する流出ホール１１７１ａ、及び下部領域に形成されるが、液状ガイド部１１３１の先端部に挿入結合される結合部１１７１ｂを具備する。
【０２４１】
ここで、流出ホール１１７１ａが皮膚に良好に密着するように、流出ホール１１７１ａの断面は、楕円状にも形成される。本発明の他の実施形態によれば、流出ホールは、化粧のためのブラシ（図示せず）が結合され、流出ホールを介して流出された液状は、柔らかいブラシを介して、ユーザ皮膚にも吸収される。そのとき、ユーザは、柔らかいブラシの肌触りを感じながら、液状を皮膚の美容に利用することができる。
【０２４２】
結合部１１７１ｂが液状ガイド部１１３１の先端部に挿入結合される場合、結合部１１７１ｂの外面と、液状ガイド部１１３１の内面との間には、離隔空間Ｑが形成される。
結合部１１７１ｂは、第１結合部１１７１ｃ、第２結合部１１７１ｄ及び開閉部１１７３を具備する。
【０２４３】
第１結合部１１７１ｃは、流出ホール１１７１ａと連通される第１連通空間Ｖ１を形成し、第１連通空間Ｖ１と前記離隔空間Ｑとを連通する第１通孔Ｈ１を具備する。
【０２４４】
第２結合部１１７１ｄは、連通ホール１１３２ｂと連通される第２連通空間Ｖ２を形成し、第２連通空間Ｖ２と離隔空間Ｑとを連通する第２通孔Ｈ２を具備する。
開閉部１１７３は、第２通孔Ｈ２を包囲するように配置され、第２通孔Ｈ２を介した液状の移動いかんを決定する。
【０２４５】
具体的には、開閉部１１７３は、押し部材１１４０に外力が印加される場合、連通ホール１１３２ｂを介して、液状ガイド部１１３１の先端部方向に移動する液状による圧力によって弾性変形され、第２通孔Ｈ２を開放させ、圧力が弱くなる場合、弾性変形による復元力によって復元され、第２通孔Ｈ２を閉鎖する。
【０２４６】
開閉部１１７３は、一種の薄いゴム膜であり、第２結合部１１７１ｄの外周面を囲むように位置し、第２通孔Ｈ２を開閉することができる。
【０２４７】
一方、一実施形態による化粧容器は、本体１１１０の保存空間に配置され、前記保存空間を、第１保存空間Ｓ１及び第２保存空間Ｓ２に分割し、シリンダ部１１３０との間に形成された第１保存空間Ｓ１に液状が保存され、押し部材１１４０に印加された外力が解除され、第１保存空間Ｓ１に保存された液状のうち、第１体積の液状と同一体積の液状が、開放ホール１１３２ａを介して、収容部１１３２の収容空間に流入されれば、本体１１１０の内側面に沿って位置移動し、第１保存空間Ｓ１の大きさを第１体積ほど縮小させる圧着部１１９０をさらに含む。
【０２４８】
また、第２保存空間Ｓ２は、圧着部１１９０と密閉部材１１５０との間に形成され、第１保存空間Ｓ１の大きさが第１体積ほど縮小される場合、第２保存空間Ｓ２の大きさは、第１体積ほど拡張される。
【０２４９】
圧着部１１９０に係わる具体的な説明は、図１５ないし図１８を参照して説明する、化粧容器の外力印加いかんによるメカニズムについて説明しながら詳細に扱う。
【０２５０】
図１５及び図１６は、本発明の一実施形態による、化粧容器の押し部材に外力が印加された場合について説明するための概路図であり、図１７及び図１８は、本発明の一実施形態による、化粧容器の押し部材に印加された外力が解除された場合について説明するための概路図である。
【０２５１】
図１５及び図１６に図示されているように、キャップ１１８０が除去された後、化粧容器を利用するユーザが、身体の一部（指）を利用して、押し部１１４１ａに第１方向に外力を印加すれば、挿入部１１４１ｂは、第１方向に沿って、第１位置から第２位置に位置移動する。挿入部１１４１ｂの第１位置から第２位置への移動は、収容部１１３２の収容空間内への移動を意味するので、収容部１１３２の収容空間の大きさは、挿入された挿入部１１４１ｂによって縮小される。
【０２５２】
そのとき、収容空間の大きさは、第１体積ほど縮小され、言い換えれば、挿入部１１４１ｂの第１体積ほどが収容空間内に挿入されるというような意味である。また、押し部１１４１ａの第１位置から第２位置への移動により、第１弾性部１１４３は、圧縮弾性変形される。
【０２５３】
挿入部１１４１ｂの収容空間内への位置移動により、収容空間内に収容されていた液状は、液状ガイド部１１３１を介して、液状流出部１１７１に移動する。
【０２５４】
ここで、収容空間内での液状流出経路は、液状ガイド部１１３１を介した流出と、開放ホール１１３２ａを介した流出との経路があるが、挿入部１１４１ｂの第１位置から第２位置への移動中、開放ホール１１３２ａは、挿入部１１４１ｂによって閉鎖されるので、収容空間内の液状は、液状ガイド部１１３１を介した流出経路を介して移動する。それにより、ユーザは、液状流出部１１７１を介して流出（排出）された液状を利用することができる。
【０２５５】
開放ホール１１３２ａの閉鎖について具体的に説明すれば、挿入部１１４１ｂは、収容空間内に挿入されながら、収容部１１３２の内壁と面接触し、そのとき、収容部１１３２の内壁を貫通する開放ホール１１３２ａと重畳されながら、開放ホール１１３２ａを塞ぎ、それにより、開放ホール１１３２ａを介した液状の流出入が防止される。
【０２５６】
前述の挿入部１１４１ｂについて整理すれば、挿入部１１４１ｂは、押し部１１４１ａに外力が印加されれば、第１位置から第２位置に位置移動し、押し部１１４１ａに印加された外力が解除されれば、第１弾性部１１４３により、第２位置から第１位置に位置移動し、第２位置に位置した場合、開放ホール１１３２ａを閉鎖し、開放ホール１１３２ａを介した液状の位置移動を制限し、第１位置に位置した場合、開放ホール１１３２ａを開放し、開放ホール１３２ａを介した液状の位置移動を自由にする。
【０２５７】
また、収容部１１３２の収容空間から、連通ホール１１３２ｂを介して移動する液状による圧力により、開閉部１１７３は、第２通孔Ｈ２を開放させる。それにより、第２通孔Ｈ２を介して外部に流出することができなかった第２連通空間Ｖ２に収容された液状は、第２通孔Ｈ２、離隔空間Ｑ、第１通孔Ｈ１、第１連通空間Ｖ１を順次に経て、流出ホール１１７１ａを介して外部に流出する。
【０２５８】
そして、第２連通空間Ｖ２に収容された液状が、第２通孔Ｈ２を介して流出されることにより、開閉部１１７３に加えられる圧力が弱くなり、その場合、開閉部１１７３は、弾性変形による復元力によって復元され、第２通孔Ｈ２を閉鎖する。ここで、流出ホール１１７１ａを介して外部に流出された液状の量ほど、シリンダ部１１３２内部に収容された液状が消耗する。
【０２５９】
図１７及び図１８を参照すれば、押し部１１４１ａに印加された外力が解除されれば、圧縮弾性変形された第１弾性部１１４３は、復元力によって膨脹変形され、それにより、押し部１１４１ａの第２位置から第１位置への位置移動が具現される。
【０２６０】
そのとき、収容部１１３２の収容空間内に挿入されていた挿入部１１４１ｂも、収容空間から第２方向に位置移動する。挿入部１１４１ｂの第２方向への位置移動により、収容空間は、第１体積ほどの空スペースが生じ、挿入部１１４１ｂの第２方向への位置移動中に、開放ホール１１３２ａが開放されるので、第１体積ほどの空スペースは、開放ホール１１３２ａを介して移動された液状によって充填される。
【０２６１】
具体的には、押し溝１１１３は、第１シーリング部材１１４５によって気密が維持され、空気流出入が防止されるので、収容部１１３２の収容空間内への空気流入がない限り、第１体積ほどの空スペースは、真空状態になる。そのとき、開放ホール１１３２ａを介した、本体１１１０の第１保存空間Ｓ１に保存された液状が、真空状態の収容空間内に吸い込まれる現象を利用して、収容空間内に一定量の液状が維持される。
【０２６２】
その場合、収容部１１３２内への他の液状移動経路である第２通孔Ｈ２を閉鎖する開閉部１１７５により、液状移動が遮断された状態であるので、収容部１１３２の収容空間内への液状流入は、開放ホール１１３２ａを介しても具現される。
【０２６３】
また、開放ホール１１３２ａを介した、本体１１１０の第１保存空間Ｓ１から収容空間内への液状移動が具現されるためには、第１保存空間Ｓ１内に液状だけが存在しなければならず、第１体積ほどの液状が、第１保存空間Ｓ１から流出するので、第１保存空間Ｓ１の大きさも可変的でなければならない。
【０２６４】
そのために、本発明の化粧容器は、圧着部１１９０を含み、圧着部１１９０は、第１保存空間Ｓ１を規定したまま、外部からの空気流入を防止する。
【０２６５】
圧着部１１９０は、本体１１１０の内側面に沿って位置移動し、位置移動は、第１保存空間Ｓ１から流出された液状の体積変化によって具現される。
【０２６６】
具体的には、第１保存空間Ｓ１内には、液状だけが存在するので、液状が流出した場合に発生する空スペースは、空気または外部物質で充填されなければならないが、第１保存空間Ｓ１は、圧着部１１９０によって、外部からの物質交換が防止されるので、縮小された第１保存空間Ｓ１は、自体の大きさを小さくし、液状流出を可能にする。
【０２６７】
圧着部１１９０は、本体１１１０の保存空間を、第１保存空間Ｓ１及び第２保存空間Ｓ２に分割し、押し部材１１４０に印加された外力が解除され、第１保存空間Ｓ１に保存された液状のうち一部、すなわち、第１体積の液状が、開放ホール１１３２ａを介して、収容部１１３２の収容空間に流入されれば、本体１１１０の内側面に沿って移動し、第１保存空間Ｓ１の大きさが第１体積ほど縮小される。
【０２６８】
また、圧着部１１９０によって分割された第２保存空間Ｓ２は、第１保存空間Ｓ１の体積が縮小されることにより、相対的に拡張される。
【０２６９】
ここで、密閉部材１１５０は、第２保存空間Ｓ２と化粧容器１１外部とが連通される空気循環ホール１１５２を形成し、空気循環ホール１１５２は、第２保存空間Ｓ２が第１体積ほど拡張される場合、第１体積と同一体積の外部空気を、第２保存空間Ｓ２に流入させる通路を提供する。
【０２７０】
一方、本体１１１０内に保存された液状のうち、第１体積に該当する量の液状は、収容空間内に移動し、収容部１１３２の収容空間内に収容された液状は、再びユーザの外力を待つ待機状態になる。
【０２７１】
ユーザは、液状流出部１１７１を介して流出された液状を利用した後、液状がさらに必要であると判断されれば、第２位置から第１位置に移動された押し部材１１４０の押し部１１４１ａに再び外力を印加し、前述の一連の過程が反復されることになる。
【０２７２】
前述の実施形態によれば、収容部１１３２の構成が本体１１１０の上部内面に挿入されるように説明したが、収容部１１３２の構成が本体１１１０の前端部に一体に形成されてもよい。
【０２７３】
図１９及び図２０は、本発明のさらに他の実施形態による化粧容器について説明するための概路図である。
【０２７４】
図１９及び図２０を参照すれば、本発明のさらに他の実施形態による化粧容器は、リフィル提供部１３９０を除いては、図１８を参照して説明した化粧容器と、構成及び効果が同一であるので、以下、リフィル提供部１３９０について説明する。
【０２７５】
また、図１９及び図２０は、説明の便宜のために、本体部挿入部１３９１とリフィル密閉部１３９５とを分離させて図示したが、本体部挿入部１３９１とリフィル密閉部１３９５は、一体に形成されることを前もって明らかにしておく。
【０２７６】
リフィル提供部１３９０は、本体１１１０の保存空間に挿入されるが、本体１１１０との結合のために、ねじ山結合ではない強制嵌め込み方式によっても結合される。
そのために、リフィル提供部１３９０は、外周面に沿って突出したリフィル突出部１３９８を具備し、本体１１１０は、リフィル突出部１３９８と対応する位置及び対応する形状のリフィル陥入部を具備する。
【０２７７】
リフィル提供部１３９０は、リフィル突出部１３９８とリフィル陥入部との相互結合によって、本体部１１１０に固定される。
【０２７８】
また、リフィル密閉部１３９５は、外面から突出して形成されるが、貫通孔１３９６ａが形成されるリフィル解除部１３９６を具備し、貫通孔１３９６ａに挿入される環状部材を介して印加された外力により、リフィル提供部１３９５が本体１１１０から離脱される。
【０２７９】
具体的には、環状部材は、貫通孔１３９６ａの大きさと対応する形状の、別途に製作されたリフィル提供部１３９０の本体１１１０からの解除ツールでもある。
【０２８０】
ユーザは、リフィル提供部１３９０の本体１１１０からの分離のために、貫通孔１３９６ａに環状部材を挿入した後、リフィル提供部１３９０を本体１１１０から遠くするための方向に外力を印加すれば、本体部挿入部１３９１とリフィル密閉部１３９５とが共に本体１１１０から分離される。
【０２８１】
また、リフィル密閉部１３９５には、前述の空気循環ホール１１５２と同一機能を遂行する空気循環ホール１３９５ａが形成されてもよい。
【０２８２】
図２１Ａは、本発明の一実施形態による化粧容器の斜視図であり、図２１Ｂは、図２１Ａのキャップを分離させた図面である。
【０２８３】
図２１Ａ及び図２１Ｂを参照すれば、本発明の一実施形態による化粧容器は、上部の一側面に押し部材１１１４０が挿入される押し溝１１１１３が形成され、内部が貫通形成され、液状が保存される保存空間が形成される本体１１１１０、前記本体１１１１０内に形成され、内部が貫通形成され、一側端に、液状が流出される液状流出部１１１７１が結合される液状ガイド部１１１３１、及び前記液状ガイド部１１１３１と連結され、一側に形成された開放ホール１１１３２ａを介して、前記本体１１１１０に保存された液状が流入する収容空間を形成し、前記液状ガイド部１１１３１と連通される連通ホール１１１３２ｂと、前記押し溝１１１１３に対応する位置に貫通ホール１１１３２ｃとが形成される収容部１１１３２を具備するシリンダ部１１１３０、並びに前記本体１１１１０の先端に結合されるキャップ１１１８０を含む。
【０２８４】
ここで、本体１１１１０の保存空間に保存された液状は、液状流出部１１１７１を介して移動されやすい粘性を有する多種の化粧品（化粧液）でもあり、それ以外のフロー性がある流体からもなる。
【０２８５】
液状流出部１１１７１は、キャップ１１１８０が本体１１１１０と分離されれば、外部に露出され、キャップ１１１８０が本体１１１１０と結合されれば、キャップ１１１８０内に隠匿されて外部に露出されない。キャップ１１１８０が本体１１１１０と分離された後、押し部材１１１４０に外力が印加されれば、前記本体１１１１０内部に具備された液状、例えば、化粧品などが、一定量で液状流出部１１１７１を介して外部に流出する。
【０２８６】
キャップ１１１８０は、液状が流出される液状流出部１１１７１をカバーするために具備されるものであり、多様な形態にも具備され、本体１１１１０と異なる材質からも具備される。
【０２８７】
図２２Ａは、図２１Ａの分解斜視図であり、図２２Ｂは、図２２Ａのシリンダ部を示した図面である。図２３は、図２１Ａによる化粧容器の断面図であり、図２４は、図２１Ｂによる化粧容器の断面図である。
【０２８８】
図２２Ａないし図２４を参照すれば、本体１１１１０は、内部が貫通形成され、内部に液状を保管することができる収容空間が形成される。本体１１１１０は、内部の化粧品の液状が見える透明材質または半透明材質によっても形成され、ガラスまたは合成樹脂素材のいずれも使用が可能である。本体１１１１０の一側面には、押し部材１１１４０が挿入される押し溝１１１１３が形成される。また、本体１１１１０の内部には、シリンダ部１１１３０が具備され、本体１１１１０の収容空間に具備される液状の流出入を制御することができる。
【０２８９】
シリンダ部１１１３０は、本体１１１１０に挿入され、内部が貫通形成され、一側面に液状が流出される液状流出部１１１７１が結合される液状ガイド部１１１３１、及び液状ガイド部１１１３１と連結され、他側面に形成された開放ホール１１１３２ａを介して、本体１１１１０に保存された液状が流入する収容空間を形成し、液状ガイド部１１１３１と連通される連通ホール１１１３２ｂと、押し溝１１１１３に対応する位置に貫通ホール１１１３２ｃとが形成される収容部１１１３２を具備する。
【０２９０】
例えば、シリンダ部１１１３０は、内部に液状が保存される収容空間を具備した四角形のボックス状である収容部１１１３２を含むが、収容部１１１３２の一側面には、液状ガイド部１１１３１と連結される連通ホール１１１３２ｂが具備され、他側面には、連通ホール１１１３２ｂと対面するように、開放ホール１１１３２ａが具備される。また、収容部１１１３２の上部面には、押しホール１１１１３と対面する貫通ホール１１１３２ｃが具備される。従って、収容部１１１３２の収容空間に流入された液状は、貫通ホール１１１３２ｃを介して、押し部材１１１４０によって加圧され、連通ホール１１１３２ｂ、ガイド部１１１３１及び液状流出部１１１７１を介して外部に排出される。
押し部材１１１４０は、本体１１１１０の外部に突出して外力を受ける押し部１１１４１ａ、押し部１１１４１ａの下部に連結され、貫通ホール１１１３２ｃに挿入される挿入部１１１４１ｂ、及び挿入部１１１４１ｂの下側面と収容部１１１３２との間に配置されたまま、外力が印加されれば、挿入部１１１４１ｂによって弾性変形され、外力が解除されれば、弾性変形による復元力によって復元され、挿入部１１１４１ｂを位置移動させる第１弾性部１１１４３を具備する。
【０２９１】
押し部材１１１４０は、挿入部１１１４１ｂに結合されたまま、第１方向から第２方向、または第２方向から第１方向、例えば、本体１１１１０の長手方向に対して垂直方向に位置移動するとき、収容空間から外部への前記液状の流出を防止する第１シーリング部材１１１４５を具備する。
【０２９２】
第１シーリング部材１１１４５は、押し溝１１１１３を介した収容空間への空気流出入を防止する。第１シーリング部材１１１４５は、押し溝１１１１３を介した収容空間への空気流出入を防止する。第１シーリング部材１１１４５により、収容部１１１３２の収容空間は、気密が維持され、収容空間内の液状が押し溝１１１１３を介して流出されることが防止される。それは、ユーザによる、液状使用のための押し部材１１１４０の反復的外力印加過程において、押し溝１１１１３を介した液状流出を防止し、ユーザの身体の一部に液状が付いたり、化粧容器の外面に液状が付いたりすることを前もって防止する。
【０２９３】
第１シーリング部材１１１４５は、挿入部１１１４１ｂに結合されたまま、押し部材１１１４０の第１方向から第２方向、または第２方向から第１方向への位置移動時、収容部１１１３２の内面に沿ってスライディングされ、収容空間に収容された液状の押し溝１１１１３を介した流出を防止する。
【０２９４】
挿入部１１１４１ｂは、前記収容部１１１３２の内径と対応する大きさの外径に形成される挿入部中端部１１１４１ｄ、前記挿入部中端部１１１４１ｄの外径より小さい外径に形成される挿入部前端部１１１４１ｆ、及び挿入部後端部１１１４１ｅで構成される。
【０２９５】
第１シーリング部材１１１４５は、挿入部１１１４１ｂの挿入部前端部１１１４１ｆに結合されたまま、挿入部中端部１１１４１ｄの外径より外側方向に突出して形成されるが、収容部１１１３２との接触によって圧着され、収容部１１１３２の内径と対応する大きさに変形される。
【０２９６】
また、押し部材１１１４０は、挿入部１１１４１ｂに結合されたまま、第１方向から第２方向、または第２方向から第１方向への位置移動時、収容部１１１３２の内周面に沿ってスライディングされる第２シーリング部材１１１４７をさらに具備する。
【０２９７】
第２シーリング部材１１１４７は、挿入部１１１４１ｂの挿入部後端部１１１４１ｅに結合されたまま、挿入部中端部１１１４１ｄの外径より外側方向に突出して形成されるが、収容部１１１３２との接触によって圧着され、収容部１１１３２の内径と対応する大きさに変形される。
【０２９８】
ここで、第２シーリング部材１１１４７は、外力によっても変形される弾性力を有する材質によっても形成される。
【０２９９】
また、ユーザは、第２シーリング部材１１１４７と収容部１１１３２内壁との摩擦力を克服する外力を押し部１１１４１ａに印加しなければならないので、第２シーリング部材１１１４７がない場合と比較し、さらに強い外力を押し部１１１４１ａに印加しなければならない。
【０３００】
そして、押し部材１１１４０は、押し部１１１４１ａと挿入部１１１４１ｂとの間に形成され、外部に突出する外径減少部１１１４１ｃをさらに具備することができる。
【０３０１】
押し部材１１１４０が押し溝１１１１３に挿入された後、外径減少部１１１４１ｃの外径と対応する大きさに形成される係止ホール１１１６１を具備する係止ハウジング１１１６０が本体１１１１０の押し溝１１１１３が形成された領域にも結合される。その場合、係止ハウジング１１１６０は、押し溝１１１１３と係止溝１１１６１とが互いに連通するように、本体１１１１０と結合され、押し部材１１１４０に印加された外力が解除される場合、挿入部１１１４１ｂが係止溝１１１６１に支持され、押し部材１１１４０の外部離脱が防止される。
【０３０２】
また、外径減少部１１１４１ｃの上面には、押し部１１１４１ａの突起ｒが挿入される突起収容部ｈを具備し、押し部１１１４１ａの突起ｒが突起収容部ｈに収容されれば、押し部１１１４１ａと挿入部１１１４１ｂは、互いに連結される。
【０３０３】
ここで、押し部１１１４１ａの断面積の大きさは、前記外径減少部１１１４１ｃの断面積の大きさより大きく形成され、ユーザの身体の一部との接触面積を広くし、さらに容易に押し部１１１４１ａに外力を印加する。
【０３０４】
押し部１１１４１ａに前記外力が印加されれば、挿入部１１１４１ｂは、第１位置から第２位置に位置移動し、また押し部１１１４１ａに印加された外力が解除されれば、挿入部１１１４１ｂは、第１弾性部１１１４３により、第２位置から第１位置に位置移動する。挿入部１１１４１ｂの第１位置から第２位置への位置移動は、収容部１１１３２の収容空間内への移動を意味し、そのとき、挿入部１１１４１ｂは、収容空間を規定する収容部１１１３２の内壁と接触したまま、前記内壁に沿って移動する。
【０３０５】
押し部材１１１４０において、挿入部前端部１１１４１ｆに結合された第１シーリング部材１１１４５、及び挿入部後端部１１１４１ｅに結合された第２シーリング部材１１１４７も、収容部１１１３２の内壁と接触したまま、内壁に沿って移動し、収容部１１１３２内壁との接触によって圧縮変形された第１シーリング部材１１１４５及び第２シーリング部材１１１４７は、収容部１１１３２の内壁を圧迫し、収容部１１１３２の内壁に沿ってスライディングされる。
【０３０６】
その場合、収容部１１１３２の収容空間のうち、第２シーリング部材１１１４７の下部に位置した空間は、第２シーリング部材１１１４７によって密閉された状態になり、収容空間から液状ガイド部１１１３１への液状流出圧力が上昇する効果が見られる。
【０３０７】
第２シーリング部材１１１４７は、挿入部１１１４１ｂと収容部１１１３２内壁との微細な間隙に移動する液状の流出を防ぎ、収容空間から液状ガイド部１１１３１への液状流出を具現するので、第２シーリング部材１１１４７がない場合と比較し、さらに強い圧力で液状流出を具現することができるのである。
【０３０８】
挿入部１１１４１ｂが第２位置に位置した場合、収容空間内の液状の圧力が上昇し、ここに開放ホール１１１３２ａを介して流入される液状は、制限するが、液状流出部１１１７１を介して液状を排出する。それと反対に、挿入部１１１４１ｂが第１位置に位置した場合、収容空間内の液状の圧力が低下し、液状流出部１１１７１への排出が遮断され、同時に開放ホール１１１３２ａを介して、液状が充填されることにより、収容空間内に具備される液状は、一定量に維持される。
【０３０９】
開放ホール１１１３２ａの一側面は、挿入部１１１４１ｂが挿入される収容空間と接し、開放ホール１１１３２ａの他側面は、本体内に具備されるシリンダ部１１１３０と接触する。
【０３１０】
一方、シリンダ部１１１３０は、本体１１１１０内部に形成されたまま、押し部材１１１４０の下部に位置し、本体１１１１０に保存された液状が押し部材１１１４０によって加圧されやすい位置に位置し、押し部材１１１４０に印加された外力と同一量（体積）の液状が液状流出部１１１７１を介して外部に流出する。
【０３１１】
具体的には、シリンダ部１１１３０は、内部が貫通形成され、一側端に、液状が流出される液状流出部１１１７１が結合される液状ガイド部１１１３１、及び液状ガイド部１１１３１から連結され、一側領域が開放された開放ホール１１１３２ａを介して、本体１１１１０に保存された液状が流入する収容空間を形成し、液状ガイド部１１１３１と連通される連通ホール１１１３２ｂと、押し溝１１１１３に対応する位置に貫通ホール１１１３２ｃとが形成される収容部１１１３２を具備する。
【０３１２】
また、シリンダ部１１１３０は、開放ホール１１１３２ａと段差がつくように連結されて内部が貫通形成される円筒管１１３３０、円筒管１１３３０内に具備される開閉部支持部１１３４０、開閉部支持部１１３４０の末端に具備される開閉部１１３５０、並びに円筒管１１３３０を覆うように具備されるが、一側及び他側が開口され、それぞれ第１開口部１１３６１及び第２開口部１１３６２を具備し、開閉部１１３５０に対応する部分が円錐台型に具備されるカバー部１１３６０をさらに含む。
【０３１３】
円筒管１１３３０は、開放ホール１１１３２ａを取り囲むように、前記開放ホール１１１３２ａの内径より円筒管１１３３０の内径がさらに大きく具備され、カバー部１１３６０は、第１開口部１１３６１の直径が第２開口部１１３６２の直径より大きく具備されるように、断面が円形であり、他側に行くほど断面がだんだんと小さくなるように具備される。開閉部１１３５０は、開閉部支持部１１３４０の末端において球形に具備され、開閉部支持部１１３４０に加えられる外力により、可逆的にカバー部１１３６０の第２開口部１１３６２を開閉させることができる。
【０３１４】
開閉部支持部１１３４０と開閉部１１３５０とにより、前記カバー部１１３６０の第２開口部１１３６２を閉鎖し、前記開放ホール１１１３２ａを介した液状の位置移動を制限し、前記第２位置に位置した場合、前記第２開口部１１３６２を開放し、前記開放ホール１１１３２ａを介した液状の位置移動を自由にする。
【０３１５】
例えば、開閉部支持部１１３４０は、スプリング状に具備され、円筒管１１３３０内に具備されるが、円筒管１１３３０の一側から他側まで延長されるように具備され、開閉部１１３５０は、開閉部支持部１１３４０の末端に具備され、カバー部１１３６０の第２開口部１１３６２を塞ぐように具備される。円筒管１１３３０の内径ｔ１は、開放ホール１１１３２ａの内径より大きく具備されるように、段差がつくように連結されるので、円筒管１１３３０内に具備される開閉部支持部１１３４０は、開放ホール１１１３２ａに離脱せず、円筒管１１３３０内部に位置が維持される。
【０３１６】
収容空間内の液状の圧力が高くない場合には、開閉部支持部１１３４０は、緩く延長され、開閉部１１３５０は、第２開口部１１３６２を密閉させないので、第２開口部１１３６２を介して、液状の移動が可能である。一方、収容空間内の圧力が高い場合には、液状は、開閉部支持部１１３４０を加圧し、それにより、開閉部１１３５０は、第２開口部１１３６２を密閉させることにより、空気流出入を遮断する。
【０３１７】
円筒管１１３３０は、内部に空スペースを具備した円筒の形態に具備され、カバー部１１３６０は、円筒管１１３３０が挿入されるように、円筒管１１３３０より大きい内径に具備されるが、円筒管１１３３０に対応する形態に具備される円筒の形態と、円筒管１１３３０から一部露出される開閉部１１３５０を覆い包むように具備される円錐台の行動と、が互いに連結されて具備される。円筒管１１３３０は、カバー部１１３６０に挿入されることにより、円筒管１１３３０内部に具備される開閉部支持部１１３４０と開閉部１１３５０が流失されないように維持される。
【０３１８】
また、円筒管１１３３０の外面には、第１締結部１１３３１を具備し、カバー部１１３６０の内側には、第１締結部１１３３１と締結する第２締結部１１３６３を具備し、カバー部１１３６０は、前記円筒管１１３３０に密接して接触して固定される。円筒管１１３３０は、カバー部１１３６０の内側に挿入され、開放ホール１１１３２ａと、カバー部１１３６０の第２開口部１１３６２とが互いに流体が連通されるように具備される。
【０３１９】
例えば、第１締結部１１３３１と第２締結部１１３６２は、それぞれ突起及び溝の形態に具備され、嵌め込み結合によって締結され、あるいはねじ山及びねじ溝によって、螺合によっても締結される。第１締結部１１３３１及び第２締結部１１３６２は、カバー部１１３６０を、円筒管１１３３０に密接して固定させるためのものであり、多様な構成が可能であって省略されもするが、それに制限されるものではない。
【０３２０】
シリンダ部１１１３０の収容空間は、印加された外力により、第１方向に位置移動された押し部材１１１４０により、第１体積ほど縮小され、それにより、収容空間に収容された液状のうち、第１体積に該当する量が液状ガイド部１１１３１を介して、液状流出部１１１７１に流出される。また、印加された外力が解除されれば、押し部材１１１４０は、第１方向の反対方向である第２方向に位置移動し、シリンダ部１１１３０の収容空間の大きさが第１体積ほど拡張され、このとき、拡張された収容空間の第１体積を充填するために、本体１１１１０に保存された液状がカバー部１１３６０の第２開口ホール１１３６２を介して収容空間に流入される。
【０３２１】
また、外力が印加されれば、押し部材１１１４０は、少なくとも一部分が収容空間内に挿入されるように、第１方向に位置移動し、前記収容空間に収容された液状のうち、第１体積の液状が、前記連通ホール１１１３２ｂを介して、前記液状流出部１１１７１に流出され、印加された外力が解除されれば、前記第１方向と反対方向である第２方向に位置移動し、前記液状流出部１１１７１に流出された前記第１体積の液状と同一体積の液状が、前記開放ホール１１１３２ａを介して、前記保存空間から前記収容空間に流入される。それに係わる動作原理は、以下、図２５ないし図２８を参照して詳細に説明する。
【０３２２】
密閉部材１１１５０は、本体１１１１０下部の貫通領域を密閉する。
【０３２３】
液状流出部１１１７１は、上部領域に形成されたまま、液状が外部に流出するホールを形成する流出ホール１１１７１ａ、及び下部領域に形成されるが、液状ガイド部１１１３１の先端部に挿入結合される結合部１１１７１ｂを具備する。
【０３２４】
ここで、流出ホール１１１７１ａが皮膚に良好に密着するように、流出ホール１１１７１ａの断面は、楕円状にも形成される。本発明の他の実施形態によれば、流出ホールは、化粧のためのブラシ（図示せず）が結合され、流出ホールを介して流出された液状は、柔らかいブラシを介して、ユーザ皮膚にも吸収される。そのとき、ユーザは、柔らかいブラシの肌触りを感じながら、液状を皮膚の美容に利用することができる。
【０３２５】
結合部１１１７１ｂが、液状ガイド部１１１３１の先端部に挿入結合される場合、結合部１１１７１ｂの外面と、液状ガイド部１１１３１の内面との間には、離隔空間Ｑが形成される。
【０３２６】
結合部１１１７１ｂは、第１結合部１１１７１ｃ、第２結合部１１１７１ｄ及び開閉部１１１７３を具備する。
【０３２７】
第１結合部１１１７１ｃは、流出ホール１１１７１ａと連通される第１連通空間Ｖ１を形成し、第１連通空間Ｖ１と前記離隔空間Ｑとを連通する第１通孔Ｈ１を具備する。
【０３２８】
第２結合部１１１７１ｄは、連通ホール１１１３２ｂと連通される第２連通空間Ｖ２を形成し、第２連通空間Ｖ２と離隔空間Ｑとを連通する第２通孔Ｈ２を具備する。
【０３２９】
開閉部１１１７３は、第２通孔Ｈ２を包囲するように配置され、第２通孔Ｈ２を介した液状の移動いかんを決定する。
【０３３０】
具体的には、開閉部１１１７３は、押し部材１１１４０に外力が印加される場合、連通ホール１１１３２ｂを介して、液状ガイド部１１１３１の先端部方向に移動する液状による圧力によって弾性変形され、第２通孔Ｈ２を開放させ、圧力が弱くなる場合、弾性変形による復元力によって復元され、第２通孔Ｈ２を閉鎖する。
【０３３１】
開閉部１１１７３は、一種の薄いゴム膜であり、第２結合部１１１７１ｄの外周面を囲むように位置し、第２通孔Ｈ２を開閉することができる。
【０３３２】
一方、一実施形態による化粧容器は、本体１１１１０の保存空間に配置され、前記保存空間を、第１保存空間Ｓ１及び第２保存空間Ｓ２に分割し、シリンダ部１１１３０との間に形成された第１保存空間Ｓ１に液状が保存され、押し部材１１１４０に印加された外力が解除され、第１保存空間Ｓ１に保存された液状のうち、第１体積の液状と同一体積の液状が、開放ホール１１１３２ａを介して、収容部１１１３２の収容空間に流入されれば、本体１１１１０の内側面に沿って位置移動し、第１保存空間Ｓ１の大きさを第１体積ほど縮小させる圧着部１１１９０をさらに含む。
【０３３３】
また、第２保存空間Ｓ２は、圧着部１１１９０と密閉部材１１１５０との間に形成され、第１保存空間Ｓ１の大きさが第１体積ほど縮小される場合、第２保存空間Ｓ２の大きさは、第１体積ほど拡張される。
【０３３４】
圧着部１１１９０に係わる具体的な説明は、図２５ないし図２８を参照して説明する、化粧容器の外力印加いかんによるメカニズムについて説明しながら詳細に扱う。
【０３３５】
図２５及び図２６は、本発明の一実施形態による、化粧容器の押し部材に外力が印加された場合について説明するための概路図であり、図２７及び図２８は、本発明の一実施形態による、化粧容器の押し部材に印加された外力が解除された場合について説明するための概路図である。
【０３３６】
図２５及び図２６に図示されているように、キャップ１１１８０が除去された後、化粧容器を利用するユーザが、身体の一部（指）を利用して、押し部１１１４１ａに第１方向に外力を印加すれば、挿入部１１１４１ｂは、第１方向に沿って、第１位置から第２位置に位置移動する。挿入部１１１４１ｂの第１位置から第２位置への移動は、収容部１１１３２の収容空間内への移動を意味するので、収容部１１１３２の収容空間の大きさは、挿入された挿入部１１１４１ｂによって縮小される。
【０３３７】
そのとき、収容空間の大きさは、第１体積ほど縮小され、言い換えれば、挿入部１１１４１ｂの第１体積ほどが収容空間内に挿入されるというような意味である。また、押し部１１１４１ａの第１位置から第２位置への移動により、第１弾性部１１１４３は、圧縮弾性変形される。
【０３３８】
挿入部１１１４１ｂの収容空間内への位置移動により、収容空間内に収容されていた液状は、液状ガイド部１１１３１を介して、液状流出部１１１７１に移動する。
【０３３９】
ここで、収容空間内での液状流出経路は、液状ガイド部１１１３１を介した流出と、開放ホール１１１３２ａを介した流出との経路があるが、挿入部１１１４１ｂの第１位置から第２位置への移動中に、開放ホール１１１３２ａは、挿入部１１１４１ｂによって閉鎖されるので、収容空間内の液状は、液状ガイド部１１１３１を介した流出経路を介して移動する。それにより、ユーザは、液状流出部１１１７１を介して流出（排出）された液状を利用することができる。
【０３４０】
開放ホール１１１３２ａの閉鎖について具体的に説明すれば、挿入部１１１４１ｂは、収容空間内に挿入されながら液状の圧力が上昇する。液状の圧力が上昇するので、液状は、開放ホール１１１３２ａを介して円筒管１１３３０に流入され、開閉部支持部１１３４０を加圧し、開閉部支持部１１３４０の末端と連結される開閉部１１３５０は、カバー部１１３６０の第２開口部１１３６２を閉鎖することにより、開放ホール１１１３２ａが閉鎖される効果を得て、開放ホール１１１３２ａを介した液状の流出入が防止される。
【０３４１】
前述の挿入部１１１４１ｂについて整理すれば、挿入部１１１４１ｂは、押し部１１１４１ａに外力が印加されれば、第１位置から第２位置に位置移動し、押し部１１１４１ａに印加された外力が解除されれば、第１弾性部１１１４３により、第２位置から第１位置に位置移動し、第２位置に位置した場合、開放ホール１１１３２ａを閉鎖し、開放ホール１１１３２ａを介した液状の位置移動を制限し、第１位置に位置した場合、開放ホール１１１３２ａを開放し、開放ホール１１１３２ａを介した液状の位置移動を自由にする。
【０３４２】
また、収容部１１１３２の収容空間から、連通ホール１１１３２ｂを介して移動する液状による圧力により、開閉部１１１７３は、第２通孔Ｈ２を開放させる。それにより、第２通孔Ｈ２を介して外部に流出することができなかった第２連通空間Ｖ２に収容された液状は、第２通孔Ｈ２、離隔空間Ｑ、第１通孔Ｈ１、第１連通空間Ｖ１を順次に経て、流出ホール１１１７１ａを介して外部に流出する。
【０３４３】
そして、第２連通空間Ｖ２に収容された液状が、第２通孔Ｈ２を介して流出されることにより、開閉部１１１７３に加えられる圧力が弱くなり、その場合、開閉部１１１７３は、弾性変形による復元力によって復元され、第２通孔Ｈ２を閉鎖する。ここで、流出ホール１１１７１ａを介して外部に流出された液状の量ほど、シリンダ部１１１３２内部に収容された液状が消耗する。
【０３４４】
図２７及び図２８を参照すれば、押し部１１１４１ａに印加された外力が解除されれば、圧縮弾性変形された第１弾性部１１１４３は、復元力によって膨脹変形され、それにより、押し部１１１４１ａの第２位置から第１位置への位置移動が具現される。
【０３４５】
そのとき、収容部１１１３２の収容空間内に挿入されていた挿入部１１１４１ｂも、収容空間から第２方向に位置移動する。挿入部１１１４１ｂの第２方向への位置移動により、収容空間は、第１体積ほどの空スペースが生ずる。それにより、円筒管１１３３０内部に具備された開閉部支持部１１３４０により、開閉部１１３５０の加圧が弱くなり、開閉部１１３５０は、第２開口部１１３６２を閉鎖する力が低下し、第２開口部１１３６２を介して液状が流入する。該液状は、円筒管１１３３０を介して開放ホール１１１３２ａに流入し、収容空間内に第１体積ほど空スペースが充填される。
【０３４６】
具体的には、押し溝１１１１３は、第１シーリング部材１１１４５によって気密が維持され、空気流出入が防止されるので、収容部１１１３２の収容空間内への空気流入がない限り、第１体積ほどの空スペースは、真空状態になる。そのとき、開放ホール１１１３２ａを介した、本体１１１１０の第１保存空間Ｓ１に保存された液状が、真空状態の収容空間内に吸い込まれる現象を利用して、収容空間内に一定量の液状が維持される。
その場合、収容部１１１３２内への他の液状移動経路である第２通孔Ｈ２を閉鎖する開閉部１１１７５により、液状移動が遮断された状態であるので、収容部１１１３２の収容空間内への液状流入は、開放ホール１１１３２ａを介しても具現される。
【０３４７】
また、開放ホール１１１３２ａを介した、本体１１１１０の第１保存空間Ｓ１から収容空間内への液状移動が具現されるためには、第１保存空間Ｓ１内に液状だけが存在しなければならず、第１体積ほどの液状が、第１保存空間Ｓ１から流出するので、第１保存空間Ｓ１の大きさも、可変的でなければならない。
【０３４８】
そのために、本発明の化粧容器は、圧着部１１１９０を含み、圧着部１１１９０は、第１保存空間Ｓ１を規定したまま、外部からの空気流入を防止する。
【０３４９】
圧着部１１１９０は、本体１１１１０の内側面に沿って位置移動し、位置移動は、第１保存空間Ｓ１から流出された液状の体積変化によって具現される。
【０３５０】
具体的には、第１保存空間Ｓ１内には、液状だけが存在するので、液状が流出した場合に発生する空スペースは、空気または外部物質で充填されなければならないが、第１保存空間Ｓ１は、圧着部１１１９０によって、外部からの物質交換が防止されるので、縮小された第１保存空間Ｓ１は、自体の大きさを小さくし、液状流出を可能にする。
【０３５１】
圧着部１１１９０は、本体１１１１０の保存空間を、第１保存空間Ｓ１及び第２保存空間Ｓ２に分割し、押し部材１１１４０に印加された外力が解除され、第１保存空間Ｓ１に保存された液状のうち一部、すなわち、第１体積の液状が、開放ホール１１１３２ａを介して、収容部１１１３２の収容空間に流入されれば、本体１１１１０の内側面に沿って移動し、第１保存空間Ｓ１の大きさが第１体積ほど縮小される。
【０３５２】
また、圧着部１１１９０によって分割された第２保存空間Ｓ２は、第１保存空間Ｓ１の体積が縮小されることにより、相対的に拡張される。
【０３５３】
ここで、密閉部材１１１５０は、第２保存空間Ｓ２と化粧容器の外部とが連通される空気循環ホール１１１５２を形成し、空気循環ホール１１１５２は、第２保存空間Ｓ２が第１体積ほど拡張される場合、第１体積と同一体積の外部空気を、第２保存空間Ｓ２に流入させる通路を提供する。
【０３５４】
一方、本体１１１１０内に保存された液状のうち、第１体積に該当する量の液状は、収容空間内に移動し、収容部１１１３２の収容空間内に収容された液状は、再びユーザの外力を待つ待機状態になる。
【０３５５】
ユーザは、液状流出部１１１７１を介して流出された液状を利用した後、液状がさらに必要であると判断されれば、第２位置から第１位置に移動された押し部材１１１４０の押し部１１１４１ａに再び外力を印加し、前述の一連の過程が反復されることになる。
前述の実施形態によれば、収容部１１１３２の構成が本体１１１１０の上部内面に挿入されるように説明したが、収容部１１１３２の構成が本体１１１１０の前端部に一体に形成されてもよい。
【０３５６】
図２９及び図３０は、本発明のさらに他の実施形態による化粧容器について説明するための概路図である。
【０３５７】
図２９及び図３０を参照すれば、本発明のさらに他の実施形態による化粧容器は、リフィル提供部１１３９０を除いては、図２８を参照して説明した化粧容器と、構成及び効果が同一であるので、以下、リフィル提供部１１３９０について説明する。
【０３５８】
また、図２９及び図３０は、説明の便宜のために、本体部挿入部１１３９１とリフィル密閉部１１３９５とを分離させて図示したが、本体部挿入部１１３９１とリフィル密閉部１１３９５は、一体に形成されることを前もって明らかにしておく。
【０３５９】
リフィル提供部１１３９０は、本体１１１１０の保存空間に挿入されるが、本体１１１１０との結合のために、ねじ山結合ではない強制嵌め込み方式によっても結合される。
そのために、リフィル提供部１１３９０は、外周面に沿って突出したリフィル突出部１１３９８を具備し、本体１１１１０は、リフィル突出部１１３９８と対応する位置及び対応する形状のリフィル陥入部を具備する。
【０３６０】
リフィル提供部１１３９０は、リフィル突出部１１３９８とリフィル陥入部との相互結合によって、本体部１１１１０に固定される。
【０３６１】
また、リフィル密閉部１１３９５は、外面から突出して形成されるが、貫通孔１１３９６ａが形成されるリフィル解除部１１３９６を具備し、貫通孔１１３９６ａに挿入される環状部材を介して印加された外力により、リフィル提供部１１３９５が本体１１１１０から離脱される。
【０３６２】
具体的には、環状部材は、貫通孔１１３９６ａの大きさと対応する形状の、別途に製作されたリフィル提供部１１３９０の本体１１１１０からの解除ツールでもある。
【０３６３】
ユーザは、リフィル提供部１１３９０の本体１１１１０からの分離のために、貫通孔１１３９６ａに環状部材を挿入した後、リフィル提供部１１３９０を本体１１１１０から遠くするための方向に外力を印加すれば、本体部挿入部１１３９１とリフィル密閉部１１３９５とが共に本体１１１１０から分離される。
【０３６４】
また、リフィル密閉部１１３９５には、前述の空気循環ホール１１１５２と同一機能を遂行する空気循環ホール１１３９５ａが形成されてもよい。
【０３６５】
図３１は、本発明のさらに他の実施形態による化粧容器の断面図であり、図３２及び図３３は、図３１による化粧容器の押し部材に外力が印加された場合について説明するための概路図である。
【０３６６】
図３１ないし図３３を参照すれば、本発明のさらに他の実施形態による化粧容器は、後述する内容を除いては、図２１ないし図３０で説明した説明した実施形態に記載した内容と類似しているので、それに係わる詳しい内容は省略する。
【０３６７】
図３１ないし図３３を参照すれば、本実施形態による化粧容器は、液状流出部１１４７１に流出調節ボール１１４７５が具備され、液状流出部１１４７１を介して排出される化粧品である液状の量を制御することができる。
【０３６８】
液状流出部１１４７１は、上部領域に形成されたまま、液状が外部に流出するホールを形成する流出ホール１１４７１ａ、及び下部領域に形成されるが、液状ガイド部１１４３１の先端部に挿入結合される結合部１１４７１ｃを具備し、流出ホール１１４７１ａは、断面が楕円状にも形成される。
【０３６９】
液状ガイド部１１４３１の先端部の内径は、液状ガイド部１１４３１の中端部の内径より大きく形成され、結合部１１４７１ｃは、前記液状ガイド部１１４３１の先端部にも挿入結合される。また、結合部１１４７１ｃの外周面１１４７１ｃと、液状ガイド部１１４３１の先端部の内側外周面との間に置かれる第２弾性部１１４７３、及び第２弾性部１１４７３の後端に置かれ、前記液状ガイド部１１４３１の中端部の内径より大きい径を有する流出調整ボール１１４７５をさらに含んでもよい。
【０３７０】
流出調整ボール１１４７５は、押し部材１１４４０に外力が印加される場合、連通ホール１１４３２ｂを介して、液状ガイド部１１４３１の先端部方向に移動する液状による圧力により、第３方向に移動し、圧力が弱くなる場合、第２弾性部１１４７３により、第３方向の反対方向である第４方向に移動し、液状ガイド部１１４３１の先端部と中端部との境界領域に形成された流入孔１１４３１ｂを閉鎖することができる。
【０３７１】
例えば、本実施形態による化粧容器は、押し部材１１４４０を基準に液状が外部に排出される部分である液状流出部１１４７１と、本体の第１保存空間Ｓ１に保存された液状が流入する部分である円筒管１１３３０との内には、それぞれ球形の流出調整ボール１１４７５と開閉部１１３５０とが具備される。
【０３７２】
図３２に図示されているように、押し部材１１４４０が第１方向である下部側に押される場合、外力が加えられた第２弾性部１１４７３は、第３方向である液状流出部１１４７１の外側に向かう方向に加圧され、流出調整ボール１１４７５によって開口されることにより、液状と空気は、液状流出部１１４７１を介して外部に排出される。そのとき、開閉部支持部１１３４０は、第４方向に開閉部１１３５０を加圧し、本体において、液状流入を制限する。
【０３７３】
また、図３３に図示されているように、押し部材１１４４０が第２方向である上部側に移動する場合、外力が除去された第２弾性部１１４７３は、第４方向である内部に向かう方向に復元され、流出調整ボール１１４７５は、液状流出部１１４７１を閉鎖する。そのとき、開閉部支持部１１３４０は、第３方向に弾性加圧され、開閉口１１３５０をカバー部１１３６０から離隔されることにより、本体の第１保存空間Ｓ１内に具備された液状を内部に流入させる。
【０３７４】
図３４は、本発明の他の実施形態による、本体とキャップとを図示した斜視図であり、図３５は、図３４の分解斜視図である。
【０３７５】
図３４及び図３５を参照すれば、本実施形態による化粧容器は、液状が収容される本体２１１１０と、前記本体２１１１０の一側に具備され、前記液状が外部に流出する液状流出部２１１７１と、が具備される。前記液状流出部２１１７１は、前記本体２１１１０の先端２１１１５から延長される先端連結部２１１３０にも具備され、前記本体２１１１０とキャップ２１１８０とが結合される場合、前記キャップ２１１８０の内部の空スペースにも収納される。
【０３７６】
前記キャップ２１１８０は、前記キャップ２１１８０の末端から、前記本体２１１１０の押し部材２１１４０に向けて突出する締結リブ２１１８５をさらに含み、前記押し部材２１１４０は、外力を印加される押し部２１１４１と、前記押し部２１１４１の下部で連結され、前記押し部２１１４１を支持するが、前記押し部２１１４１より小さい外径に具備される外径減少部２１１４２と、を含む。
【０３７７】
前記締結リブ２１１８５は、前記外径減少部２１１４２に向けて延長されるが、前記締結リブ２１１８５の末端は、前記外径減少部２１１４２の外面に対応するようにラウンドされるように具備され、前記本体２１１１０の先端に結合されたキャップ２１１８０から突出した締結リブ２１１８５は、前記外径減少部２１１４２の外壁に向けて突出し、前記押し部２１１４１の下部を支持し、前記押し部２１１４１の位置移動を防止することができる。
【０３７８】
前記キャップ２１１８０と前記本体２１１１０とが互いに結合される場合、前記キャップ２１１８０に具備された締結リブ２１１８５は、前記押し部材２１１４０と接触するが、具体的には、前記締結リブ２１１８５は、前記押し部２１１４１の下部側において、締結リブ２１１８５の末端のラウンドされた部分が、前記外径減少部２１１４２の外面に接触するようにも具備される。前記締結リブ２１１８５は、前記押し部２１１４１の下部側と、本体部２１１１０の外面との間の空間を充填することにより、前記押し部２１１４１が下部側に移動することを防止することができる。それにより、前記キャップ２１１８０と前記本体２１１１０とが互いに結合されている間には、前記押し部材２１１４０の位置が固定されることにより、前記液状流出部２１１７１を介して、前記本体２１１１０内部に、液状が外力によって流出されることを防止することができる。
また、前記キャップ２１１８０の内面と、前記本体２１１１０において、前記キャップ２１１８０の内面とに対応する位置には、互いに結合するように溝・突起が具備され、前記キャップ２１１８０と前記本体２１１１０との締結をさらに堅固にする。
【０３７９】
図３６は、本発明の一実施形態による化粧容器の斜視図である。図３７は、図３６において、外部キャップを分離した図面であり、図３８は、図３７の断面図であり、図３９は、図３６の分解斜視図である。図４０は、図３７の本体部前端部の断面図であり、図４１は、図４０において、外力が印加された押し部材を概略的に図示した図面である。図４２は、図４１において、押し部材に外力が印加された様子を概略的に示した図面である。
【０３８０】
本発明の一実施形態による化粧容器３１００は、上部の一側面に、第１方向に押しホール３１１３が形成され、内部が貫通形成され、液状が保存される保存空間Ｓが形成される本体３１１０と、前記押しホール３１１３に挿入されるが、一端は、前記押しホール３１１３の外側に突出し、他端には、内部に下部流入口３１４１ａが具備される押し部材３１４０と、前記押しホール３１１３の底面に隣接するように具備され、少なくとも一部が、前記下部流入口３１４１ａの内部に挿入される第１弾性体３１４７と、前記本体３１１０の一端に具備され、前記液状が、前記本体３１１０内の保存空間Ｓから液状流出部３１７１を介して外部に排出される通路を提供するシリンダ部３１３０と、を含み、前記本体３１１０の押しホール３１１３が具備される部分は、内側に凹状の第１ラウンド部３１３１を具備し、前記押し部材３１４０一端の最外面は、前記本体３１１０の最外面に対応するようにも具備される。
【０３８１】
前記化粧容器３１００は、本体３１１０の先端である一側端３１１５に結合されるように、前記押しホール３１１３に対応する位置に、内側に凹状の第２ラウンド部３１２１ａを具備する内部キャップ３１２０と、前記液状流出部３１７１を収納する収納空間３１８１を具備し、前記内部キャップ３１２０と結合する外部キャップ３１８０と、をさらに含んでもよい。
【０３８２】
前記本体３１１０には、順次に内部キャップ３１２０及び外部キャップ３１８０が結合され、前記内部キャップ３１２０の少なくとも一部は、前記外部キャップ３１８０と本体３１１０との最外面に対応するように具備されるが、前記第２ラウンド部３１２１ａは、前記外部キャップ３１８０と本体３１１０との最外面に対して、内側に凹状になるようにも具備される。
【０３８３】
ここで、前記本体３１１０の内部の保存空間に保存された液状は、液状流出部３１７１を介して移動されやすい粘性を有する多種の化粧品（化粧液）でもあり、それ以外のフロー性がある流体からもなる。
【０３８４】
前記液状流出部３１７１は、外部キャップ３１８０が本体３１１０と分離されれば、外部に露出され、外部キャップ３１８０が本体３１１０と結合されれば、外部キャップ３１８０内に隠匿されて外部に露出されない。前記外部キャップ３１８０が本体３１１０と分離された後、押し部材３１４０に外力が印加されれば、前記本体３１１０内部に具備された液状、例えば、化粧品などが、一定量で液状流出部３１７１を介して外部に流出する。
【０３８５】
前記外部キャップ３１８０は、液状が流出される液状流出部３１７１をカバーするために具備されるものであり、多様な形態にも具備され、本体３１１０と同一であるか、あるいは異なる材質からも具備される。
【０３８６】
前記本体３１１０は、内部が貫通形成され、液状が保存される保存空間Ｓと、前記外部キャップ３１８０が具備される本体３１１０の一側端３１１５と、前記一側端３１１５と対面するように具備される他側端と、前記一側端３１１５及び他側端を連結し、内部に保存空間を具備する側面と、からなる容器形態でもある。例えば、前記本体３１１０は、六面体、円筒状など多様な形状にも具備される。
【０３８７】
前記押し部材３１４０は、ほぼ前記押し部材３１４０が挿入される押しホール３１１３に対応する形態にも具備され、前記押し部材３１４０の下部である前記押しホール３１１３の底面には、第１弾性体３１４７が具備される。例えば、前記押しホール３１１３において、一部が外部に露出されるように具備され、露出された部分を介して外力が印加されれば、前記押し部材３１４０は、前記第１弾性体３１４７の弾性力により、前記押しホール３１１３内で上下移動を行う。
【０３８８】
前記内部キャップ３１２０は、前記本体３１１０の先端に結合されるが、前記本体３１１０の一側端３１１５に対応する形状に具備され、前記リング部材３１６０の一側を加圧しても結合される。前記内部キャップ３１２０は、前記本体３１１０の一側端３１１５に対応する形状に具備されるが、前記液状流出部３１７１を露出させるように具備されながら、前記外部キャップ３１８０と締結されて固定されてもよい。
【０３８９】
前記内部キャップ３１２０は、一側から他側に行くほど直径が減少されるように、互いに異なる直径を有する部材が、外側面が段差がつくようにも連結され、前記リング部材３１６０と隣接した部分が最も広径に具備され、前記外部キャップ３１８０の内部に挿入される部分が最も狭径にも具備される。
【０３９０】
前記内部キャップ３１２０は、外周縁が、本体３１１０の外周縁に対応するように具備されるフランジ部３１２１、前記フランジ部３１２１において、前記フランジ部３１２１より狭径に連結されるミドル部３１２２、前記ミドル部３１２２において、前記ミドル部３１２２より狭径に具備されるが、前記液状流出部３１７１が通過するホールを具備したトップ部３１２３からなり、前記トップ部３１２３は、前記液状流出部３１７１が通過するホールが具備された部分がさらに狭径に具備されるように、２つの異なる直径を有する部分からもなる。
【０３９１】
前記内部キャップ３１２０のフランジ部３１２１には、前記押し部材３１４０が突出するホールが形成され、前記押し部材３１４０が突出する部分には、内側に凹状の第２ラウンド部３１２１ａを具備することができる。前記第２ラウンド部３１２１ａは、周辺より凹状に具備されるので、前記押し部材３１４０側に外力を印加する部材は、前記押し部材３１４０を容易に加圧することができる。例えば、人の指などを利用して、前記押し部材３１４０を加圧する場合、前記第２ラウンド部３１２１ａは、人の指に対応する形状に具備され、形状制約なしに、前記押し部材３１４０を容易に加圧することができる。
【０３９２】
すなわち、本実施形態による化粧容器３１００は、前記押し部材３１４０が具備される部分でのハウジングである本体部３１１０及び内部キャップ３１２０に、それぞれ第１ラウンド部３１３１及び第２ラウンド部３１２１ａが具備されるので、前記押し部材３１４０を加圧するための空間を確保することができ、それにより、前記押し部材３１４０が、前記押しホール３１１３を介して露出される場合、前記本体部３１１０及び前記外部キャップ３１８０の最外面より外部に突出しないことになる。
【０３９３】
かように、本実施形態による化粧容器３１００は、外力が印加される部分である押し部材３１４０が具備される領域の内側に、凹状の第１ラウンド部３１３１及び第２ラウンド部３１２１ａが具備される。従って、前記化粧容器３１００の全体的な体積を増加させずに、不要な突出部が形成されることを防止することができるので、狭幅を有する化粧容器３１００にも、前記化粧容器３１００の内部に具備される化粧液を、制御された量で容易に排出させることができる。
【０３９４】
前記外部キャップ３１８０は、前記液状流出部３１７１を収納する収納空間３１８１を具備し、前記内部キャップ３１２０と結合することができる。前記収納空間３１８１の側面には、前記内部キャップ３１２０と締結されるように、締結溝３１８２を具備することができる。前記外部キャップ３１８０は、外周縁が、前記本体３１１０の外周縁に対応するようにも具備される。例えば、前記本体３１１０が円筒状である場合、前記外部キャップ３１８０も円筒状でもあり、前記本体３１１０が六面体である場合、前記外部キャップ３１８０も、六面体にも具備される。
【０３９５】
前記内部キャップ３１２０のミドル部３１２２の外面には、締結突起３１２４が具備され、前記外部キャップ３１８０の締結溝３１８２に挿入され、それにより、前記外部キャップ３１８０は、本体３１１０と安定的に結合するが、前記液状流出部３１７１を保護し、前記液状流出部３１７１の汚染を防止することができる。
【０３９６】
前記内部キャップ３１２０のミドル部３１２２とトップ部３１２３は、前記外部キャップ３１８０の内部収納空間３１８１に挿入され、前記ミドル部３１２２に具備された締結突起３１２４は、前記外部キャップ３１８０の締結溝３１８２とも締結される。
【０３９７】
前記本体３１１０の一端には、前記液状が、前記本体３１１０内から、液状流出部３１７１を介して外部に排出されることを制御するシリンダ部３１３０が具備される。
【０３９８】
前記シリンダ部３１３０は、前記本体３１１０から液状が流出される方向に垂直である第１方向に、前記本体３１１０の一側面が開口され、前記押し部材３１４０の一部を収納する押しホール３１１３と、前記押しホール３１１３の一側において、前記第１方向に垂直である第２方向に連結され、液状が外部に流出する液状流出部３１７１と連通される第１開放ホール３１１２と、前記押しホール３１１３の他側において、前記第２方向に平行になるように連結され、前記本体３１１０の保存空間と連通される第２開放ホール３１３２ａと、前記第２開放ホール３１３２ａより広径に連結されるが、前記保存空間Ｓ内に延長され、内部が貫通形成される円筒管３３３０と、前記円筒管３３３０の末端の少なくとも一部を覆うように具備されるが、前記第２開放ホール３１３２ａと連通される第１開口部３３６１、及び前記円筒管３３３０の末端に隣接するように具備され、前記保存空間Ｓと連通される第２開口部３３６２を具備するカバー部と、前記カバー部の内側において、前記第２開口部３３６２を可逆的に開閉するように具備される開閉部３３５０と、前記開閉部３３５０の移動を制御するように、前記カバー部の内側に具備される開閉部支持部３３４０と、を含んでもよい。
【０３９９】
例えば、前記シリンダ部３１３０は、前記本体３１１０の一側内部において、前記液状流出部３１７１と、前記本体３１１０内の液状を保存する空間との間を連通させるように具備されるが、押し部材３１４０に外力を印加することにより、前記本体３１１０の内部の液状が、前記液状流出部３１７１を介して流出される液状の量を制御する。
【０４００】
前記シリンダ部３１３０は、前記本体３１１０の長側に垂直に、上部側面及び下部側面を貫通するように具備される押しホール３１１３と、前記押しホール３１１３の一側において、ほぼ中心部に連結され、前記液状流出部３１７１と連通される第１開放ホール３１１２と、前記第１開放ホール３１１２に対面するように、前記押しホール３１１３の他側において、ほぼ中心部に連結され、前記本体３１１０内部に保存される液状と連通される第２開放ホール３１３２ａと、が連結される。前記押しホール３１１３と、前記第１開放ホール３１１２及び第２開放ホール３１３２ａとによって形成された空間は、ほぼ＋字形にも具備される。
【０４０１】
前記シリンダ部３１３０の押しホール３１１３には、押し部材３１４０が、前記本体３１１０の上部面において挿入される。前記押し部材３１４０の上下位置移動により、前記押しホール３１１３の内部には、液状は、前記押し部材３１４０の下部を介して内部に流入されるか、あるいは前記第２開放ホール３１３２ａを介して流入され、前記第１開放ホール３１１２を介しても排出される。
【０４０２】
また、前記シリンダ部３１３０は、開放ホール３１３２ａと段差がつくように連結されて内部が貫通形成される円筒管３３３０、円筒管３３３０内に具備される開閉部支持部３３４０、開閉部支持部３３４０の末端に具備される開閉部３３５０、並びに円筒管３３３０を覆うように具備されるが、一側及び他側が開口され、それぞれ第１開口部３３６１及び第２開口部３３６２を具備し、開閉部３３５０に対応する部分が円錐台型に具備されるカバー部をさらに含む。
【０４０３】
前記円筒管３３３０の内周縁は、前記第２開放ホール３１３２ａを取り囲むように、前記第２開放ホール３１３２ａの内径よりさらに大きく具備され、前記カバー部は、前記第１開口部３３６１側が、前記円筒管３３３０の内部に挿入され、前記第２開口部３３６２側は、前記円筒管３３３０の外側に具備されるが、前記第２開口部３３６２の外側面がテーパになるようにも具備される。また、前記開閉部支持部３３４０は、前記カバー部の内側に突出される１以上のリブをを含んでもよい。
【０４０４】
前記開閉部支持部３３４０は、スプリングのような弾性体、または棒型など多様な形態にも具備され、前記カバー部の内側において、リブのような形態に突出し、前記開閉部３３５０の位置を制限することができる。
【０４０５】
前記開閉部３３５０は、前記カバー部において、前記第２開口部３３６２が具備される末端に隣接するように具備されるが、前記開閉部支持部３３４０によって区画された空間内にも具備される。例えば、前記開閉部支持部３３４０は、断面の円形がカバー部の内側面において、同一間隔に離隔されて３個にも具備される。
【０４０６】
前記円筒管３３３０には、第１締結部３３３１を具備し、前記カバー部には、前記第１締結部３３３１と締結する第２締結部３３６３を具備し、前記カバー部は、前記円筒管３３３０に密接して接触しても固定される。前記円筒管３３３０の貫通されて具備される内部は、前記カバー部の第２開放ホール３１３２ａに対応するように具備され、前記カバー部の第２開口部３３６２を介して、液状が連通されるようにも具備される。
【０４０７】
前記開閉部支持部３３４０と開閉部３３５０とにより、前記カバー部の第２開口部３３６２を閉鎖し、前記開放ホール３１３２ａを介した液状の位置移動を制限し、前記第２位置に位置した場合、前記第２開口部３３６２を開放し、前記開放ホール３１３２ａを介した液状の位置移動を自由にする。
【０４０８】
前記開閉部３３５０は、前記開閉部支持部３３４０の末端で球形に具備され、前記押し部材３１４０の上下移動を介した液状の体積変化によって発生する外力により、可逆的に、前記カバー部の第２開口部３３６２を開閉させることができる。前記円筒管３３３０の内径ｔ１は、開放ホール３１３２ａの内径より大きく具備されるように、段差がつくように連結されるので、円筒管３３３０内に具備される開閉部支持部３３４０は、開放ホール３１３２ａに離脱せず、円筒管３３３０内部に位置が維持される。
【０４０９】
代案として、前記開閉部支持部３３４０は、前記カバー部の内側に具備されるスプリングをさらに含んでもよい。前記スプリングは、前記カバー部の内側に具備され、前記スプリングの末端に球形に具備される開閉部３３５０が具備されることになる。前記スプリングは、前記押し部材３１４０の上下移動によって弾性的に左右に移動し、前記開閉部３３５０による前記第２開口部３３６２の開閉を制御することができる。
【０４１０】
前記円筒管３３３０の外面には、第１締結部３３３１を具備し、前記カバー部の内側には、前記第１締結部３３３１と締結する第２締結部３３６３を具備し、前記カバー部は、前記円筒管３３３０に密接して接触しても固定される。前記円筒管３３３０は、前記カバー部の内側に挿入され、前記第２開放ホール３１３２ａと、前記カバー部の第２開口部３３６２との間に液状が連通されるようにも具備される。
【０４１１】
例えば、前記第１締結部３３３１と第２締結部３３６２は、それぞれ突起及び溝の形態に具備され、嵌め込み結合によって締結され、あるいはねじ山及びねじ溝によって、螺合によっても締結される。前記第１締結部３３３１及び第２締結部３３６２は、カバー部を円筒管３３３０に密接して固定させるためのものであり、多様な構成が可能であり、省略されもするが、それに制限されるものではない。
【０４１２】
前記押し部材３１４０に印加された外力が解除されれば、前記第１保存空間Ｓ１に保存された液状のうち、前記第１体積の液状と同一体積の液状が、前記円筒管３３３０と第２開放ホール３１３２ａとを介して、前記押しホール３１１３に流入され、前記第１体積ほど前記第１保存空間Ｓ１の体積が縮小され、前記第２保存空間Ｓ２は、前記第１体積ほど体積が増大される。
【０４１３】
前記本体３１１０の内部に挿入され、前記本体３１１０の下部領域の貫通領域を密閉し、内部には、前記圧着部３１９０を具備するが、前記圧着部３１９０により、第１保存空間Ｓ１及び第２保存空間Ｓ２に分割されるが、前記第１保存空間Ｓ１に液状を具備する液状提供部３１５０をさらに含んでもよい。
【０４１４】
前記液状提供部３１５０は、前記本体３１１０の内部に挿入される部分である一面が開口され、順次に第１保存空間Ｓ１及び第２保存空間Ｓ２を具備する円筒状に具備されるが、前記一面が対面する他面は、前記本体３１１０の後端部を覆うが、外部と連通される空気循環ホール３１５２を具備することができる。
【０４１５】
前記第２保存空間Ｓ２は、前記圧着部３１９０と前記空気循環ホール３１５２ｔｏの間に形成され、前記第１保存空間Ｓ１の大きさが、前記第１体積ほど縮小される場合、前記空気循環ホール３１５２を介して、第１体積ほど外部空気が流入されて圧着部３１９０を加圧し、前記第２保存空間Ｓ２の大きさを、前記第１体積ほどさらに拡張させることができる。
【０４１６】
前記圧着部３１９０は、前記液状提供部３１５０の内側面と密接に接するように具備され，一面及び他面が開口された円筒状の圧着側部３１９１と、前記圧着側部３１９１内部で断面が円形に具備され、前記圧着側部３１９１を閉鎖する圧着面部３１９２と、からもなる。前記圧着面部３１９２は、前記圧着側部３１９１に対して垂直に連結されるが、中心部が、前記空気循環ホール３１５２に向かうように段差がつくように具備され、前記円筒部３３３０を収納する円筒部収納部３３３０を含んでもよい。
【０４１７】
前記圧着部３１９０は、前記液状提供部３１５０において、前記液状提供部３１５０内の液状が外部に流出するほど、だんだんと前記本体３１１０に隣接するように接近することができる。そのとき、前記圧着部３１９０に、前記円筒収納部３３３０を具備することにより、前記圧着部３１６０は、形状制約なしに、前記本体３１１０のシリンダ３１３０側まで隣接するようにも具備され、それにより、前記第１保存空間Ｓ１中に含まれた液状は、前記本体３１１０内部に残存せず、ほとんどが外部に流出する。
【０４１８】
前記液状提供部３１５０は、前記一面に隣接した外面に、Ｏリング３１５４を具備し、前記本体３１１０の内部において、前記Ｏリング３１５４が載置される部分は、段差がつくように具備され、前記液状提供部３１５０と前記本体３１１０との間を密接に結合させることができる。前記液状提供部３１５０を前記本体３１１０の内部に挿入する場合、前記Ｏリング３１５３は、前記本体３１１０の内部において、前記Ｏリング３１５３が載置される部分３１１９に嵌め込み結合して堅固に固定される。
【０４１９】
前記液状提供部３１５０の他面に隣接した外面は、前記本体３１１０の内部に挿入されて締結され、前記液状提供部３１５０の他面は、前記本体３１１０の側面の末端に対応しても具備される。例えば、前記液状提供部３１５０の他面に隣接した末端部には、段差がつくように具備され、前記本体３１１０に挿入固定され、前記本体３１１０内に具備された液状提供部３１５０は、突出せず、本体３１１０に一体型のようにも具備される。
【０４２０】
前記液状流出部３１７１は、前記内部キャップ３１２０の外側に突出し、前記液状が外部に流出する流出ホール３１７１ａと、前記内部キャップ３１２０の内側に具備され、前記第１開放ホール３１１２の先端部の内側に挿入結合される結合部３１７１ｂと、からもなる。
【０４２１】
前記結合部３１７１ｂが、前記第１開放ホール３１１２の先端部に挿入結合される場合、前記結合部３１７１ｂの外面と、前記第１開放ホール３１１２の内面との間には、離隔空間Ｑが形成され、前記結合部３１７１ｂは、前記流出ホール３１７１ａと連通される第１連通空間Ｖ１を形成することができる。
【０４２２】
前記第１連通空間Ｖ１と前記離隔空間Ｑとを連通する第１通孔Ｈ１を具備する第１結合部３１７１ｃと、前記押しホール３１１３と連通される第２連通空間Ｖ２を形成し、前記第２連通空間Ｖ２と前記離隔空間Ｑとを連通する第２通孔Ｈ２を具備する第２結合部３１７１ｄと、前記第２通孔Ｈ２を包囲するように配置され、前記第２通孔Ｈ２を介した前記液状の移動いかんを決定する開閉部３１７３と、を具備することができる。
【０４２３】
前記開閉部３１７３は、前記押し部材３１４０に前記外力が印加される場合、前記収容空間において、前記第１開放ホール３１１２の先端部方向に移動する液状による圧力によって弾性変形され、前記第２通孔Ｈ２を開放させ、前記圧力が弱くなる場合、前記弾性変形による復元力によって復元され、前記第２通孔Ｈ２を閉鎖することができる。
【０４２４】
図４３は、図４２の押し部材及び第１弾性体の斜視図である。図４４は、本発明の他の実施形態による、押し部材及び第１弾性体の斜視図である。
【０４２５】
図４３を参照すれば、前記押し部材３１４０は、前記押しホール３１１３の内側に挿入されるように、断面が円形である円筒状に具備され、前記押し部材３１４０の底面において、前記押し部材３１４０の長手方向に、内側に凹状の下部流入口３１４１ａが具備されるフランジ部３１４１と、前記フランジ部３１４１の上部に延長されるが、前記フランジ部３１４１より狭径の円筒状に具備され、上部側には、内側に凹状の貫通ホール３１４２ａを具備したヘッド支持部３１４２と、前記押しホール３１１３の外部に露出され、外力が印加される押し部３１４５、及び前記押し部３１４５の下部に延長され、前記貫通ホール３１４２ａに挿入される挿入部３１４６で成り立つヘッド部と、前記フランジ部３１４１の外面において、互いに離隔されて具備される１対の第１シーリング部材３１４８及び第２シーリング部材３１４９と、を含んでもよい。
【０４２６】
前記フランジ部３１４１は、前記フランジ部３１４１の一側及び他側を貫通するように、前記第１方向に垂直である第２方向に延長されて具備されるが、前記下部流入口３１４１ａと連通される液状伝達通路３１４４がさらに具備される。
【０４２７】
前記第１シーリング部材３１４８は、前記フランジ部３１４１の下部に隣接するように具備され、前記第２シーリング部材３１４９は、前記フランジ部３１４１の上部に隣接するように具備され、前記液状伝達通路３１４４は、前記第１シーリング部材３１４８及び第２シーリング部材３１４９の間に具備され、前記下部流入部３１４１ａを横方向に貫通するようにも具備される。
【０４２８】
前記押しホール３１１３の一側には、前記第１方向に垂直である第２方向に連結され、液状が外部に流出する液状流出部３１７１と連通される第１開放ホール３１１２が具備され、前記押しホール３１１３の他側には、前記第２方向に平行になるように連結され、前記本体３１１０の保存空間と連通される第２開放ホール３１３２ａが具備される。
【０４２９】
前記押し部材３１４０に外力が印加されれば、前記第１弾性体３１４７が圧縮され、前記押し部３１４５の少なくとも一部が、前記押しホール３１１３の内部に挿入され、前記押し部３１４５内部に具備される液状は、前記液状伝達通路３１４４を介して、前記第１開放ホール３１１２に流出されるが、前記第１開放ホール３１１３と前記第２開放ホール３１３２ａは、前記第１シーリング部材３１４８及び第２シーリング部材３１４９の間に位置し、前記押し部材３１４０に印加された外力が解除されれば、前記第１弾性体３１４７が復元され、前記押し部３１４５が、前記押しホール３１１３の外側に突出し、前記押し部３１４５内部には、前記第２開放ホール３１３２ａを介して液状が流入する。
【０４３０】
前記押し部材３１４０は、前記押しホール３１１３に挿入され、前記押しホール３１１３に挿入される方向である第１方向に移動するか、あるいは前記第１方向の反対方向に排出されるように位置移動するとき、前記押しホール３１１３の内周面に沿ってスライディングされる第１シーリング部材３１４８と、前記押しホール３１１３に挿入され、前記押しホール３１１３に挿入される方向である第１方向に移動するか、あるいは前記第１方向の反対方向に排出されるように位置移動するとき、前記押しホール３１１３の内部に具備される液状が、前記押しホール３１１３の外部に流出することを防止する第２シーリング部材３１４９をと、具備し、前記第１シーリング部材３１４８及び第２シーリング部材３１４９は、互いに離隔されて具備され、前記押しホール３１１３内への空気流出入を防止することができる。
【０４３１】
前記押し部材３１４０は、前記押しホール３１１３に挿入され、前記押しホール３１１３から流出される方向である第１方向から、前記第１方向の反対方向である第２方向に移動するか、あるいは前記第２方向から前記第１方向に位置移動するとき、前記１対の押し部材３１４０の底面間に収容空間に具備される液状が、前記押しホール３１１３の外部に流出することを防止する第１シーリング部材３１４８と、前記押しホール３１１３に挿入され、前記第１方向から前記第２方向、または前記第２方向から前記第１方向への位置移動時、前記押しホール３１１３の内周面に沿ってスライディングされる第２シーリング部材３１４９と、をさらに具備することができる。
【０４３２】
前記第１シーリング部材３１４８は、前記押し部材３１４０の上部側に隣接するように具備され、前記第２シーリング部材３１４９は、前記押し部材３１４０の底面に隣接するようにも具備される。前記押し部材３１４０において、前記第１シーリング部材３１４８及び第２シーリング部材３１４９が具備される部分は、前記第１シーリング部材３１４８及び第２シーリング部材３１４９が挿入固定されるように、前記第１シーリング部材３１４８及び第２シーリング部材３１４９に対応する形態で、内側に凹状にも具備される。
【０４３３】
前記第１シーリング部材３１４８及び第２シーリング部材３１４９は、押しホール３１１３の内壁と接触したまま、前記押しホール３１１３の内壁に沿って移動することができる。前記第１シーリング部材３１４８及び第２シーリング部材３１４９は、例えば、弾性を具備したＯリングまたはゴムパッキング（ｒｕｂｂｅｒ  ｐａｃｋｉｎｇ）部材でもあるが、前記第１シーリング部材３１４８及び第２シーリング部材３１４９は、前記押しホール３１１３の内壁を加圧しながら圧縮変形され、前記押しホール３１１３の内壁に沿ってもスライディングされる。
【０４３４】
その場合、押しホール３１１３の内部において、押し部材３１４０の第２シーリング部材３１４９の下部に位置した空間は、第２シーリング部材３１４９によって密閉された状態になり、収容空間から第１開放ホール３１１２を介した液状流出圧力が上昇する効果が見られる。
【０４３５】
前記第２シーリング部材３１４９は、押しホール３１１３の内壁の微細な間隙に移動する液状の流出を防ぎ、収容空間から第１開放ホール３１１２への液状流出を具現するので、第２シーリング部材３１４７がない場合と比較し、さらに強い圧力で液状流出を具現することができるのである。
【０４３６】
前記押し部材３１４０に外力に加えられる場合、前記収容空間内の液状の圧力が上昇し、それにより、第２開放ホール３１３２ａを介して流入される液状は、制限するが、第１開放ホール３１１２を介して液状を排出する。それと反対に、前記押し部材３１４０に加えられた外力が解除される場合、収容空間内の液状の圧力が低下し、第１開放ホール３１１２への排出が遮断され、同時に第２開放ホール３１３２ａを介して、液状が充填されることにより、収容空間内に具備される液状は、一定量に維持される。
【０４３７】
前記第１弾性体３１４７は、前記下部流入口３１４１ａの直径より小さく具備され、前記第１弾性体３１４７の少なくとも一部は、前記下部流入口３１４１ａに挿入されるが、残りの一部は、前記押し部材３１４０の下部側において、前記押し部材３１４０に弾性力を提供することができる。前記押し部材３１４０は、前記第１シーリング部材３１４８及び第２シーリング部材３１４９により、前記押しホールの外壁から離隔されて具備される。
【０４３８】
代案として、図４４を参照すれば、前記押し部材において、前記第１シーリング部材３１４８及び第２シーリング部材３１４９の間は、内側に凹状になるようにも連結される。本実施形態による押し部材は、前記第１シーリング部材３１４８及び第２シーリング部材３１４９の間の側面３１４１’が内側に凹状に具備されるので、前記押し部材において、第１シーリング部材３１４８及び第２シーリング部材３１４９の間と、前記押しホールの外壁との空間が拡張されて具備される。従って、前記第１シーリング部材３１４８及び第２シーリング部材３１４９の間を介して流入される液状は、前記液状の粘度に対する制約なしに、前記液状伝達通路３１４４を介して、前記第２開放ホール３１３２ａから第１開放ホール３１１３に容易に伝達される。
【０４３９】
図４５は、本発明のさらに他の実施形態による、外力が印加された押し部材を概略的に図示した図面であり、図４６は、図４５において、押し部材に外力が印加された様子を概略的に示した図面であり、図４７は、図４６の押し部材及び第１弾性体の斜視図である。図４８は、本発明のその他実施形態による、押し部材及び第１弾性体の斜視図である。
【０４４０】
前記押し部材３１４０は、前記第１弾性体３１４７の弾性変形により、前記押し部材３１４０の位置移動が可逆的にも制御される。前記押し部材３１４０に外力が加えられれば、前記押しホール３１１３内に収容された液状のうち、第１体積の液状が、前記第１開放ホール３１１２を介して、前記液状流出部３１７０に流出され、前記押し部材３１４０に印加された外力が解除されれば、前記液状流出部３１７１に流出された前記第１体積の液状に対応する体積の液状が、前記第２開放ホール３１３２ａを介して、前記保存空間から前記押しホール３１１３にも流入される。
【０４４１】
前記押し部材３１４０に外力が印加されれば、押しホール３１１３に挿入され、前記押しホール３１１３に収容された液状のうち、第１体積の液状が、前記第１開放ホール３１１２を介して、前記液状流出部３１７０を介して外部に流出することになる。また、前記押し部材３１４０に印加された外力が解除されれば、前記押し部材３１４０の第１弾性体３１４７の復元力により、前記押し部材３１４０は、前記押しホール３１１３の底面から離隔され、前記押しホール３１１３内で液状が具備される空間である収容空間が増大することができる。前記押しホール３１１３内の収容空間は、前記押しホール３１１３からの押し部材３１４０移動により、可逆的に変化する液状が具備される空間であり、例えば、前記押し部材３１４０内に具備される下部流入口３１４１ａと、液状伝達通路３１４４とを共に含んでもよい。
【０４４２】
前記液状流出部３１７１に流出された前記第１体積の液状と同一体積の液状が、前記第２開放ホール３１３２ａを介して、前記本体３１１０の保存空間Ｓから、前記押しホール３１１３の収容空間に流入されることになる。
【０４４３】
前記シリンダ部３１３０の収容空間は、前記押し部材３１４０に印加された外力により、前記押しホール３１１３の内部側に位置移動した押し部材３１４０により、第１体積ほど縮小され、それにより、収容空間に収容された液状のうち、第１体積に該当する量が、第１開放ホール３１１２を介して、液状流出部３１７１に流出される。また、前記押し部材３１４０に印加された外力が解除されれば、前記押し部材３１４０は、前記押しホール３１１３の外部側に向かうように位置移動し、シリンダ部３１３０の収容空間の大きさが第１体積ほど拡張され、このとき、拡張された収容空間の第１体積を充填するために、前記本体３１１０に保存された液状が、カバー部の第２開口ホール３３６２を介して収容空間に流入される。
【０４４４】
前記液状流出部３１７１は、前記内部キャップ３１２０の外側に突出し、前記液状が外部に流出する流出ホール３１７１ａと、前記内部キャップ３１２０の内側に具備され、前記第１開放ホール３１１２の先端部の内側に挿入結合される結合部３１７１ｂと、からもなる。
【０４４５】
ここで、前記流出ホール３１７１ａが皮膚に良好に密着するように、流出ホール３１７１ａの断面は、楕円状にも形成される。本発明の他の実施形態によれば、流出ホールは、化粧のためのブラシ（図示せず）が結合され、流出ホールを介して流出された液状は、柔らかいブラシを介して、ユーザ皮膚にも吸収される。そのとき、ユーザは、柔らかいブラシの肌触りを感じながら、液状を皮膚の美容に利用することができる。
【０４４６】
前記結合部３１７１ｂが、前記第１開放ホール３１１２の先端部に挿入結合される場合、前記結合部３１７１ｂの外面と、前記第１開放ホール３１１２の内面との間には、離隔空間Ｑが形成されてもよい。
【０４４７】
前記結合部３１７１ｂは、前記流出ホール３１７１ａと連通される第１連通空間Ｖ１を形成し、前記第１連通空間Ｖ１と前記離隔空間Ｑとを連通する第１通孔Ｈ１を具備する第１結合部３１７１ｃと、前記押しホール３１１３と連通される第２連通空間Ｖ２を形成し、前記第２連通空間Ｖ２と前記離隔空間Ｑとを連通する第２通孔Ｈ２を具備する第２結合部３１７１ｄと、前記第２通孔Ｈ２を包囲するように配置され、前記第２通孔Ｈ２を介した前記液状の移動いかんを決定する開閉部３１７３と、を具備することができる。
【０４４８】
前記開閉部３１７３は、前記押し部材３１４０に前記外力が印加される場合、前記収容空間において、前記第１開放ホール３１１２の先端部方向に移動する液状による圧力によって弾性変形され、前記第２通孔Ｈ２を開放させ、前記圧力が弱くなる場合、前記弾性変形による復元力によって復元され、前記第２通孔Ｈ２を閉鎖することができる。
前記開閉部３１７３は、一種の薄いゴム膜であり、第２結合部３１７１ｄの外周面を囲むように位置し、第２通孔Ｈ２を開閉することができる。
【０４４９】
前記本体３１１０の保存空間は、可逆的に体積が変わる第１保存空間Ｓ１と第２保存空間Ｓ２とを含み、前記第１保存空間Ｓ１は、前記押しホール３１１３に伝達される液状が収容され、前記第２保存空間Ｓ２は、外部から流入される空気が具備される。
【０４５０】
図４８を参照すれば、本実施形態による押し部材は、前記第２開放ホール３１３２ａと連結される第１シーリング部材３１４８及び第２シーリング部材３１４９の間の側面が内側に凹状に具備されるので、前記本体３１１０の保存空間Ｓに具備された前記液状が、第２開放ホール３１３２ａを介して、前記液状伝達通路３１４４に容易に流入されるように空間を提供することができる。前記第１開放ホール３１１２と連結される第１シーリング部材３１４８及び第２シーリング部材３１４９の間の側面も、内側に凹状に具備されるので、前記液状伝達通路３１４４から前記第１開放ホール３１１２に液状が容易に流出されることになる。
【０４５１】
以下、図４９ないし図５２を参照し、本発明の他の実施形態について説明する。後述する内容を除いては、図３６ないし図４８で説明した実施形態に記載された内容と類似しているので、それに係わる詳しい内容は省略する。
【０４５２】
図４９は、本発明のその他実施形態による本体部前端部の断面図であり、図５０は、図４９において、押し部材に外力が印加された様子を概略的に示した図面である。図５１は、本発明のその他実施形態による本体部前端部の断面図であり、図５２は、図５１において、押し部材に外力が印加された様子を概略的に示した図面である。
【０４５３】
図４９ないし図５２を参考すれば、本実施形態による化粧容器は、液状流出部３４７１に流出調節ボール３４７５が具備され、第１開放ホール３１１２を介して排出される化粧品である液状の量を制御することができる。
【０４５４】
前記液状流出部３１７１は、前記内部キャップ３１２０の外側に突出し、前記液状が外部に流出する流出ホール３１７１ａと、前記内部キャップ３１２０の内側に具備され、前記第１開放ホール３１１２の先端部の内側に挿入結合される結合部と、からなり、前記第１開放ホール３１１２の先端部の内径は、前記押し部材３１４０の側面と対面する前記第１開放ホール３１１２の後端部の内径より大きく形成されてもよい。
【０４５５】
前記結合部３１７１ｂの末端と、前記第１開放ホール３１１２の先端部の内側外周面との間に置かれる第２弾性部３４７３、及び前記第２弾性部３４７３の後端に置かれ、前記第１開放ホール３１１２の後端部の内径より大きい径を有する流出調整ボール３４７５をさらに含んでもよい。
【０４５６】
前記流出調整ボール３４７５は、前記押し部材３１４０に前記外力が印加される場合、前記保存空間に具備された液状は、前記第１開放ホール３１１２を介して移動し、前記流出調整ボール３４７５を加圧し、前記第２弾性部３４７３を圧縮させることにより、前記液状が、前記第１開放ホール３１１２の先端部を介して、前記液状流出部３１７１を介して排出され、前記液状が、前記流出調整ボール３４７５の加圧する圧力が低下する場合、前記第２弾性部３４７３の復元力により、前記流出調整ボール３４７５は、前記第１開放ホール３１１２の後端を閉鎖することができる。
【０４５７】
本実施形態による化粧容器は、液状流出部３４７１に、流出調節ボール３４７５が具備され、第１開放ホール３１１２を介して排出される化粧品である液状の量を制御することができる。
【０４５８】
前記流出調整ボール３４７５は、前記押し部材３１４０に外力が印加される場合、第１開放ホール３１１２の先端部方向に移動する液状による圧力により、第３方向である液状流出部３１７１側に移動し、圧力が弱くなる場合、第２弾性部３４７３により、第３方向の反対方向である第４方向に移動し、第１開放ホール３１１２の先端部と末端部との境界領域に形成された流入孔３４３１ｂを閉鎖することができる。
【０４５９】
例えば、本実施形態による化粧容器は、押し部材３１４０を基準に、液状が外部に排出される部分である液状流出部３１７１と、本体の第１保存空間Ｓ１に保存された液状が流入する部分である円筒管３３３０との内には、それぞれ球形の流出調整ボール３４７５と開閉部３３５０とが具備される。
【０４６０】
前記押し部材３１４０の下部には、第１弾性体３１４７，３１４７ａが具備される。前記第１弾性体３１４７，３１４７ａは、前記押し部材３１４０の底面から延長されて具備される下部流入口３１４１ａより狭径に具備されるか（図４９及び図５０参照）、あるいはそれよりも広径にも具備される（図５１及び図５２参照）。
【０４６１】
図４９及び図５０のように、第１弾性体３１４７の直径が小さい場合には、前記第１弾性体３１４７の少なくとも一部が、前記押し部材３１４０の下部流入口に挿入され、図５１及び図５２のように、前記第１弾性体３１４７ａの直径が大きい場合には、前記第１弾性体３１４７ａは、前記押し部材３１４０の底面に接触するようにも具備される。
【０４６２】
図４９及び図５１に図示されているように、外力が解除され、押し部材３１４０が押し部３１１３の外部側に移動する場合、外力が除去された第２弾性部３４７３は、第４方向である内部に向かう方向に復元され、流出調整ボール３４７５は、液状流出部３１７１を閉鎖する。そのとき、開閉部支持部３３４０は、第３方向に弾性加圧され、開閉口３３５０をカバー部から離隔されることにより、本体の第１保存空間Ｓ１内に具備された液状を内部に流入させることができる。
【０４６３】
図５０及び図５２に図示されているように、外力が印加され、押し部材３１４０が押し部３１１３の内部に押される場合、外力が加えられた第２弾性部３４７３は、第３方向である液状流出部３１７１の外側に向かう方向に加圧され、流出調整ボール３４７５によって開口されることにより、液状と空気は、液状流出部３４７１を介して外部に排出される。そのとき、開閉部支持部３３４０は、第４方向に開閉部３３５０を加圧し、本体において、液状流入を制限する。
【０４６４】
図５３は、本発明の一実施形態による化粧容器の斜視図である。図５４は、図５３において、外部キャップを分離した図面であり、図５５は、図５４の断面図である。図５６は、図５３の分解斜視図である。図５７は、図５５の本体部前端部の断面図であり、図５８は、図５７において、外力が印加された押し部材を概略的に図示した図面である。
【０４６５】
本発明の一実施形態による化粧容器４１００は、上部の一側面に、第１方向に押しホール４１１３が形成され、内部が貫通形成され、液状が保存される保存空間Ｓが形成される本体４１１０と、前記押しホール４１１３に挿入されるが、一端は、前記押しホール４１１３の外側に突出し、他端には、内部に下部流入口４１４１ａが具備される押し部材４１４０と、前記押しホール４１１３の上部側に隣接するように、前記押し部材４１４０に挿入され、前記押し部材４１４０の上下移動を制御する第１弾性体４１４７と、前記本体４１１０の一端に具備され、前記液状が、前記本体４１１０内の保存空間Ｓから液状流出部４１７１を介して外部に排出される通路を提供するシリンダ部４１３０と、を含む。
【０４６６】
また、前記化粧容器４１００において、前記本体４１１０の押しホール４１１３が具備される部分は、内側に凹状の第１ラウンド部４１３１を具備し、前記押し部材４１４０一端の最外面は、前記本体４１１０の最外面に対応するように具備され、前記押し部材４１４０は、前記押しホール４１１３の外側に突出し、外力が印加される押しキャップ４１４５と、前記押しキャップ４１４５の下部面に連結されるが、前記押しキャップ４１４５より狭径に延長され、前記押しホール４１１３の内側に挿入されるキャップ支持部４１４２と、を含み、前記第１弾性体４１４７は、前記キャップ支持部４１４２に挿入されるが、一端が、前記押しキャップ４１４５の下部面と接触することができる。
本実施形態による化粧容器４１００において、本体４１１０の内部に具備される化粧溶液の一種である液状は、前記押し部材４１４０に外力が印加されることにより、本体４１１０内の保存空間Ｓから液状流出部４１７１を介して外部に排出され、前記押し部材４１４０に印加された外力が解除されれば、前記液状の排出が止められる。そのとき、前記押し部材４１４０は、前記押しホール４１１３を介して外力に対して可逆的に上下移動を行うようになるが、前記押し部材４１４０の上下移動は、前記押し部材４１４０と前記押しホール４１１３との間に介在される第１弾性体４１４７によっても遂行される。
【０４６７】
ここで、前記本体４１１０の内部の保存空間に保存された液状は、液状流出部４１７１を介して移動されやすい粘性を有する多種の化粧品（化粧液）でもあり、それ以外のフロー性がある流体からもなる。
【０４６８】
前記本体４１１０は、内部が貫通形成され、液状が保存される保存空間Ｓと、前記外部キャップ４１８０が具備される本体４１１０の一側端４１１５と、前記一側端４１１５と対面するように具備される他側端と、前記一側端４１１５及び他側端を連結し、内部に保存空間を具備する側面と、からなる容器形態でもある。例えば、前記本体４１１０は、六面体、円筒状など多様な形状にも具備される。
【０４６９】
前記押し部材４１４０は、前記押しホール４１１３の外部に露出される押しキャップ４１４５と、前記押しホール４１１３の内部に挿入されるキャップ支持部４１４２と、からもなる。前記押しキャップ４１４５は、指のような外力の印加が容易なように、前記押しホール４１１３より広い面積の断面に具備され、前記キャップ支持部４１４２は、前記押しホール４１１３より小さい面積の断面に具備され、前記押しホール４１１３の内部に容易に挿入され、上下移動が容易になされる。前記押しキャップ４１４５とキャップ支持部４１４２は、一体型にも具備されるが、本実施形態においては、別途に具備される押しキャップ４１４５と、キャップ支持部４１４２とについて説明する。
【０４７０】
前記押しキャップ４１４５は、断面が円形であり、下部面に空間を具備するキャップ状であるキャップ部４１４５ａと、前記キャップ部４１４５ａの開口面を形成する末端の枠に沿って外面に突出し、前記押しホール４１１３の内面に固定される押しキャップ固定部４１４５ｂと、前記キャップ部４１４５ａの内側中心部から下部側に突出する挿入リブ４１４６ａと、前記挿入リブ４１４６ａの外面に突出される第１締結突起４１４６ｂと、からもなる。前記キャップ支持部４１４２の上部面には、前記挿入リブ４１４６ａが挿入される挿入収納部４１４２ａと、前記挿入収納部４１４２ａの外面に凹状に具備され、前記第１締結突起４１４６ｂと締結する第１締結溝部４１４２と、を含み、前記キャップ支持部４１４２の下部面には、前記キャップ支持部４１４２の長手方向に、内側に凹状の下部流入口４１４１ａが具備される。
【０４７１】
前記押し部材４１４０において、それぞれ別途に具備される押しキャップ４１４５とキャップ支持部４１４２は、前記押しキャップ４１４５に具備される挿入リブ４１４６ａが、前記挿入収納部４１４２ａに収納されて連結され、また前記挿入リブ４１４６ａが、前記挿入収納部４１４２ａに挿入されながら、前記挿入リブ４１４６ａに具備された第１締結突起４１４６ｂが、前記挿入収納部４１４２ａの外面に具備された第１締結溝部４１４２とも締結される。
【０４７２】
前記第１締結突起４１４６ａと前記第１締結溝部４１４２は、前記挿入リブ４１４６ａが、前記挿入収納部４１４２ａ内に挿入される方向に対して垂直方向に具備されて締結されることにより、前記押しキャップ４１４５とキャップ支持部４１４２との締結をさらに堅固にする。
【０４７３】
また、押しキャップ固定部４１４５ｂは、前記キャップ部４１４５ａで開口部が形成される末端の枠に沿って外面に突出することができ、前記押しホール４１１３の内面に固定されることにより、前記押しキャップ４１４５が外部に分離しないように固定させることができる。
【０４７４】
前記キャップ支持部４１４２の外面において、下部面に隣接するように具備される第１シーリング部材４１４８と、前記第１シーリング部材４１４８から、一定間隔上部側に離隔されて具備される第２シーリング部材４１４９と、を含み、前記第１シーリング部材４１４８及び第２シーリング部材４１４９間の外面４１４１には、前記キャップ支持部４１４２を横方向に貫通する液状伝達通路４１４４が具備され、前記液状伝達通路４１４４は、前記下部流入口４１４１ａと連通されるようにも具備される。
【０４７５】
前記キャップ支持部４１４２は、前記押しホール４１１３の下部側には、前記本体４１１０の保存部Ｓに伝達される液状が具備される。前記押しホール４１１３の下部側に具備される液状は、前記押し部材４１４０が、前記押しホール４１１３の下部側に移動すれば、前記キャップ支持部４１４２の下部流入口４１４１ａを介して上部側に移動する。前記液状は、下部流入口４１４１ａに連結される液状伝達通路４１４４に伝達され、前記キャップ支持部４１４２で前記液状は、左右移動が具現される。
【０４７６】
前記押しホール４１１３の一側には、前記第１方向に垂直である第２方向に連結され、液状が外部に流出する液状流出部４１７１と連通される第１開放ホール４１１２が具備され、前記押しホール４１１３の他側には、前記第２方向に平行になるように連結され、前記本体４１１０の保存空間と連通される第２開放ホール４１３２ａが具備される。
【０４７７】
前記押し部材４１４０に外力が印加されれば、前記第１弾性体４１４７が圧縮され、前記押し部材４１４０の少なくとも一部が、前記押しホール４１１３の内部に挿入され、前記液状は、前記液状伝達通路４１４４を介して、前記第１開放ホール４１１２に流出されるが、前記第１開放ホール４１１３と前記第２開放ホール４１３２ａは、前記第１シーリング部材４１４８及び第２シーリング部材４１４９の間に位置することができる。
【０４７８】
前記押し部材４１４０に印加された外力が解除されれば、前記第１弾性体４１４７が復元され、前記押し部材４１４０が、前記押しホール４１１３から上部方向に移動し、前記押しホール４１１３の内部には、前記第２開放ホール４１３２ａを介して液状が流入する。
【０４７９】
前記押し部材４１４０は、前記押しホール４１１３に挿入され、前記押しホール４１１３に挿入される方向である第１方向に移動するか、あるいは前記第１方向の反対方向に排出されるように位置移動するとき、前記押しホール４１１３の内周面に沿ってスライディングされる第１シーリング部材４１４８と、前記押しホール４１１３に挿入され、前記押しホール４１１３に挿入される方向である第１方向に移動するか、あるいは前記第１方向の反対方向に排出されるように位置移動するとき、前記押しホール４１１３の内部に具備される液状が、前記押しホール４１１３の外部に流出することを防止する第２シーリング部材４１４９と、を具備することができる。前記第１シーリング部材４１４８及び第２シーリング部材４１４９は、互いに離隔されて具備され、前記押しホール４１１３内への空気流出入を防止することができる。
【０４８０】
前記本体４１１０の一端には、前記液状が、前記本体４１１０内から、液状流出部４１７１を介して外部に排出されることを制御するシリンダ部４１３０が具備される。
【０４８１】
前記シリンダ部４１３０は、前記本体４１１０から液状が流出される方向に垂直である第１方向に、前記本体４１１０の一側面が開口され、前記押し部材４１４０の一部を収納する押しホール４１１３と、前記押しホール４１１３の一側において、前記第１方向に垂直である第２方向に連結され、液状が外部に流出する液状流出部４１７１と連通される第１開放ホール４１１２と、前記押しホール４１１３の他側において、前記第２方向に平行になるように連結され、前記本体４１１０の保存空間と連通される第２開放ホール４１３２ａと、前記第２開放ホール４１３２ａより広径に連結されるが、前記保存空間Ｓ内に延長され、内部が貫通形成される円筒管４３３０と、前記円筒管４３３０の末端の少なくとも一部を覆うように具備されるが、前記第２開放ホール４１３２ａと連通される第１開口部４３６１、及び前記円筒管４３３０の末端に隣接するように具備され、前記保存空間Ｓと連通される第２開口部４３６２を具備するカバー部４３６０と、前記カバー部４３６０の内側において、前記第２開口部４３６２を可逆的に開閉するように具備される開閉部４３５０と、前記開閉部４３５０を移動を制御するように、前記カバー部４３６０の内側に具備される開閉部支持部４３４０と、を含んでもよい。
【０４８２】
例えば、前記シリンダ部４１３０は、前記本体４１１０の一側内部において、前記液状流出部４１７１と、前記本体４１１０内の液状を保存する空間との間を連通させるように具備されるが、押し部材４１４０に外力を印加することにより、前記本体４１１０の内部の液状が、前記液状流出部４１７１を介して流出される液状の量を制御する。
【０４８３】
前記シリンダ部４１３０は、前記本体４１１０の長側である長手方向に垂直に、上部側面及び下部側面を貫通するように具備される押しホール４１１３と、前記押しホール４１１３の一側において、ほぼ中心部に連結され、前記液状流出部４１７１と連通される第１開放ホール４１１２と、前記第１開放ホール４１１２に対面するように、前記押しホール４１１３の他側において、ほぼ中心部に連結され、前記本体４１１０内部に保存される液状と連通される第２開放ホール４１３２ａと、が連結される。前記第１開放ホール４１１２及び第２開放ホール４１３２ａは、前記本体４１１０の長手方向に平行に具備され、前記押しホール４１１３は、前記本体４１１０の長手方向に垂直に具備されるので、前記押しホール４１１３、前記第１開放ホール４１１２及び第２開放ホール４１３２ａによって形成された空間は、ほぼ＋字形にも具備される。
【０４８４】
前記シリンダ部４１３０の押しホール４１１３には、押し部材４１４０が、前記本体４１１０の上部面において挿入される。前記押し部材４１４０の上下位置移動により、前記押しホール４１１３の内部には、液状は、前記押し部材４１４０の下部を介して内部に流入されるか、あるいは前記第２開放ホール４１３２ａを介して流入され、前記第１開放ホール４１１２を介しても排出される。
【０４８５】
前記押しホール４１１３の内部に具備される液状は、前記押し部材４１４０の下部流入口４１４１ａに連結される液状伝達通路４１４４に伝達され、前記液状伝達通路４１４４は、前記第１開放ホール４１１２及び第２開放ホール４１３２ａと平行に連結されて具備される。例えば、液状は、前記第２開放ホール４１３２ａを介して、押しホール４１１３の内部に流入され、前記液状伝達通路４１４４を介して、前記第１開放ホール４１１２にも排出される。
【０４８６】
前記押しホール４１１３の内部は、前記キャップ支持部４１４２より広い面積に具備されるが、前記押しホール４１１３の内部面に離隔されて具備される側壁部４１１３ａをさらに含んでもよい。前記キャップ支持部４１４２は、前記側壁部４１１３ａ内部に挿入され、前記第１シーリング部材４１４７及び第２シーリング部材４１４８は、前記側壁部４１１３ａの内面と接触し、前記第１弾性体４１４７は、前記側壁部４１１３ａの外面と、前記押しホール４１１３の外面との間にも具備される。
【０４８７】
前記側壁部４１１３ａは、前記第１開放ホール４１１２の入口側と、前記第１開放ホール４１１２の入口側と対面する前記第２開放ホール４１３２ａの出口側と、から上部側に垂直に延長されて形成され、前記液状は、前記保存空間Ｓから、前記第２開放ホール４１３２ａの出口側を介して、前記側壁部４１１３ａと前記キャップ支持部４１４２との間に流入され、前記液状は、入口側を側壁部４１１３ａと前記キャップ支持部４１４２との間において、前記第１開放ホール４１１２の入口側を介しても排出される。
【０４８８】
前記側壁部４１１３ａは、詐欺キャップ支持部４１４２より広い面積に具備される押しホール４１１３の内部に具備され、前記押しホール４１１３の内面と離隔され、前記押しホール４１１３の内面に平行にも具備される。前記側壁部４１１３ａは、前記キャップ支持部４１４２の断面に対応する面積に具備されるので、前記キャップ支持部４１４２に具備される第１シーリング部材４１４８及び第２シーリング部材４１４９は、前記側壁部４１１３ａの内面と接触することができる。
【０４８９】
前記シリンダ部４１３０は、開放ホール４１３２ａと段差がつくように連結され、内部が貫通形成される円筒管４３３０、円筒管４３３０内に具備される開閉部支持部４３４０、開閉部支持部４３４０の末端に具備される開閉部４３５０、並びに円筒管４３３０を覆うように具備されるが、一側及び他側が開口され、それぞれ第１開口部４３６１及び第２開口部４３６１を具備し、開閉部４３５０に対応する部分が円錐台型に具備されるカバー部４３６０をさらに含む。
【０４９０】
前記第２開放ホール４１３２ａは、円筒管４３３０を介して、本体４１１０の保存空間Ｓと連通することができる。前記円筒管４３３０の内周縁は、前記第２開放ホール４１３２ａを取り囲むように、前記第２開放ホール４１３２ａの内径よりさらに大きく具備され、前記カバー部４３６０は、前記第１開口部４３６１側が、前記円筒管４３３０の内部に挿入され、前記第２開口部４３６２側は、前記円筒管４３３０の外側に具備されるが、前記第２開口部４３６２の外側面がテーパになるようにも具備される。例えば、前記開閉部支持部４３４０は、前記カバー部４３６０の内側に突出される１以上のリブ４３４０を含んでもよい。
【０４９１】
前記開閉部支持部４３４０は、スプリングのような弾性体、または棒型など多様な形態にも具備され、前記カバー部４３６０の内側からリブのような形態に突出し、前記開閉部４３５０の位置を制限することができる。
【０４９２】
前記開閉部４３５０は、前記カバー部４３６０において、前記第２開口部４３６２が具備される末端に隣接するように具備されるが、前記開閉部支持部４３４０によって区画された空間内にも具備される。例えば、前記開閉部支持部４３４０は、断面が円形であるカバー部４３６０の内側面において、同一間隔で離隔されて３個にも具備される。
前記円筒管４３３０においては、第１締結部４３３１を具備し、前記カバー部４３６０においては、前記第１締結部４３３１と締結する第２締結部４３６３を具備し、前記カバー部４３６０は、前記円筒管４３３０に密接して接触して固定され、前記円筒管４３３０の貫通されて具備される内部は、前記カバー部４３６０の第２開放ホール４１３２ａに対応するように具備され、前記カバー部４３６０の第２開口部４３６２を介して、液状が連通されるようにも具備される。
【０４９３】
前記開閉部支持部４３４０と開閉部４３５０により、前記カバー部４３６０の第２開口部４３６２を閉鎖し、前記開放ホール４１３２ａを介した液状の位置移動を制限し、前記第２位置に位置した場合、前記第２開口部４３６２を開放し、前記開放ホール４１３２ａを介した液状の位置移動を自由にする。
【０４９４】
前記開閉部４３５０は、前記開閉部支持部４３４０の末端で球形に具備され、前記押し部材４１４０の上下移動を介した液状の体積変化によって発生する外力により、可逆的に、前記カバー部４３６０の第２開口部４３６２を開閉させることができる。前記円筒管４３３０の内径ｔ１は、開放ホール４１３２ａの内径より大きく具備されるように、段差がつくように連結されるので、円筒管４３３０内に具備される開閉部支持部４３４０は、開放ホール４１３２ａに離脱せず、円筒管４３３０内部に位置が維持される。
【０４９５】
前記円筒管４３３０の外面には、第１締結部４３３１を具備し、前記カバー部４３６０の内側には、前記第１締結部４３３１と締結する第２締結部４３６３を具備し、前記カバー部４３６０は、前記円筒管４３３０に密接して接触しても固定される。前記円筒管４３３０は、前記カバー部４３６０の内側に挿入され、前記第２開放ホール４１３２ａと前記カバー部４３６０の第２開口部４３６２の間に液状が連通されるようにも具備される。
【０４９６】
例えば、前記第１締結部４３３１と第２締結部４３６２は、それぞれ突起及び溝の形態に具備され、嵌め込み結合によって締結され、あるいはねじ山及びねじ溝によって、螺合によっても締結される。前記第１締結部４３３１及び第２締結部４３６２は、カバー部４３６０を円筒管４３３０に密接して固定させるためのものであり、多様な構成が可能であって省略されもするが、それに制限されるものではない。
本発明に一実施形態において、前記化粧容器４１００は、前記本体４１１０の先端に結合されるように、前記押しホール４１１３に対応する位置に、内側に凹状の第２ラウンド部４１２１ａを具備する内部キャップ４１２０と、前記液状流出部４１７１を収納する収納空間４１８１を具備し、前記内部キャップ４１２０と結合する外部キャップ４１８０と、をさらに含む。
【０４９７】
前記本体４１１０には、順次に内部キャップ４１２０及び外部キャップ４１８０が結合され、前記内部キャップ４１２０の少なくとも一部は、前記外部キャップ４１８０と本体４１１０の最外面とに対応するように具備されるが、前記第２ラウンド部４１２１ａは、前記外部キャップ４１８０と本体４１１０の最外面とに対して、内側に凹状になるようにも具備される。
【０４９８】
前記液状流出部４１７１は、外部キャップ４１８０が本体４１１０と分離されれば、外部に露出され、外部キャップ４１８０が本体４１１０と結合されれば、外部キャップ４１８０内に隠匿されて外部に露出されない。前記外部キャップ４１８０が本体４１１０と分離された後、押し部材４１４０に外力が印加されれば、前記本体４１１０内部に具備された液状、例えば、化粧品などが、一定量で液状流出部４１７１を介して外部に流出する。
【０４９９】
前記外部キャップ４１８０は、液状が流出される液状流出部４１７１をカバーするために具備されるものであり、多様な形態にも具備され、本体４１１０と同一であるか、あるいは異なる材質からも具備される。
【０５００】
前記内部キャップ４１２０は、一側から他側に行くほど直径が減少されるように互いに異なる直径を有する部材が、外側面が段差がつくようにも連結され、前記リング部材４１６０と隣接した部分が最も広径に具備され、前記外部キャップ４１８０の内部に挿入される部分が最も狭径にも具備される。
【０５０１】
前記内部キャップ４１２０は、外周縁が、本体４１１０の外周縁に対応するように具備されるフランジ部４１２１、前記フランジ部４１２１において、前記フランジ部４１２１より狭径に連結されるミドル部４１２２、前記ミドル部４１２２において、前記ミドル部４１２２より狭径に具備されるが、前記液状流出部４１７１が通過するホールを具備したトップ部４１２３からなり、前記トップ部４１２３は、前記液状流出部４１７１が通過するホールが具備された部分がさらに狭径に具備されるように、２つの異なる直径を有する部分からもなる。
【０５０２】
前記内部キャップ４１２０のフランジ部４１２１には、前記押し部材４１４０が突出するホールが形成され、前記押し部材４１４０が突出する部分には、内側に凹状の第２ラウンド部４１２１ａを具備することができる。前記第２ラウンド部４１２１ａは、周辺より凹状に具備されるので、前記押し部材４１４０側に外力を印加する部材は、前記押し部材４１４０を容易に加圧することができる。例えば、人の指などを利用して、前記押し部材４１４０を加圧する場合、前記第２ラウンド部４１２１ａは、人の指に対応する形状に具備され、形状制約なしに、前記押し部材４１４０を容易に加圧することができる。
【０５０３】
すなわち、本実施形態による化粧容器４１００は、前記押し部材４１４０が具備される部分でのハウジングである本体部４１１０、及び内部キャップ４１２０に、それぞれ第１ラウンド部４１３１及び第２ラウンド部４１２１ａが具備されるので、前記押し部材４１４０を加圧するための空間を確保することができ、それにより、前記押し部材４１４０が、前記押しホール４１１３を介して露出される場合、前記本体部４１１０及び前記外部キャップ４１８０の最外面より外部に突出しないことになる。
【０５０４】
かように、本実施形態による化粧容器４１００は、外力が印加される部分である押し部材４１４０が具備される領域に、内側に凹状の第１ラウンド部４１３１及び第２ラウンド部４１２１ａが具備される。従って、前記化粧容器４１００の全体的な体積を増加させずに、不要な突出部が形成されることを防止することができるので、狭幅を有する化粧容器４１００にも、前記化粧容器４１００の内部に具備される化粧液を制御された量で容易に排出させることができる。
【０５０５】
前記外部キャップ４１８０は、前記液状流出部４１７１を収納する収納空間４１８１を具備し、前記内部キャップ４１２０と結合することができる。前記収納空間４１８１の側面には、前記内部キャップ４１２０と締結されるように、締結溝４１８２を具備することができる。前記外部キャップ４１８０は、外周縁が、前記本体４１１０の外周縁に対応するようにも具備される。例えば、前記本体４１１０が円筒状である場合、前記外部キャップ４１８０も円筒状でもあり、前記本体４１１０が六面体である場合、前記外部キャップ４１８０も六面体にも具備される。
【０５０６】
前記内部キャップ４１２０のミドル部４１２２の外面には、締結突起４１２４が具備され、前記外部キャップ４１８０の締結溝４１８２に挿入され、それにより、前記外部キャップ４１８０は、本体４１１０と安定的に結合するが、前記液状流出部４１７１を保護し、前記液状流出部４１７１の汚染を防止することができる。
【０５０７】
前記内部キャップ４１２０のミドル部４１２２とトップ部４１２３は、前記外部キャップ４１８０の内部収納空間４１８１に挿入され、前記ミドル部４１２２に具備された締結突起４１２４は、前記外部キャップ４１８０の締結溝４１８２とも締結される。
【０５０８】
前記押し部材４１４０は、前記第１弾性体４１４７の弾性変形により、前記押し部材４１４０の位置移動が可逆的にも制御される。前記押し部材４１４０に外力が加えられれば、前記押しホール４１１３に収容された液状のうち、第１体積の液状が、前記第１開放ホール４１１２を介して、前記液状流出部４１７０に流出され、前記押し部材４１４０に印加された外力が解除されれば、前記液状流出部４１７１に流出された前記第１体積の液状に対応する体積の液状が、前記第２開放ホール４１３２ａを介して、前記保存空間から前記押しホール４１１３にも流入される。
【０５０９】
前記本体４１１０の保存空間は、可逆的に体積が変わる第１保存空間Ｓ１及び第２保存空間Ｓ２を含み、前記第１保存空間Ｓ１は、前記押しホール４１１３に伝達される液状が収容され、前記第２保存空間Ｓ２は、外部から流入される空気が具備される。
前記押し部材４１４０に印加された外力が解除されれば、前記第１保存空間Ｓ１に保存された液状のうち、前記第１体積の液状と同一体積の液状が、前記円筒管４３３０と第２開放ホール４１３２ａとを介して、前記押しホール４１１３に流入され、前記第１体積ほど前記第１保存空間Ｓ１の体積が縮小され、前記第２保存空間Ｓ２は、前記第１体積ほど体積が増大される。
【０５１０】
前記本体４１１０の内部に挿入され、前記本体４１１０の下部領域の貫通領域を密閉し、内部には、前記圧着部４１９０を具備するが、前記圧着部４１９０により、第１保存空間Ｓ１及び第２保存空間Ｓ２に分割されるが、前記第１保存空間に液状を具備する液状提供部４１５０をさらに含んでもよい。
【０５１１】
前記液状提供部４１５０は、前記本体４１１０の内部に挿入される部分である一面が開口され、順次に第１保存空間Ｓ１及び第２保存空間Ｓ２を具備する円筒状に具備されるが、前記一面が対面する他面は、前記本体４１１０の後端部を覆うが、外部と連通される空気循環ホール４１５２を具備することができる。
【０５１２】
前記第２保存空間Ｓ２は、前記圧着部４１９０と前記空気循環ホール４１５２との間に形成され、前記第１保存空間Ｓ１の大きさが、前記第１体積ほど縮小される場合、前記空気循環ホール４１５２を介して、第１体積ほど外部空気が流入されて圧着部４１９０を加圧し、前記第２保存空間Ｓ２の大きさを、前記第１体積ほどさらに拡張させることができる。
【０５１３】
前記圧着部４１９０は、前記液状提供部４１５０の内側面と密接に接するように具備され、一面及び他面が開口された円筒状の圧着側部４１９１と、前記圧着側部４１９１内部で断面が円形に具備され、前記圧着側部４１９１が閉鎖される圧着面部４１９２と、からもなる。前記圧着面部４１９２は、前記圧着側部４１９１に対して垂直に連結されるが、中心部が、前記空気循環ホール４１５２に向かうように段差がつくように具備され、前記円筒部４３３０を収納する円筒部収納部４３３０を含んでもよい。
【０５１４】
前記圧着部４１９０は、前記液状提供部４１５０から、前記液状提供部４１５０内の液状が外部に流出するほど、徐々に前記本体４１１０に隣接するように接近することができる。そのとき、前記圧着部４１９０に、前記円筒収納部４３３０を具備することにより、前記圧着部４１６０は、形状制約なしに、前記本体４１１０のシリンダ４１３０側まで隣接するようにも具備され、それにより、前記第１保存空間Ｓ１中に含まれた液状は、前記本体４１１０内部に残存せず、ほとんどが外部に流出する。
【０５１５】
前記液状提供部４１５０は、前記一面に隣接した外面にＯリング４１５４を具備し、前記本体４１１０の内部において、前記Ｏリング４１５４が載置される部分は、段差がつくように具備され、前記液状提供部４１５０と前記本体４１１０とを密接に結合させることができる。
【０５１６】
前記液状提供部４１５０の他面に隣接した外面は、前記本体４１１０の内部に挿入されて締結され、前記液状提供部４１５０の他面は、前記本体４１１０の側面の末端に対応しても具備される。例えば、前記液状提供部４１５０の他面に隣接した末端部には、段差がつくように具備され、前記本体４１１０に挿入固定され、前記本体４１１０内に具備された液状提供部４１５０は、突出せずに本体４１１０に一体型のようにも具備される。
【０５１７】
前記液状流出部４１７１は、前記内部キャップ４１２０の外側に突出し、前記液状が外部に流出する流出ホール４１７１ａと、前記内部キャップ４１２０の内側に具備され、前記第１開放ホール４１１２の先端部の内側に挿入結合される結合部４１７１ｂと、からもなる。
【０５１８】
前記結合部４１７１ｂが、前記第１開放ホール４１１２の先端部に挿入結合される場合、前記結合部４１７１ｂの外面と、前記第１開放ホール４１１２の内面との間には、離隔空間Ｑが形成され、前記結合部４１７１ｂは、前記流出ホール４１７１ａと連通される第１連通空間Ｖ１を形成することができる。
【０５１９】
前記第１連通空間Ｖ１と前記離隔空間Ｑとを連通する第１通孔Ｈ１を具備する第１結合部４１７１ｃと、前記押しホール４１１３と連通される第２連通空間Ｖ２を形成し、前記第２連通空間Ｖ２と前記離隔空間Ｑとを連通する第２通孔Ｈ２を具備する第２結合部４１７１ｄと、前記第２通孔Ｈ２を包囲するように配置され、前記第２通孔Ｈ２を介した前記液状の移動いかんを決定する開閉部４１７３と、を具備することができる。
【０５２０】
前記開閉部４１７３は、前記押し部材４１４０に前記外力が印加される場合、前記収容空間において、前記第１開放ホール４１１２の先端部方向に移動する液状による圧力によって弾性変形され、前記第２通孔Ｈ２を開放させ、前記圧力が弱くなる場合、前記弾性変形による復元力によって復元され、前記第２通孔Ｈ２を閉鎖することができる。
図５９は、図５６の押し部材及び第１弾性体の斜視図であり、図６０は、本発明の他の実施形態による、押し部材及び第１弾性体の斜視図である。
【０５２１】
図５９を参照すれば、本実施形態による押し部材４１４０及び第１弾性体４１４７において前記第１弾性体４１４７は、前記押し部材４１４０のキャップ支持部４１４２に挿入され、前記第１弾性体４１４７の上部面は、前記押しキャップ４１４５において、キャップ部４１４５ａの下部面と接触して固定され、前記第１弾性体４１４７の下部面は、前記押しホール４１１３の内部において、前記第１開放ホール４１１２及び第２開放ホール４１３２ａを形成する外壁と、前記押しホール４１１３の内部に具備される側壁部４１１３ａと、前記押しホール４１１３の内部面と、によっても固定される。
【０５２２】
前記押し部材４１４０においてキャップ支持部４１４２には、第１シーリング部材４１４８及び第２シーリング部材４１４９が具備され、前記第１シーリング部材４１４８及び第２シーリング部材４１４９には、前記キャップ支持部４１４２を横方向に貫通するように、前記キャップ支持部４１４２の延長方向である第１方向に垂直である第２方向に延長されて具備されるが、前記下部流入口４１４１ａと連通される液状伝達通路４１４４がさらに具備される。
【０５２３】
前記第１シーリング部材４１４８は、前記キャップ支持部４１４２の下部に隣接するように具備され、前記第２シーリング部材４１４９は、前記第１シーリング部材４１４８から上部側に離隔されて具備され、前記液状伝達通路４１４４は、前記第１シーリング部材４１４８及び第２シーリング部材４１４９の間に具備され、前記下部流入部４１４１ａを横方向に貫通するようにも具備される。
【０５２４】
前記押しホール４１１３の一側には、前記第１方向に垂直である第２方向に連結され、液状が外部に流出する液状流出部４１７１と連通される第１開放ホール４１１２が具備され、前記押しホール４１１３の他側には、前記第２方向に平行になるように連結され、前記本体４１１０の保存空間と連通される第２開放ホール４１３２ａが具備される。
【０５２５】
前記押し部材４１４０に外力が印加されれば、前記第１弾性体４１４７が圧縮され、前記キャップ支持部４１４２の少なくとも一部が、前記押しホール４１１３の内部に挿入され、前記押しホール４１１３内部に具備される液状は、前記下部流入部４１４１ａと前記液状伝達通路４１４４とを介して、前記第１開放ホール４１１２にも流出される。前記第１開放ホール４１１３と前記第２開放ホール４１３２ａは、前記第１シーリング部材４１４８及び第２シーリング部材４１４９の間に位置し、前記押し部材４１４０に印加された外力が解除されれば、前記第１弾性体４１４７が復元され、前記キャップ支持部４１４２が、前記押しホール４１１３の外側に突出し、前記押しホール４１１３内部には、前記第２開放ホール４１３２ａを介して液状が流入する。
【０５２６】
前記押し部材４１４０は、前記押しホール４１１３に挿入され、前記押しホール４１１３に挿入される方向である第１方向に移動するか、あるいは前記第１方向の反対方向に排出されるように位置移動するとき、前記押しホール４１１３の内周面に沿ってスライディングされる第１シーリング部材４１４８と、前記押しホール４１１３に挿入され、前記押しホール４１１３に挿入される方向である第１方向に移動するか、あるいは前記第１方向の反対方向に排出されるように位置移動するとき、前記押しホール４１１３の内部に具備される液状が、前記押しホール４１１３の外部に流出することを防止する第２シーリング部材４１４９と、を具備し、前記第１シーリング部材４１４８及び第２シーリング部材４１４９は、互いに離隔されて具備され、前記押しホール４１１３内への空気流出入を防止することができる。
【０５２７】
前記第１シーリング部材４１４８及び第２シーリング部材４１４９は、前記押しホール４１１３の内周面に沿ってスライディングされ、前記押しホール４１１３内部の液状が外部に流出することを防止することができる。前記押し部材４１４０において、前記第１シーリング部材４１４８及び第２シーリング部材４１４９が具備される部分は、前記第１シーリング部材４１４８及び第２シーリング部材４１４９が挿入固定されるように、前記第１シーリング部材４１４８及び第２シーリング部材４１４９に対応する形態に内側に凹状にも具備される。
【０５２８】
前記第１シーリング部材４１４８及び第２シーリング部材４１４９は、押しホール４１１３の内側面に接触されたまま、前記押しホール４１１３の内側面に沿って移動することができる。前記第１シーリング部材４１４８及び第２シーリング部材４１４９は、例えば、弾性を具備したＯリングまたはゴムパッキング部材でもあるが、前記第１シーリング部材４１４８及び第２シーリング部材４１４９は、前記押しホール４１１３の内側面を加圧しながら圧縮変形され、前記押しホール４１１３の内側面に沿ってもスライディングされる。
【０５２９】
前記第２シーリング部材４１４９は、押しホール４１１３の内壁の微細な間隙に移動する液状の流出を防ぎ、収容空間から第１開放ホール４１１２への液状流出を具現するので、第２シーリング部材４１４８がない場合と比較し、さらに強い圧力で液状流出を具現することができるのである。
【０５３０】
前記押し部材４１４０に外力に加えられる場合、前記押しホール４１１３の内部において液状が具備される空間である収容空間内の液状の圧力が上昇し、それにより、第２開放ホール４１３２ａを介して流入される液状は、制限するが、第１開放ホール４１１２を介して液状を排出する。それと反対に、前記押し部材４１４０に加えられた外力が解除される場合、収容空間内の液状の圧力が低下し、第１開放ホール４１１２への排出が遮断され、同時に第２開放ホール４１３２ａを介して、液状が充填されることにより、収容空間内に具備される液状は、一定量に維持される。
【０５３１】
前記第１弾性体４１４７は、前記キャップ支持部４１４２より広径に具備されるが、前記押しキャップ４１４５より狭径にも具備される。
【０５３２】
代案として、図６０を参照すれば、前記押し部材４１４０ａにおいて、前記第１シーリング部材４１４８及び第２シーリング部材４１４９間の外面４１４１’は、内側に凹状になるようにも連結される。本実施形態による押し部材４１４０ａは、前記第１シーリング部材４１４８及び第２シーリング部材４１４９間の外面４１４１’が内側に凹状に具備されるので、前記第１シーリング部材４１４８及び第２シーリング部材４１４９と、前記第１開放ホール４１１３及び第２開放ホール４１３２ａとの間の空間が拡張されて具備される。従って、前記第１シーリング部材４１４８及び第２シーリング部材４１４９の間を介して流入される液状は、前記液状の粘度に対する制約なしに、前記液状伝達通路４１４４を介して、前記第２開放ホール４１３２ａから第１開放ホール４１１３に容易に伝達される。
【０５３３】
以下、図６１及び図６２を参照して、本発明の他の実施形態について説明する。後述する内容を除いては、図５３ないし図６０で説明した実施形態に記載した内容と類似しているので、それに係わる詳しい内容は省略する。
【０５３４】
図６１は、本発明のさらに他の実施形態による本体部前端部の断面図であり、図６２は、図６１において、押し部材に外力が印加された様子を概略的に示した図面である。
【０５３５】
図６１及び図６２を参照すれば、本実施形態による化粧容器は、液状流出部４１７１に流出調節ボール４４７５が具備され、第１開放ホール４１１２を介して排出される化粧品である液状の量を制御することができる。
【０５３６】
前記液状流出部４１７１は、前記内部キャップ４１２０の外側に突出し、前記液状が外部に流出する流出ホール４１７１ａと、前記内部キャップ４１２０の内側に具備され、前記第１開放ホール４１１２の先端部の内側に挿入結合される結合部と、からなり、前記第１開放ホール４１１２の先端部の内径は、前記押し部材４１４０の側面と対面する前記第１開放ホール４１１２の後端部の内径より大きく形成されてもよい。
【０５３７】
前記結合部４１７１ｂの末端と、前記第１開放ホール４１１２の先端部の内側外周面との間に置かれる第２弾性部４４７３、及び前記第２弾性部４４７３の後端に置かれ、前記第１開放ホール４１１２の後端部の内径より大きい径を有する流出調整ボール４４７５を含んでもよい。
【０５３８】
前記流出調整ボール４４７５は、前記押し部材４１４０に、前記外力が印加される場合、前記保存空間に具備された液状は、前記第１開放ホール４１１２を介して移動し、前記流出調整ボール４４７５を加圧し、前記第２弾性部４４７３を圧縮させることにより、前記液状が、前記第１開放ホール４１１２の先端部を介して、前記液状流出部４１７１を介して排出され、前記液状が、前記流出調整ボール４４７５の加圧する圧力が低下する場合、前記第２弾性部４４７３の復元力により、前記流出調整ボール４４７５は、前記第１開放ホール４１１２の後端を閉鎖することができる。
【０５３９】
本実施形態による化粧容器は、液状流出部４４７１に流出調節ボール４４７５が具備され、第１開放ホール４１１２を介して排出される化粧品である液状の量を制御することができる。
【０５４０】
前記流出調整ボール４４７５は、前記押し部材４１４０に外力が印加される場合、第１開放ホール４１１２の先端部方向に移動する液状による圧力により、第３方向である液状流出部４１７１側に移動し、圧力が弱くなる場合、第２弾性部４４７３により、第３方向の反対方向である第４方向に移動し、第１開放ホール４１１２の先端部と、末端部の境界領域に形成された流入孔４４３１ｂと、を閉鎖することができる。
【０５４１】
例えば、本実施形態による化粧容器は、押し部材４１４０を基準に、液状が外部に排出される部分である液状流出部４１７１と、本体の第１保存空間Ｓ１に保存された液状が流入する部分である円筒管４３３０との内には、それぞれ球形の流出調整ボール４４７５と開閉部４３５０とが具備される。
【０５４２】
図６３は、本発明のその他実施形態による本体部前端部の断面図であり、図６４は、図６３において、押し部材に外力が印加された様子を概略的に示した図面である。図６５は、図６３において、本体部の後端部に具備される液状流入を制御する部分の拡大図であり、図６６は、図６５の分解斜視図である。
【０５４３】
図６３ないし図６６を参照すれば、本実施形態による化粧容器において、第２開放ホール４１３２ａと、本体４１１０の保存空間とを連結する部分には、円筒管４１３３０とカバー部４１３６０とが具備される。
【０５４４】
前記円筒管４１３３０は、前記開放ホール４１３２ａを取り囲むように、前記開放ホール４１３２ａの内径より前記円筒管４１３３０の内径がさらに大きく具備され、前記カバー部４１３６０は、第１開口部４１３６１の直径が第２開口部４１３６２の直径より大きく具備されるように、断面が円形であり、他側に行くほど断面がだんだんと小さくなるようにも具備される。
【０５４５】
前記開閉部支持部４１３４０は、スプリング状に具備され、前記円筒管４１３３０内に具備され、前記開閉部４１３５０は、前記開閉部支持部４１３４０の末端において球形に具備され、前記開閉部支持部４１３４０に加えられる外力により、可逆的に、前記カバー部４１３６０の第２開口部４１３６２を開閉させることができる。
【０５４６】
前記円筒管４１３３０は、開放ホール４１３２ａを取り囲むように、前記開放ホール４１３２ａの内径より円筒管４１３３０の内径がさらに大きく具備され、カバー部４１３６０は、第１開口部４１３６１の直径が、第２開口部４１３６２の直径より大きく具備されるように、断面が円形であり、他側に行くほど断面がだんだんと小さくなるように具備される。開閉部４１３５０は、開閉部支持部４１３４０の末端において球形に具備され、開閉部支持部４１３４０に加えられる外力により、可逆的に、カバー部４１３６０の第２開口部４１３６２を開閉させることができる。
【０５４７】
前記開閉部支持部４１３４０と開閉部４１３５０とにより、前記カバー部４１３６０の第２開口部４１３６２を閉鎖し、前記開放ホール４１３２ａを介した液状の位置移動を制限し、前記第２位置に位置した場合、前記第２開口部４１３６２を開放し、前記前記開放ホール４１３２ａを介した液状の位置移動を自由にする。
【０５４８】
例えば、開閉部支持部４１３４０は、スプリング状に具備され、円筒管４１３３０内に具備されるが、円筒管４１３３０の一側から他側まで延長されるように具備され、開閉部４１３５０は、開閉部支持部４１３４０の末端に具備され、カバー部４１３６０の第２開口部４１３６２を塞ぐように具備される。円筒管４１３３０の内径ｔ１は、開放ホール４１３２ａの内径より大きく具備されるように、段差がつくように連結されるので、円筒管４１３３０内に具備される開閉部支持部４１３４０は、開放ホール４１３２ａに離脱せず、円筒管４１３３０内部に位置が維持される。
【０５４９】
前記押し部材４１４０に外力が印加されない場合、開閉部支持部４１３４０は、緩く延長され、開閉部４１３５０は、第２開口部４１３６２を密閉しないので、第２開口部４１３６２を介して、液状の移動が可能である。一方、収容空間内の圧力が高い場合には、液状は、開閉部支持部４１３４０を加圧し、それにより、開閉部４１３５０は、第２開口部４１３６２を密閉させることにより、空気流出入を遮断する。
【０５５０】
前記円筒管４１３３０は、内部に空スペースを具備した円筒の形態に具備され、カバー部４１３６０は、円筒管４１３３０が挿入されるように、円筒管４１３３０より大きい内径に具備されるが、円筒管４１３３０に対応する形態に具備される円筒の形態と、円筒管４１３３０から一部露出される開閉部４１３５０を覆い包むように具備される円錐台の行動とが互いに連結されて具備される。円筒管４１３３０は、カバー部４１３６０に挿入されることにより、円筒管４１３３０内部に具備される開閉部支持部４１３４０と開閉部４１３５０とが流失されないように維持される。
【０５５１】
また、円筒管４１３３０の外面には、第１締結部４１３３１を具備し、カバー部４１３６０の内側には、第１締結部４１３３１と締結する第２締結部４１３６３を具備し、カバー部４１３６０は、前記円筒管４１３３０に密接して接触して固定される。円筒管４１３３０は、カバー部４１３６０の内側に挿入され、開放ホール４１３２ａと、カバー部４１３６０の第２開口部４１３６２と、が互いに流体が連通されるように具備される。
【０５５２】
例えば、第１締結部４１３３１と第２締結部４１３６２は、それぞれ突起及び溝の形態に具備され、嵌め込み結合によって締結され、あるいはねじ山及びねじ溝によって、螺合によっても締結される。第１締結部４１３３１及び第２締結部４１３６２は、カバー部４１３６０を円筒管４１３３０に密接して固定させるためのものであり、多様な構成が可能であって省略されもするが、それに制限されるものではない。
【０５５３】
従来の一般的な化粧容器は、栓を回して化粧液が保存された化粧容器を開いた後、化粧液が染みているブラシを使用して化粧を行った。
【０５５４】
しかし、本発明によれば、押し部材を押し、常時一定量の化粧液のみを円滑に流出させることができることにより、化粧が容易に行える。
【０５５５】
また、本発明の化粧容器は、従来のように、化粧液をつけるために栓を回して化粧容器を開く方式と異なり、常時密閉されているので、化粧液の変質を防止することができ、衛生的なだけではなく、化粧液が消尽される直前までも、化粧液が固くならない状態で使用することができる。
【０５５６】
前記では、本発明による実施形態を基準に、本発明の構成及び特徴について説明したが、本発明は、それらに限定されるものではなく、本発明の思想内及び範囲内で、多様に変更されたり変形されたりするということは、本発明が属する技術分野の当業者に明白であり、従ってかような変更または変形は、特許請求の範囲に属するものであるということを明らかにしておく。
【産業上の利用可能性】
【０５５７】
本発明の化粧容器は、例えば、化粧関連の技術分野に効果的に適用可能である。
【符号の説明】
【０５５８】
１１０，１１１０，１１１１０        本体
１３０，１１３０，１１１３０        シリンダ部
１３１，１１３１，１１１３１        液状ガイド部
１３２，１１３２，１１１３２        収容部
１４０，１１４０，１１１４０        押し部材
１４３，１１４３，１１１４３        第１弾性部
１４５，１１４５，１１１４５        第１シーリング部材
１４７，１１４７，１１１４７        第２シーリング部材
１５０，１１５０，１１１５０        密閉部材
１５１        液状注入ホール
１５３        閉鎖部材
１７１，１１７１，１１１７１        液状流出部
１７３        第２弾性部
１７５        流出調整ボール
１１３，１１１３，１１１１３        押し溝
１８０，１１８０，１１１８０        キャップ
【図１】
2018149266.tif 000003
【図２】
2018149266.tif 000004
【図３】
2018149266.tif 000005
【図４】
2018149266.tif 000006
【図５】
2018149266.tif 000007
【図６】
2018149266.tif 000008
【図７】
2018149266.tif 000009
【図８】
2018149266.tif 000010
【図９】
2018149266.tif 000011
【図１０】
2018149266.tif 000012
【図１１】
2018149266.tif 000013
【図１２】
2018149266.tif 000014
【図１３】
2018149266.tif 000015
【図１４】
2018149266.tif 000016
【図１５】
2018149266.tif 000017
【図１６】
2018149266.tif 000018
【図１７】
2018149266.tif 000019
【図１８】
2018149266.tif 000020
【図１９】
2018149266.tif 000021
【図２０】
2018149266.tif 000022
【図２１Ａ】
2018149266.tif 000023
【図２１Ｂ】
2018149266.tif 000024
【図２２Ａ】
2018149266.tif 000025
【図２２Ｂ】
2018149266.tif 000026
【図２３】
2018149266.tif 000027
【図２４】
2018149266.tif 000028
【図２５】
2018149266.tif 000029
【図２６】
2018149266.tif 000030
【図２７】
2018149266.tif 000031
【図２８】
2018149266.tif 000032
【図２９】
2018149266.tif 000033
【図３０】
2018149266.tif 000034
【図３１】
2018149266.tif 000035
【図３２】
2018149266.tif 000036
【図３３】
2018149266.tif 000037
【図３４】
2018149266.tif 000038
【図３５】
2018149266.tif 000039
【図３６】
2018149266.tif 000040
【図３７】
2018149266.tif 000041
【図３８】
2018149266.tif 000042
【図３９】
2018149266.tif 000043
【図４０】
2018149266.tif 000044
【図４１】
2018149266.tif 000045
【図４２】
2018149266.tif 000046
【図４３】
2018149266.tif 000047
【図４４】
2018149266.tif 000048
【図４５】
2018149266.tif 000049
【図４６】
2018149266.tif 000050
【図４７】
2018149266.tif 000051
【図４８】
2018149266.tif 000052
【図４９】
2018149266.tif 000053
【図５０】
2018149266.tif 000054
【図５１】
2018149266.tif 000055
【図５２】
2018149266.tif 000056
【図５３】
2018149266.tif 000057
【図５４】
2018149266.tif 000058
【図５５】
2018149266.tif 000059
【図５６】
2018149266.tif 000060
【図５７】
2018149266.tif 000061
【図５８】
2018149266.tif 000062
【図５９】
2018149266.tif 000063
【図６０】
2018149266.tif 000064
【図６１】
2018149266.tif 000065
【図６２】
2018149266.tif 000066
【図６３】
2018149266.tif 000067
【図６４】
2018149266.tif 000068
【図６５】
2018149266.tif 000069
【図６６】
2018149266.tif 000070